(57)【要約】  様々なトーンプランに従ってワイヤレスメッセージを供給するための方法および装置は、ワイヤレス通信の方法を含むことができる。本方法は、ワイヤレスデバイスによる１つまたは複数のワイヤレスメッセージの通信のために、第１のトーン数を有する第１のトーンプランに関連する第１の割振りユニットを割り振ることを含む。本方法は、ワイヤレスデバイスによる１つまたは複数のワイヤレスメッセージの通信のために、第１のトーン数とは異なる第２のトーン数を有する第２のトーンプランに関連する第２の割振りユニットを割り振ることをさらに含む。本方法は、少なくとも第１のトーンプランおよび第２のトーンプランに基づく、ワイヤレスデバイスのための組合せトーンプランを選択することをさらに含む。本方法は、組合せトーンプランに従って、ワイヤレスデバイスによる送信のためにワイヤレスメッセージを供給することをさらに含む。
2017532817.tif 000002
【特許請求の範囲】
【請求項１】
ワイヤレスデバイスによる１つまたは複数のワイヤレスメッセージの通信のために、第１のトーン数を有する第１のトーンプランに関連する第１の割振りユニットを割り振ることと、
前記ワイヤレスデバイスによる１つまたは複数のワイヤレスメッセージの通信のために、前記第１のトーン数とは異なる第２のトーン数を有する第２のトーンプランに関連する第２の割振りユニットを割り振ることと、
少なくとも前記第１のトーンプランおよび前記第２のトーンプランに基づく、前記ワイヤレスデバイスのための組合せトーンプランを選択することと、
前記組合せトーンプランに従って、前記ワイヤレスデバイスによる送信のためにワイヤレスメッセージを供給することと、
を備える、ワイヤレス通信の方法。
【請求項２】
前記ワイヤレスデバイスによる１つまたは複数のワイヤレスメッセージの通信のために、第３のトーンプランに関連する第３の割振りユニットを割り振ることをさらに備え、ここにおいて、前記組合せトーンプランを前記選択することが、前記第３のトーンプランにさらに基づく、請求項１に記載の方法。
【請求項３】
前記第１の割振りユニットが、２４個のデータトーン、４８個のデータトーン、１０２個のデータトーン、２３４個のデータトーン、４６８個のデータトーン、または９８０個のデータトーンのうちの１つを有し、前記第２の割振りユニットが、２４個のデータトーン、４８個のデータトーン、１０２個のデータトーン、２３４個のデータトーン、４６８個のデータトーン、または９８０個のデータトーンのうちの１つを有する、請求項１に記載の方法。
【請求項４】
前記第１の割振りユニットが、２６個の総トーン、５２個の総トーン、１０６個の総トーン、２４２個の総トーン、４８４個の総トーン、または９９６個の総トーンのうちの１つを有し、前記第２の割振りユニットが、２６個の総トーン、５２個の総トーン、１０６個の総トーン、２４２個の総トーン、４８４個の総トーン、または９９６個の総トーンのうちの１つを有する、請求項１に記載の方法。
【請求項５】
前記組合せトーンプランを選択することが、
２つまたはそれ以上の２６トーン割振りユニット、５２トーン割振りユニット、１０６トーン割振りユニット、２４２トーン割振りユニット、４８４トーン割振りユニット、および９９６トーン割振りユニットの組合せを選択することと、
前記選択された組合せに基づく前記組合せトーンプランとして、１５０個のデータトーン、２８２個のデータトーン、３３６個のデータトーン、５１６個のデータトーン、５７０個のデータトーン、７０２個のデータトーン、１０２８個のデータトーン、１０８２個のデータトーン、１２１４個のデータトーン、１４４８個のデータトーン、または１６８２個のデータトーンのうちの１つを有するトーンプランを選択することと、
を備える、請求項１に記載の方法。
【請求項６】
前記組合せトーンプランを選択することが、
１０６トーン割振りユニットと組み合わせられた５２トーン割振りユニットに基づく１５０個のデータトーンを有するトーンプラン、
２４２トーン割振りユニットと組み合わせられた５２トーン割振りユニットに基づく２８２個のデータトーンを有するトーンプラン、
２４２トーン割振りユニットと組み合わせられた１０６トーン割振りユニットに基づく３３６個のデータトーンを有するトーンプラン、
４８４トーン割振りユニットと組み合わせられた５２トーン割振りユニットに基づく５１６個のデータトーンを有するトーンプラン、
４８４トーン割振りユニットと組み合わせられた１０６トーン割振りユニットに基づく５７０個のデータトーンを有するトーンプラン、
４８４トーン割振りユニットと組み合わせられた２４２トーン割振りユニットに基づく７０２個のデータトーンを有するトーンプラン、
９９６トーン割振りユニットと組み合わせられた５２トーン割振りユニットに基づく１０２８個のデータトーンを有するトーンプラン、
９９６トーン割振りユニットと組み合わせられた１０６トーン割振りユニットに基づく１０８２個のデータトーンを有するトーンプラン、
９９６トーン割振りユニットと組み合わせられた２４２トーン割振りユニットに基づく１２１４個のデータトーンを有するトーンプラン、
９９６トーン割振りユニットと組み合わせられた４８４トーン割振りユニットに基づく１４４８個のデータトーンを有するトーンプラン、または
４８４トーン割振りユニットおよび９９６トーン割振りユニットと組み合わせられた２４２トーン割振りユニットに基づく１６８２個のデータトーンを有するトーンプラン、
のうちの少なくとも１つを選択することを備える、請求項１に記載の方法。
【請求項７】
前記ワイヤレスメッセージを供給することが、１９２トーンプラン、３２０トーンプラン、３８４トーンプラン、５７６トーンプラン、６４０トーンプラン、７６８トーンプラン、１０８８トーンプラン、１１５２トーンプラン、１２８０トーンプラン、１５３６トーンプラン、または１７９２トーンプランのうちの１つに従って、１５ＭＨｚチャネル、２５ＭＨｚチャネル、３０ＭＨｚチャネル、４５ＭＨｚチャネル、５０ＭＨｚチャネル、６０ＭＨｚチャネル、８５ＭＨｚチャネル、９０ＭＨｚチャネル、１００ＭＨｚチャネル、１２０ＭＨｚチャネル、または１４０ＭＨｚチャネルのうちの１つ上での送信のために前記ワイヤレスメッセージを供給することを備える、請求項１に記載の方法。
【請求項８】
送信のために前記ワイヤレスメッセージを供給することが、前記第１のトーンプランおよび前記第２のトーンプランに従って、前記第１の割振りユニットおよび前記第２の割振りユニット上でデータを別々に符号化またはインターリーブすることを備える、請求項１に記載の方法。
【請求項９】
送信のために前記ワイヤレスメッセージを供給することが、前記組合せトーンプランに従って、１つのユーザに割り振られた前記第１の割振りユニットと前記第２の割振りユニットの両方上でデータを一緒に符号化することと、前記第１の割振りユニットおよび前記第２の割振りユニットを独立してインターリーブすることとを備える、請求項１に記載の方法。
【請求項１０】
前記組合せトーンプランを選択することが、
前記第１の割振りユニット、前記第２の割振りユニット、および前記ワイヤレスデバイスに割り振られた他の割振りユニット中に含まれるすべてのデータトーンの和に、データトーン数を設定することと、
前記第１の割振りユニット、前記第２の割振りユニット、および前記ワイヤレスデバイスに割り振られた他の割振りユニット中に含まれるすべてのパイロットトーンの和に、パイロットトーン数を設定することと、
バイナリ畳み込みコードインターリービング深度（ＮＣＯＬ）および低密度パリティチェックトーンマッピング距離（ＤＴＭ）に従って、前記第１の割振りユニットおよび前記第２の割振りユニットを別々に符号化またはインターリーブすることと、
によって前記組合せトーンプランを形成することを備える、請求項１に記載の方法。
【請求項１１】
前記組合せトーンプランを選択することが、
前記第１の割振りユニット、前記第２の割振りユニット、および前記ワイヤレスデバイスに割り振られた他の割振りユニット中に含まれるすべてのデータトーンの和に、データトーン数を設定することと、
前記第１の割振りユニット、前記第２の割振りユニット、および前記ワイヤレスデバイスに割り振られた他の割振りユニット中に含まれるすべてのパイロットトーンの和に、パイロットトーン数を設定することと、
前記第１の割振りユニット、前記第２の割振りユニット、および前記ワイヤレスデバイスに割り振られた他の割振りユニット上で、データを一緒に符号化およびインターリーブすることと、
によって前記組合せトーンプランを形成することを備える、請求項１に記載の方法。
【請求項１２】
前記ワイヤレスデバイスがアクセスポイントを備え、ここにおいて、送信のために前記ワイヤレスメッセージを供給することが、前記アクセスポイントによってサービスされる移動局に、前記アクセスポイントの送信機およびアンテナを通して前記ワイヤレスメッセージを送信することを備える、請求項１に記載の方法。
【請求項１３】
前記ワイヤレスデバイスが移動局を備え、ここにおいて、送信のために前記ワイヤレスメッセージを供給することが、前記移動局をサービスするアクセスポイントに、前記移動局の送信機およびアンテナを通して前記メッセージを送信することを備える、請求項１に記載の方法。
【請求項１４】
命令を記憶するメモリと、
前記メモリと結合される処理システムであって、
ワイヤレスデバイスによる１つまたは複数のワイヤレスメッセージの通信のために、第１のトーン数を有する第１のトーンプランに関連する第１の割振りユニットを割り振ることと、
前記ワイヤレスデバイスによる１つまたは複数のワイヤレスメッセージの通信のために、前記第１のトーン数とは異なる第２のトーン数を有する第２のトーンプランに関連する第２の割振りユニットを割り振ることと、
少なくとも前記第１のトーンプランおよび前記第２のトーンプランに基づく、前記ワイヤレスデバイスのための組合せトーンプランを選択することと、
前記組合せトーンプランに従って、前記ワイヤレスデバイスによる送信のためにワイヤレスメッセージを供給することと、
を行うために前記命令を実行するように構成された処理システムと、
を備える、ワイヤレス通信するように構成された装置。
【請求項１５】
前記処理システムが、前記ワイヤレスデバイスによる１つまたは複数のワイヤレスメッセージの通信のために、第３のトーンプランに関連する第３の割振りユニットをさらに割り振ることと、さらに前記第３のトーンプランに基づく前記組合せトーンプランを選択することとを行うようにさらに構成された、請求項１４に記載の装置。
【請求項１６】
前記第１の割振りユニットが、２４個のデータトーン、４８個のデータトーン、１０２個のデータトーン、２３４個のデータトーン、４６８個のデータトーン、または９８０個のデータトーンのうちの１つを有し、前記第２の割振りユニットが、２４個のデータトーン、４８個のデータトーン、１０２個のデータトーン、２３４個のデータトーン、４６８個のデータトーン、または９８０個のデータトーンのうちの１つを有する、請求項１４に記載の装置。
【請求項１７】
前記第１の割振りユニットが、２６個の総トーン、５２個の総トーン、１０６個の総トーン、２４２個の総トーン、４８４個の総トーン、または９９６個の総トーンのうちの１つを有し、前記第２の割振りユニットが、２６個の総トーン、５２個の総トーン、１０６個の総トーン、２４２個の総トーン、４８４個の総トーン、または９９６個の総トーンのうちの１つを有する、請求項１４に記載の装置。
【請求項１８】
前記処理システムが、
２つまたはそれ以上の２６トーン割振りユニット、５２トーン割振りユニット、１０６トーン割振りユニット、２４２トーン割振りユニット、４８４トーン割振りユニット、および９９６トーン割振りユニットの組合せを選択することと、
前記選択された組合せに基づく前記組合せトーンプランとして、１５０個のデータトーン、２８２個のデータトーン、３３６個のデータトーン、５１６個のデータトーン、５７０個のデータトーン、７０２個のデータトーン、１０２８個のデータトーン、１０８２個のデータトーン、１２１４個のデータトーン、１４４８個のデータトーン、または１６８２個のデータトーンのうちの１つを有するトーンプランを選択することと、
によって前記組合せトーンプランを選択するように構成された、請求項１４に記載の装置。
【請求項１９】
前記処理システムが、
１０６トーン割振りユニットと組み合わせられた５２トーン割振りユニットに基づく１５０個のデータトーンを有するトーンプラン、
２４２トーン割振りユニットと組み合わせられた５２トーン割振りユニットに基づく２８２個のデータトーンを有するトーンプラン、
２４２トーン割振りユニットと組み合わせられた１０６トーン割振りユニットに基づく３３６個のデータトーンを有するトーンプラン、
４８４トーン割振りユニットと組み合わせられた５２トーン割振りユニットに基づく５１６個のデータトーンを有するトーンプラン、
４８４トーン割振りユニットと組み合わせられた１０６トーン割振りユニットに基づく５７０個のデータトーンを有するトーンプラン、
４８４トーン割振りユニットと組み合わせられた２４２トーン割振りユニットに基づく７０２個のデータトーンを有するトーンプラン、
９９６トーン割振りユニットと組み合わせられた５２トーン割振りユニットに基づく１０２８個のデータトーンを有するトーンプラン、
９９６トーン割振りユニットと組み合わせられた１０６トーン割振りユニットに基づく１０８２個のデータトーンを有するトーンプラン、
９９６トーン割振りユニットと組み合わせられた２４２トーン割振りユニットに基づく１２１４個のデータトーンを有するトーンプラン、
９９６トーン割振りユニットと組み合わせられた４８４トーン割振りユニットに基づく１４４８個のデータトーンを有するトーンプラン、または
４８４トーン割振りユニットおよび９９６トーン割振りユニットと組み合わせられた２４２トーン割振りユニットに基づく１６８２個のデータトーンを有するトーンプラン、
のうちの少なくとも１つを選択することによって、前記組合せトーンプランを選択するように構成された、請求項１４に記載の装置。
【請求項２０】
送信のために前記ワイヤレスメッセージを供給することが、１９２トーンプラン、３２０トーンプラン、３８４トーンプラン、５７６トーンプラン、６４０トーンプラン、７６８トーンプラン、１０８８トーンプラン、１１５２トーンプラン、１２８０トーンプラン、１５３６トーンプラン、または１７９２トーンプランのうちの１つに従って、１５ＭＨｚチャネル、２５ＭＨｚチャネル、３０ＭＨｚチャネル、４５ＭＨｚチャネル、５０ＭＨｚチャネル、６０ＭＨｚチャネル、８５ＭＨｚチャネル、９０ＭＨｚチャネル、１００ＭＨｚチャネル、１２０ＭＨｚチャネル、または１４０ＭＨｚチャネルのうちの１つ上での送信のために前記ワイヤレスメッセージを供給することを備える、請求項１４に記載の装置。
【請求項２１】
前記処理システムが、前記第１のトーンプランおよび前記第２のトーンプランに従って、前記第１の割振りユニットおよび前記第２の割振りユニット上でデータを別々に符号化またはインターリーブすることによって、送信のために前記ワイヤレスメッセージを供給するように構成された、請求項１４に記載の装置。
【請求項２２】
前記処理システムが、関連するトーンプランに従って、１つのユーザに割り振られた前記第１の割振りユニットと前記第２の割振りユニットの両方上でデータを一緒に符号化することと、前記第１の割振りユニットおよび前記第２の割振りユニットを独立してインターリーブすることとによって、送信のために前記ワイヤレスメッセージを供給するように構成された、請求項１４に記載の装置。
【請求項２３】
前記処理システムが、
前記第１の割振りユニット、前記第２の割振りユニット、および前記ワイヤレスデバイスに割り振られた他の割振りユニット中に含まれるすべてのデータトーンの和に、データトーン数を設定することによって、前記組合せトーンプランを形成することと、
前記第１の割振りユニット、前記第２の割振りユニット、および前記ワイヤレスデバイスに割り振られた他の割振りユニット中に含まれるすべてのパイロットトーンの和に、パイロットトーン数を設定することと、
バイナリ畳み込みコードインターリービング深度（ＮＣＯＬ）および低密度パリティチェックトーンマッピング距離（ＤＴＭ）に従って、前記第１の割振りユニットおよび前記第２の割振りユニットを別々に符号化またはインターリーブすることと、
によって前記組合せトーンプランを選択するように構成された、請求項１４に記載の装置。
【請求項２４】
前記処理システムが、
前記第１の割振りユニット、前記第２の割振りユニット、および前記ワイヤレスデバイスに割り振られた他の割振りユニット中に含まれるすべてのデータトーンの和に、データトーン数を設定することと、
前記第１の割振りユニット、前記第２の割振りユニット、および前記ワイヤレスデバイスに割り振られた他の割振りユニット中に含まれるすべてのパイロットトーンの和に、パイロットトーン数を設定することと、
前記第１の割振りユニット、前記第２の割振りユニット、および前記ワイヤレスデバイスに割り振られた他の割振りユニット上で、一緒に符号化およびインターリーブすることと、
によって前記組合せトーンプランを形成することによって、前記組合せトーンプランを選択するように構成された、請求項１４に記載の装置。
【請求項２５】
前記装置がアクセスポイントを備え、前記装置が、前記アクセスポイントによってサービスされる移動局に前記ワイヤレスメッセージを送信するように構成された送信機およびアンテナをさらに備える、請求項１４に記載の装置。
【請求項２６】
前記装置が移動局を備え、前記装置が、前記移動局をサービスするアクセスポイントに前記ワイヤレスメッセージを送信するように構成された送信機およびアンテナをさらに備える、請求項１４に記載の装置。
【請求項２７】
ワイヤレスデバイスによる１つまたは複数のワイヤレスメッセージの通信のために、第１のトーン数を有する第１のトーンプランに関連する第１の割振りユニットを割り振るための手段と、
前記ワイヤレスデバイスによる１つまたは複数のワイヤレスメッセージの通信のために、前記第１のトーン数とは異なる第２のトーン数を有する第２のトーンプランに関連する第２の割振りユニットを割り振るための手段と、
少なくとも前記第１のトーンプランおよび前記第２のトーンプランに基づく、前記ワイヤレスデバイスのための組合せトーンプランを選択するための手段と、
前記組合せトーンプランに従って、前記ワイヤレスデバイスによる送信のためにワイヤレスメッセージを供給するための手段と、
を備える、ワイヤレス通信のための装置。
【請求項２８】
前記第１の割振りユニットが、２４個のデータトーン、４８個のデータトーン、１０２個のデータトーン、２３４個のデータトーン、４６８個のデータトーン、または９８０個のデータトーンのうちの１つを有し、前記第２の割振りユニットが、２４個のデータトーン、４８個のデータトーン、１０２個のデータトーン、２３４個のデータトーン、４６８個のデータトーン、または９８０個のデータトーンのうちの１つを有し、ここにおいて、前記第１の割振りユニットが、２６個の総トーン、５２個の総トーン、１０６個の総トーン、２４２個の総トーン、４８４個の総トーン、または９９６個の総トーンのうちの１つを有し、前記第２の割振りユニットが、２６個の総トーン、５２個の総トーン、１０６個の総トーン、２４２個の総トーン、４８４個の総トーン、または９９６個の総トーンのうちの１つを有する、請求項２７に記載の装置。
【請求項２９】
前記組合せトーンプランを選択するための手段が、
２つまたはそれ以上の２６トーン割振りユニット、５２トーン割振りユニット、１０６トーン割振りユニット、２４２トーン割振りユニット、４８４トーン割振りユニット、および９９６トーン割振りユニットの組合せを選択するための手段と、
前記選択された組合せに基づく前記組合せトーンプランとして、１５０個のデータトーン、２８２個のデータトーン、３３６個のデータトーン、５１６個のデータトーン、５７０個のデータトーン、７０２個のデータトーン、１０２８個のデータトーン、１０８２個のデータトーン、１２１４個のデータトーン、１４４８個のデータトーン、または１６８２個のデータトーンのうちの１つを有するトーンプランを選択するための手段と、
を備える、請求項２７に記載の装置。
【請求項３０】
実行されたとき、装置に、
ワイヤレスデバイスによる１つまたは複数のワイヤレスメッセージの通信のために、第１のトーン数を有する第１のトーンプランに関連する第１の割振りユニットを割り振ることと、
前記ワイヤレスデバイスによる１つまたは複数のワイヤレスメッセージの通信のために、前記第１のトーン数とは異なる第２のトーン数を有する第２のトーンプランに関連する第２の割振りユニットを割り振ることと、
少なくとも前記第１のトーンプランおよび前記第２のトーンプランに基づく、前記ワイヤレスデバイスのための組合せトーンプランを選択することと、
前記組合せトーンプランに従って、前記ワイヤレスデバイスによる送信のためにワイヤレスメッセージを供給することと、
を行わせるコードを備える非一時的コンピュータ可読媒体。
【発明の詳細な説明】
【技術分野】
【０００１】
優先権主張
[0001]本出願は、その各々の全体が参照により本明細書に組み込まれる、２０１４年８月１４日に出願された米国仮出願第６２／０３７，５４２号、２０１４年８月２０日に出願された米国仮出願第６２／０３９，８３２号、２０１４年１０月２２日に出願された米国仮出願第６２／０６７，３５７号、２０１５年８月１２日に出願された米国非仮出願第１４／８２５，１０８号の優先権を主張する。
【０００２】
[0002]本開示のいくつかの態様は、一般にワイヤレス通信に関し、より詳細には、様々なトーンプランに従ってメッセージを供給するための方法および装置に関する。
【背景技術】
【０００３】
[0003]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）と呼ばれることがある。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００４】
[0004]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用して、非誘導伝搬モードで無形物理媒体を採用する。ワイヤレスネットワークは、有利には、固定ワイヤードネットワークと比較して、ユーザモビリティと迅速なフィールド展開とを可能にする。
【０００５】
[0005]ワイヤレスネットワーク中のデバイスは、互いの間で情報を送信／受信することができる。デバイス送信は互いに干渉することがあり、いくつかの送信は他の送信を選択的に阻止することがある。多くのデバイスが通信ネットワークを共有する場合、輻輳および非効率的なリンク使用が生じることがある。したがって、ワイヤレスネットワークにおける通信効率を改善するためのシステム、方法、および非一時的コンピュータ可読媒体が必要とされる。
【発明の概要】
【０００６】
[0006]添付の特許請求の範囲内のシステム、方法およびデバイスの様々な実装形態は、それぞれいくつかの態様を有し、それらのうちの単一の態様が、単独で、本明細書で説明する望ましい属性を担当するとは限らない。添付の特許請求の範囲を限定することなしに、いくつかの顕著な特徴について本明細書で説明する。
【０００７】
[0007]本開示の一態様は、ワイヤレス通信の方法を提供する。本方法は、ワイヤレスデバイスによる１つまたは複数のワイヤレスメッセージの通信のために、第１のトーン数を有する第１のトーンプランに関連する第１の割振りユニット（allocation unit）を割り振ることを含む。本方法は、ワイヤレスデバイスによる１つまたは複数のワイヤレスメッセージの通信のために、第１のトーン数とは異なる第２のトーン数を有する第２のトーンプランに関連する第２の割振りユニットを割り振ることをさらに含む。本方法は、少なくとも第１のトーンプランおよび第２のトーンプランに基づく、ワイヤレスデバイスのための組合せトーンプランを選択することをさらに含む。本方法は、組合せトーンプランに従って、ワイヤレスデバイスによる送信のためにワイヤレスメッセージを供給することをさらに含む。
【０００８】
[0008]様々な実施形態では、本方法は、ワイヤレスデバイスによる１つまたは複数のワイヤレスメッセージの通信のために、第３のトーンプランに関連する第３の割振りユニットを割り振ることをさらに含むことができる。組合せトーンプランを選択することは、第３のトーンプランにさらに基づき得る。
【０００９】
[0009]様々な実施形態では、第１の割振りユニットは、２４個のデータトーン、４８個のデータトーン、１０２個のデータトーン、２３４個のデータトーン、４６８個のデータトーン、または９８０個のデータトーンのうちの１つを有し、第２の割振りユニットは、２４個のデータトーン、４８個のデータトーン、１０２個のデータトーン、２３４個のデータトーン、４６８個のデータトーン、または９８０個のデータトーンのうちの１つを有する。様々な実施形態では、第１の割振りユニットは、２６個の総トーン、５２個の総トーン、１０６個の総トーン、２４２個の総トーン、４８４個の総トーン、または９９６個の総トーンのうちの１つを有し、第２の割振りユニットは、２６個の総トーン、５２個の総トーン、１０６個の総トーン、２４２個の総トーン、４８４個の総トーン、または９９６個の総トーンのうちの１つを有する。
【００１０】
[0010]様々な実施形態では、組合せトーンプランを選択することは、２つまたはそれ以上の２６トーン割振りユニット、５２トーン割振りユニット、１０６トーン割振りユニット、２４２トーン割振りユニット、４８４トーン割振りユニット、および９９６トーン割振りユニットの組合せを選択することを含むことができる。組合せトーンプランを選択することは、選択された組合せに基づく組合せトーンプランとして、１５０個のデータトーン、２８２個のデータトーン、３３６個のデータトーン、５１６個のデータトーン、５７０個のデータトーン、７０２個のデータトーン、１０２８個のデータトーン、１０８２個のデータトーン、１２１４個のデータトーン、１４４８個のデータトーン、または１６８２個のデータトーンのうちの１つを有するトーンプランを選択することをさらに含むことができる。
【００１１】
[0011]様々な実施形態では、組合せトーンプランを選択することは、１０６トーン割振りユニットと組み合わせられた５２トーン割振りユニットに基づく１５０個のデータトーンを有するトーンプラン、２４２トーン割振りユニットと組み合わせられた５２トーン割振りユニットに基づく２８２個のデータトーンを有するトーンプラン、２４２トーン割振りユニットと組み合わせられた１０６トーン割振りユニットに基づく３３６個のデータトーンを有するトーンプラン、４８４トーン割振りユニットと組み合わせられた５２トーン割振りユニットに基づく５１６個のデータトーンを有するトーンプラン、４８４トーン割振りユニットと組み合わせられた１０６トーン割振りユニットに基づく５７０個のデータトーンを有するトーンプラン、４８４トーン割振りユニットと組み合わせられた２４２トーン割振りユニットに基づく７０２個のデータトーンを有するトーンプラン、９９６トーン割振りユニットと組み合わせられた５２トーン割振りユニットに基づく１０２８個のデータトーンを有するトーンプラン、９９６トーン割振りユニットと組み合わせられた１０６トーン割振りユニットに基づく１０８２個のデータトーンを有するトーンプラン、９９６トーン割振りユニットと組み合わせられた２４２トーン割振りユニットに基づく１２１４個のデータトーンを有するトーンプラン、９９６トーン割振りユニットと組み合わせられた４８４トーン割振りユニットに基づく１４４８個のデータトーンを有するトーンプラン、または４８４トーン割振りユニットおよび９９６トーン割振りユニットと組み合わせられた２４２トーン割振りユニットに基づく１６８２個のデータトーンを有するトーンプランのうちの少なくとも１つを選択することを含むことができる。
【００１２】
[0012]様々な実施形態では、送信のためにワイヤレスメッセージを供給することは、１９２トーンプラン、３２０トーンプラン、３８４トーンプラン、５７６トーンプラン、６４０トーンプラン、７６８トーンプラン、１０８８トーンプラン、１１５２トーンプラン、１２８０トーンプラン、１５３６トーンプラン、または１７９２トーンプランのうちの１つに従って、１５ＭＨｚチャネル、２５ＭＨｚチャネル、３０ＭＨｚチャネル、４５ＭＨｚチャネル、５０ＭＨｚチャネル、６０ＭＨｚチャネル、８５ＭＨｚチャネル、９０ＭＨｚチャネル、１００ＭＨｚチャネル、１２０ＭＨｚチャネル、または１４０ＭＨｚチャネルのうちの１つ上での送信のためにワイヤレスメッセージを供給することを含むことができる。
【００１３】
[0013]様々な実施形態では、送信のためにワイヤレスメッセージを供給することは、第１のトーンプランおよび第２のトーンプランに従って、第１の割振りユニットおよび第２の割振りユニット上でデータを別々に符号化および／またはインターリーブすることを含むことができる。様々な実施形態では、送信のためにワイヤレスメッセージを供給することは、関連するトーンプランに従って、１つのユーザに割り振られた第１の割振りユニットと第２の割振りユニットの両方上でデータを一緒に符号化することと、第１の割振りユニットおよび第２の割振りユニットを独立してインターリーブすることとを含むことができる。
【００１４】
[0014]様々な実施形態では、組合せトーンプランを選択することは、第１の割振りユニット、第２の割振りユニット、およびワイヤレスデバイスに割り振られた他の割振りユニット中に含まれるすべてのデータトーンの和に、データトーン数を設定することと、第１の割振りユニット、第２の割振りユニット、およびワイヤレスデバイスに割り振られた他の割振りユニット中に含まれるすべてのパイロットトーンの和に、パイロットトーン数を設定することと、バイナリ畳み込みコードインターリービング深度（interleaving depth）（ＮＣＯＬ）および低密度パリティチェックトーンマッピング距離（ＤＴＭ：tone mapping distance）に従って、第１の割振りユニットおよび第２の割振りユニットを別々に符号化および／またはインターリーブすることとによって組合せトーンプランを形成することを含むことができる。
【００１５】
[0015]様々な実施形態では、組合せトーンプランを選択することは、第１の割振りユニット、第２の割振りユニット、およびワイヤレスデバイスに割り振られた他の割振りユニット中に含まれるすべてのデータトーンの和に、データトーン数を設定することと、第１の割振りユニット、第２の割振りユニット、およびワイヤレスデバイスに割り振られた他の割振りユニット中に含まれるすべてのパイロットトーンの和に、パイロットトーン数を設定することと、第１の割振りユニット、第２の割振りユニット、およびワイヤレスデバイスに割り振られた他の割振りユニット上で、一緒に符号化およびインターリーブすることとによって組合せトーンプランを形成することを含むことができる。
【００１６】
[0016]様々な実施形態では、ワイヤレスデバイスはアクセスポイントを含むことができ、ここにおいて、送信のためにワイヤレスメッセージを供給することは、アクセスポイントによってサービスされる移動局に、アクセスポイントの送信機およびアンテナを通してワイヤレスメッセージを送信することを含む。様々な実施形態では、ワイヤレスデバイスは移動局を含むことができ、送信のためにワイヤレスメッセージを供給することは、移動局をサービスするアクセスポイントに、移動局の送信機およびアンテナを通してメッセージを送信することを含む。
【００１７】
[0017]別の態様は、ワイヤレス通信するように構成された装置を提供する。本装置は、命令を記憶するメモリを含む。本装置は、メモリと結合され、ワイヤレスデバイスによる１つまたは複数のワイヤレスメッセージの通信のために、第１のトーン数を有する第１のトーンプランに関連する第１の割振りユニットを割り振るために命令を実行するように構成された処理システムをさらに含む。処理システムは、ワイヤレスデバイスによる１つまたは複数のワイヤレスメッセージの通信のために、第１のトーン数とは異なる第２のトーン数を有する第２のトーンプランに関連する第２の割振りユニットを割り振るようにさらに構成される。処理システムは、少なくとも第１のトーンプランおよび第２のトーンプランに基づく、ワイヤレスデバイスのための組合せトーンプランを選択するようにさらに構成される。処理システムは、組合せトーンプランに従って、ワイヤレスデバイスによる送信のためにワイヤレスメッセージを供給するようにさらに構成される。
【００１８】
[0018]様々な実施形態では、処理システムは、ワイヤレスデバイスによる１つまたは複数のワイヤレスメッセージの通信のために、第３のトーンプランに関連する第３の割振りユニットを割り振るようにさらに構成され得る。処理システムは、組合せトーンプランを選択するように構成され得、第３のトーンプランにさらに基づく。
【００１９】
[0019]様々な実施形態では、第１の割振りユニットは、２４個のデータトーン、４８個のデータトーン、１０２個のデータトーン、２３４個のデータトーン、４６８個のデータトーン、または９８０個のデータトーンのうちの１つを有し、第２の割振りユニットは、２４個のデータトーン、４８個のデータトーン、１０２個のデータトーン、２３４個のデータトーン、４６８個のデータトーン、または９８０個のデータトーンのうちの１つを有する。様々な実施形態では、第１の割振りユニットは、２６個の総トーン、５２個の総トーン、１０６個の総トーン、２４２個の総トーン、４８４個の総トーン、または９９６個の総トーンのうちの１つを有し、第２の割振りユニットは、２６個の総トーン、５２個の総トーン、１０６個の総トーン、２４２個の総トーン、４８４個の総トーン、または９９６個の総トーンのうちの１つを有する。
【００２０】
[0020]様々な実施形態では、処理システムは、２つまたはそれ以上の２６トーン割振りユニット、５２トーン割振りユニット、１０６トーン割振りユニット、２４２トーン割振りユニット、４８４トーン割振りユニット、および９９６トーン割振りユニットの組合せを選択することと、選択された組合せに基づく組合せトーンプランとして、１５０個のデータトーン、２８２個のデータトーン、３３６個のデータトーン、５１６個のデータトーン、５７０個のデータトーン、７０２個のデータトーン、１０２８個のデータトーン、１０８２個のデータトーン、１２１４個のデータトーン、１４４８個のデータトーン、または１６８２個のデータトーンのうちの１つを有するトーンプランを選択することとによって組合せトーンプランを選択するように構成され得る。
【００２１】
[0021]様々な実施形態では、処理システムは、１０６トーン割振りユニットと組み合わせられた５２トーン割振りユニットに基づく１５０個のデータトーンを有するトーンプラン、２４２トーン割振りユニットと組み合わせられた５２トーン割振りユニットに基づく２８２個のデータトーンを有するトーンプラン、２４２トーン割振りユニットと組み合わせられた１０６トーン割振りユニットに基づく３３６個のデータトーンを有するトーンプラン、４８４トーン割振りユニットと組み合わせられた５２トーン割振りユニットに基づく５１６個のデータトーンを有するトーンプラン、４８４トーン割振りユニットと組み合わせられた１０６トーン割振りユニットに基づく５７０個のデータトーンを有するトーンプラン、４８４トーン割振りユニットと組み合わせられた２４２トーン割振りユニットに基づく７０２個のデータトーンを有するトーンプラン、９９６トーン割振りユニットと組み合わせられた５２トーン割振りユニットに基づく１０２８個のデータトーンを有するトーンプラン、９９６トーン割振りユニットと組み合わせられた１０６トーン割振りユニットに基づく１０８２個のデータトーンを有するトーンプラン、９９６トーン割振りユニットと組み合わせられた２４２トーン割振りユニットに基づく１２１４個のデータトーンを有するトーンプラン、９９６トーン割振りユニットと組み合わせられた４８４トーン割振りユニットに基づく１４４８個のデータトーンを有するトーンプラン、または４８４トーン割振りユニットおよび９９６トーン割振りユニットと組み合わせられた２４２トーン割振りユニットに基づく１６８２個のデータトーンを有するトーンプランのうちの少なくとも１つを選択することによって、組合せトーンプランを選択するように構成され得る。
【００２２】
[0022]様々な実施形態では、送信のためにワイヤレスメッセージを供給することは、１９２トーンプラン、３２０トーンプラン、３８４トーンプラン、５７６トーンプラン、６４０トーンプラン、７６８トーンプラン、１０８８トーンプラン、１１５２トーンプラン、１２８０トーンプラン、１５３６トーンプラン、または１７９２トーンプランのうちの１つに従って、１５ＭＨｚチャネル、２５ＭＨｚチャネル、３０ＭＨｚチャネル、４５ＭＨｚチャネル、５０ＭＨｚチャネル、６０ＭＨｚチャネル、８５ＭＨｚチャネル、９０ＭＨｚチャネル、１００ＭＨｚチャネル、１２０ＭＨｚチャネル、または１４０ＭＨｚチャネルのうちの１つ上での送信のためにワイヤレスメッセージを供給することを含むことができる。
【００２３】
[0023]様々な実施形態では、処理システムは、第１のトーンプランおよび第２のトーンプランに従って、第１の割振りユニットおよび第２の割振りユニット上でデータを別々に符号化および／またはインターリーブすることによって、送信のためにワイヤレスメッセージを供給するように構成され得る。様々な実施形態では、
【００２４】
[0024]様々な実施形態では、処理システムは、関連するトーンプランに従って、１つのユーザに割り振られた第１の割振りユニットと第２の割振りユニットの両方上でデータを一緒に符号化することと、第１の割振りユニットおよび第２の割振りユニットを独立してインターリーブすることとによって、送信のためにワイヤレスメッセージを供給するように構成され得る。
【００２５】
[0025]様々な実施形態では、処理システムは、第１の割振りユニット、第２の割振りユニット、およびワイヤレスデバイスに割り振られた他の割振りユニット中に含まれるすべてのデータトーンの和に、データトーン数を設定することと、第１の割振りユニット、第２の割振りユニット、およびワイヤレスデバイスに割り振られた他の割振りユニット中に含まれるすべてのパイロットトーンの和に、パイロットトーン数を設定することと、バイナリ畳み込みコードインターリービング深度（ＮＣＯＬ）および低密度パリティチェックトーンマッピング距離（ＤＴＭ）に従って、第１の割振りユニットおよび第２の割振りユニットを別々に符号化および／またはインターリーブすることとによって組合せトーンプランを形成することによって、組合せトーンプランを選択するように構成され得る。
【００２６】
[0026]様々な実施形態では、処理システムは、第１の割振りユニット、第２の割振りユニット、およびワイヤレスデバイスに割り振られた他の割振りユニット中に含まれるすべてのデータトーンの和に、データトーン数を設定することと、第１の割振りユニット、第２の割振りユニット、およびワイヤレスデバイスに割り振られた他の割振りユニット中に含まれるすべてのパイロットトーンの和に、パイロットトーン数を設定することと、第１の割振りユニット、第２の割振りユニット、およびワイヤレスデバイスに割り振られた他の割振りユニット上で、一緒に符号化およびインターリーブすることとによって組合せトーンプランを形成することによって、組合せトーンプランを選択するように構成され得る。
【００２７】
[0027]様々な実施形態では、本装置はアクセスポイントを含むことができる。本装置は、アクセスポイントによってサービスされる移動局にワイヤレスメッセージを送信するように構成された送信機およびアンテナをさらに含むことができる。様々な実施形態では、本装置は移動局を含むことができる。本装置は、移動局をサービスするアクセスポイントにワイヤレスメッセージを送信するように構成された送信機およびアンテナをさらに含むことができる。
【００２８】
[0028]別の態様は、ワイヤレス通信のための別の装置を提供する。本装置は、ワイヤレスデバイスによる１つまたは複数のワイヤレスメッセージの通信のために、第１のトーン数を有する第１のトーンプランに関連する第１の割振りユニットを割り振るための手段を含む。本装置は、ワイヤレスデバイスによる１つまたは複数のワイヤレスメッセージの通信のために、第１のトーン数とは異なる第２のトーン数を有する第２のトーンプランに関連する第２の割振りユニットを割り振るための手段をさらに含む。本装置は、少なくとも第１のトーンプランおよび第２のトーンプランに基づく、ワイヤレスデバイスのための組合せトーンプランを選択するための手段をさらに含む。本装置は、組合せトーンプランに従って、ワイヤレスデバイスによる送信のためにワイヤレスメッセージを供給するための手段をさらに含む。
【００２９】
[0029]様々な実施形態では、本装置は、ワイヤレスデバイスによる１つまたは複数のワイヤレスメッセージの通信のために、第３のトーンプランに関連する第３の割振りユニットを割り振るための手段をさらに含むことができる。組合せトーンプランを選択することは、第３のトーンプランにさらに基づき得る。
【００３０】
[0030]様々な実施形態では、第１の割振りユニットは、２４個のデータトーン、４８個のデータトーン、１０２個のデータトーン、２３４個のデータトーン、４６８個のデータトーン、または９８０個のデータトーンのうちの１つを有し、第２の割振りユニットは、２４個のデータトーン、４８個のデータトーン、１０２個のデータトーン、２３４個のデータトーン、４６８個のデータトーン、または９８０個のデータトーンのうちの１つを有する。様々な実施形態では、第１の割振りユニットは、２６個の総トーン、５２個の総トーン、１０６個の総トーン、２４２個の総トーン、４８４個の総トーン、または９９６個の総トーンのうちの１つを有し、第２の割振りユニットは、２６個の総トーン、５２個の総トーン、１０６個の総トーン、２４２個の総トーン、４８４個の総トーン、または９９６個の総トーンのうちの１つを有する。
【００３１】
[0031]様々な実施形態では、組合せトーンプランを選択するための手段は、２つまたはそれ以上の２６トーン割振りユニット、５２トーン割振りユニット、１０６トーン割振りユニット、２４２トーン割振りユニット、４８４トーン割振りユニット、および９９６トーン割振りユニットの組合せを選択するための手段と、選択された組合せに基づく組合せトーンプランとして、１５０個のデータトーン、２８２個のデータトーン、３３６個のデータトーン、５１６個のデータトーン、５７０個のデータトーン、７０２個のデータトーン、１０２８個のデータトーン、１０８２個のデータトーン、１２１４個のデータトーン、１４４８個のデータトーン、または１６８２個のデータトーンのうちの１つを有するトーンプランを選択するための手段とを含むことができる。
【００３２】
[0032]別の態様は、非一時的コンピュータ可読媒体を提供する。本媒体は、実行されたとき、装置に、ワイヤレスデバイスによる１つまたは複数のワイヤレスメッセージの通信のために、第１のトーン数を有する第１のトーンプランに関連する第１の割振りユニットを割り振ることを行わせるコードを含む。本媒体は、実行されたとき、装置に、ワイヤレスデバイスによる１つまたは複数のワイヤレスメッセージの通信のために、第１のトーン数とは異なる第２のトーン数を有する第２のトーンプランに関連する第２の割振りユニットを割り振ることを行わせるコードをさらに含む。本媒体は、実行されたとき、装置に、少なくとも第１のトーンプランおよび第２のトーンプランに基づく、ワイヤレスデバイスのための組合せトーンプランを選択することを行わせるコードをさらに含む。本媒体は、実行されたとき、装置に、組合せトーンプランに従って、ワイヤレスデバイスによる送信のためにワイヤレスメッセージを供給することを行わせるコードをさらに含む。
【００３３】
[0033]本明細書で説明する主題の１つまたは複数の実装形態の詳細を添付の図面および以下の説明に記載する。他の特徴、態様、および利点は、説明、図面、および特許請求の範囲から明らかになるであろう。以下の図の相対寸法は一定の縮尺で描かれていないことがあることに留意されたい。
【図面の簡単な説明】
【００３４】
【図１】[0034]本開示の態様が採用され得るワイヤレス通信システムの一例を示す図。
【図２】[0035]図１のワイヤレス通信システム内で採用され得るワイヤレスデバイスにおいて利用され得る様々な構成要素を示す図。
【図３】[0036]一実施形態による、例示的な２Ｎトーンプランを示す図。
【図４】[0037]単一のユーザがあるときの、様々な実施形態による、６４トーンプラン、１２８トーンプラン、２５６トーンプラン、５１２トーンプラン、および１０２４トーンプランについての上限を示す図。
【図５Ａ】[0038]様々な実施形態による、６４トーン５ＭＨｚトーンプランについての上限を示す図。
【図５Ｂ】[0039]いくつかの既存のトーンプランを含む、他の可能なトーンプランに対する実現可能な５ＭＨｚトーンプランのいずれかからの利得を示す図。
【図６Ａ】[0040]様々な実施形態による、１２８トーン１０ＭＨｚトーンプランについての上限を示す図。
【図６Ｂ】[0041]いくつかの既存のトーンプランを含む、他の可能なトーンプランに対する実現可能な１０ＭＨｚトーンプランのいずれかからの利得を示す図。
【図７Ａ】[0042]様々な実施形態による、１９２トーン１５ＭＨｚトーンプランについての上限を示す図。
【図７Ｂ】[0043]いくつかの既存のトーンプランを含む、他の可能なトーンプランに対する実現可能な１５ＭＨｚトーンプランのいずれかからの利得を示す図。
【図８Ａ】[0044]様々な実施形態による、２５６トーン２０ＭＨｚトーンプランについての上限を示す図。
【図８Ｂ】[0045]いくつかの既存のトーンプランを含む、他の可能なトーンプランに対する実現可能な２０ＭＨｚトーンプランのいずれかからの利得を示す図。
【図９Ａ】[0046]様々な実施形態による、３８４トーン３０ＭＨｚトーンプランについての上限を示す図。
【図９Ｂ】[0047]いくつかの既存のトーンプランを含む、他の可能なトーンプランに対する実現可能な３０ＭＨｚトーンプランのいずれかからの利得を示す図。
【図１０Ａ】[0048]様々な実施形態による、５１２トーン４０ＭＨｚトーンプランについての上限を示す図。
【図１０Ｂ】[0049]いくつかの既存のトーンプランを含む、他の可能なトーンプランに対する実現可能な４０ＭＨｚトーンプランのいずれかからの利得を示す図。
【図１１Ａ】[0050]様々な実施形態による、７６８トーン６０ＭＨｚトーンプランについての上限を示す図。
【図１１Ｂ】[0051]いくつかの既存のトーンプランを含む、他の可能なトーンプランに対する実現可能な６０ＭＨｚトーンプランのいずれかからの利得を示す図。
【図１２Ａ】[0052]様々な実施形態による、１０２４トーン８０ＭＨｚトーンプランについての上限を示す図。
【図１２Ｂ】[0053]いくつかの既存のトーンプランを含む、他の可能なトーンプランに対する実現可能な８０ＭＨｚトーンプランのいずれかからの利得を示す図。
【図１３Ａ】[0054]様々な実施形態による、１２８０トーン１００ＭＨｚトーンプランについての上限を示す図。
【図１３Ｂ】[0055]いくつかの既存のトーンプランを含む、他の可能なトーンプランに対する実現可能な１００ＭＨｚトーンプランのいずれかからの利得を示す図。
【図１４Ａ】[0056]様々な実施形態による、１５３６トーン１２０ＭＨｚトーンプランについての上限を示す図。
【図１４Ｂ】[0057]いくつかの既存のトーンプランを含む、他の可能なトーンプランに対する実現可能な１２０ＭＨｚトーンプランのいずれかからの利得を示す図。
【図１５Ａ】[0058]様々な実施形態による、１７９２トーン１４０ＭＨｚトーンプランについての上限を示す図。
【図１５Ｂ】[0059]いくつかの既存のトーンプランを含む、他の可能なトーンプランに対する実現可能な１４０ＭＨｚトーンプランのいずれかからの利得を示す図。
【図１６】[0060]一実施形態による、直交周波数分割多元接続（ＯＦＤＭＡ）トーンプランのためのインターリービングパラメータを生成するように動作可能であるシステムを示す図。
【図１７】[0061]ワイヤレス通信を送信および受信するために、図１６のワイヤレスデバイスなど、ワイヤレスデバイスにおいて実装され得る例示的な多入力多出力（ＭＩＭＯ）システムを示す図。
【図１８】[0062]６４トーンプラン実施形態による、様々なデータトーン数のための候補インターリーバパラメータを示すチャート。
【図１９】[0063]１２８トーンプラン実施形態による、様々なデータトーン数のための候補インターリーバパラメータを示すチャート。
【図２０】[0064]１９２トーンプラン実施形態による、様々なデータトーン数のための候補インターリーバパラメータを示すチャート。
【図２１】[0065]２５６トーンプラン実施形態による、様々なデータトーン数のための候補インターリーバパラメータを示すチャート。
【図２２】[0066]３８４トーンプラン実施形態による、様々なデータトーン数のための候補インターリーバパラメータを示すチャート。
【図２３】[0067]５１２トーンプラン実施形態による、様々なデータトーン数のための候補インターリーバパラメータを示すチャート。
【図２４】[0068]７６８トーンプラン実施形態による、様々なデータトーン数のための候補インターリーバパラメータを示すチャート。
【図２５】[0069]１０２４トーンプラン実施形態による、様々なデータトーン数のための候補インターリーバパラメータを示すチャート。
【図２６】[0070]１２８０トーンプラン実施形態による、様々なデータトーン数のための候補インターリーバパラメータを示すチャート。
【図２７】[0071]１５３６トーンプラン実施形態による、様々なデータトーン数のための候補インターリーバパラメータを示すチャート。
【図２８】[0072]１７９２トーンプラン実施形態による、様々なデータトーン数のための候補インターリーバパラメータを示すチャート。
【図２９】[0073]別の６４トーンプラン実施形態による、様々なデータトーン数のための候補インターリーバパラメータを示すチャート。
【図３０】[0074]別の１２８トーンプラン実施形態による、様々なデータトーン数のための候補インターリーバパラメータを示すチャート。
【図３１】[0075]別の２５６トーンプラン実施形態による、様々なデータトーン数のための候補インターリーバパラメータを示すチャート。
【図３２】[0076]５１２トーンプラン実施形態による、様々なデータトーン数のための候補インターリーバパラメータを示すチャート。
【図３３】[0077]１０２４トーンプラン実施形態による、様々なデータトーン数のための候補インターリーバパラメータを示すチャート。
【図３４】[0078]様々な実施形態による、３２０トーン２５ＭＨｚトーンプランについての上限を示す図。
【図３５】[0079]様々な実施形態による、５７６トーン４５ＭＨｚトーンプランについての上限を示す図。
【図３６】[0080]様々な実施形態による、６４０トーン５０ＭＨｚトーンプランについての上限を示す図。
【図３７】[0081]様々な実施形態による、１０８８トーン８５ＭＨｚトーンプランについての上限を示す図。
【図３８】[0082]様々な実施形態による、１１５２トーン９０ＭＨｚトーンプランについての上限を示す図。
【図３９】[0083]様々な実施形態による、複数の割振りユニットを使用する例示的なサブバンド形成を示す図。
【図４０】[0084]図１のワイヤレス通信システム１００内で採用され得るワイヤレス通信の例示的な方法のフローチャートを示す図。
【図４１】[0085]様々な実施形態による、３２トーン２．５ＭＨｚトーンプランについての上限を示す図。
【図４２】[0086]３２トーンプラン実施形態による、様々なデータトーン数のための候補インターリーバパラメータを示すチャート。
【図４３】[0087]様々な実施形態による、複数の割振りユニットを使用する例示的なサブバンド形成を示す図。
【図４４】[0088]様々な実施形態による、図４３の複数の割振りユニットを使用するサブバンド形成のための例示的なデータトーン選定を示すチャート。
【図４５】[0089]図１のワイヤレス通信システム１００内で採用され得るワイヤレス通信の例示的な方法の別のフローチャートを示す図。
【発明を実施するための形態】
【００３５】
[0090]添付の図面を参照しながら、新規のシステム、装置、および方法の様々な態様について以下でより十分に説明する。ただし、教示開示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示する新規のシステム、装置、および方法のいかなる態様をもカバーするものであることを、当業者は諒解されたい。たとえば、本明細書に記載する態様をいくつ使用しても、装置は実装され得、または方法は実施され得る。さらに、本発明の範囲は、本明細書に記載する本発明の様々な態様に加えてまたはそれらの態様以外に、他の構造、機能、または構造および機能を使用して実施されるそのような装置または方法をカバーするものとする。本明細書で開示するいかなる態様も請求項の１つまたは複数の要素によって実施され得ることを理解されたい。
【００３６】
[0091]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
【００３７】
デバイスを実装すること
[0092]ワイヤレスネットワーク技術は、様々なタイプのワイヤレスローカルエリアネットワーク（ＷＬＡＮ）を含むことができる。ＷＬＡＮは、広く使用されるネットワーキングプロトコルを採用して、近接デバイスを互いに相互接続するために使用され得る。本明細書で説明する様々な態様は、Ｗｉ−Ｆｉ（登録商標）、またはより一般的には、ワイヤレスプロトコルの米国電気電子技術者協会（ＩＥＥＥ）８０２．１１ファミリーの任意のメンバーなど、任意の通信規格に適用され得る。
【００３８】
[0093]いくつかの態様では、ワイヤレス信号は、直交周波数分割多重（ＯＦＤＭ）、直接シーケンススペクトラム拡散（ＤＳＳＳ：direct-sequence spread spectrum）通信、ＯＦＤＭとＤＳＳＳ通信との組合せ、または他の方式を使用して、高効率８０２．１１プロトコルに従って送信され得る。
【００３９】
[0094]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントがあり得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（たとえば、８０２．１１ａｘなどのＩＥＥＥ８０２．１１プロトコル）準拠ワイヤレスリンクを介してＡＰに接続する。いくつかの実装形態では、ＳＴＡはＡＰとして使用されることもある。
【００４０】
[0095]本明細書で説明する技法は、直交多重化方式に基づく通信システムを含む様々なブロードバンドワイヤレス通信システムのために使用され得る。そのような通信システムの例としては、空間分割多元接続（ＳＤＭＡ）システム、時分割多元接続（ＴＤＭＡ）システム、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用することができる。ＴＤＭＡシステムは、送信信号を異なるタイムスロットに分割することによって、複数のユーザ端末が同じ周波数チャネルを共有することを可能にすることができ、各タイムスロットは異なるユーザ端末に割り当てられる。ＴＤＭＡシステムは、モバイル用グローバルシステム（ＧＳＭ（登録商標））または当技術分野で知られている何らかの他の規格を実装することができる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアはデータで独立して変調され得る。ＯＦＤＭシステムは、ＩＥＥＥ８０２．１１または当技術分野で知られている何らかの他の規格を実装することができる。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。概して、変調シンボルは、ＯＦＤＭでは周波数領域で、ＳＣ−ＦＤＭでは時間領域で送られる。ＳＣ−ＦＤＭＡシステムは、３ＧＰＰ−ＬＴＥ（登録商標）（第３世代パートナーシッププロジェクトロングタームエボリューション（3rd Generation Partnership Project Long Term Evolution））または他の規格を実装することができる。
【００４１】
[0096]本明細書の教示は、様々なワイヤードまたはワイヤレス装置（たとえば、ノード）に組み込まれ得る（たとえば、その装置内で実装されるか、またはその装置によって実施され得る）。いくつかの態様では、本明細書の教示に従って実装されるワイヤレスノードはアクセスポイントまたはアクセス端末を備えることができる。
【００４２】
[0097]アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００４３】
[0098]また、局「ＳＴＡ」は、ユーザ端末、アクセス端末（「ＡＴ」）、加入者局、加入者ユニット、移動局、リモート局、リモート端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００４４】
[0099]図１に、本開示の態様が採用され得るワイヤレス通信システム１００の一例を示す。ワイヤレス通信システム１００は、ワイヤレス規格、たとえば８０２．１１ａｘ規格に従って動作することができる。ワイヤレス通信システム１００は、ＳＴＡ１０６Ａ〜１０６Ｄと通信するＡＰ１０４を含むことができる。
【００４５】
[00100]様々なプロセスおよび方法は、ＡＰ１０４とＳＴＡ１０６Ａ〜１０６Ｄとの間の、ワイヤレス通信システム１００における送信のために使用され得る。たとえば、信号は、ＯＦＤＭ／ＯＦＤＭＡ技法に従って、ＡＰ１０４とＳＴＡ１０６Ａ〜１０６Ｄとの間で送信および受信され得る。そうである場合、ワイヤレス通信システム１００はＯＦＤＭ／ＯＦＤＭＡシステムと呼ばれることがある。代替的に、信号は、符号分割多元接続（ＣＤＭＡ）技法に従って、ＡＰ１０４とＳＴＡ１０６Ａ〜１０６Ｄとの間で送信および受信され得る。そうである場合、ワイヤレス通信システム１００はＣＤＭＡシステムと呼ばれることがある。
【００４６】
[00101]ＡＰ１０４からＳＴＡ１０６Ａ〜１０６Ｄのうちの１つまたは複数への送信を可能にする通信リンクはダウンリンク（ＤＬ）１０８と呼ばれることがあり、ＳＴＡ１０６Ａ〜１０６Ｄのうちの１つまたは複数からＡＰ１０４への送信を可能にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００４７】
[00102]ＡＰ１０４は、基本サービスエリア（ＢＳＡ）１０２においてワイヤレス通信カバレージを与えることができる。ＡＰ１０４は、ＡＰ１０４に関連付けられ、通信のためにＡＰ１０４を使用するＳＴＡ１０６Ａ〜１０６Ｄとともに、基本サービスセット（ＢＳＳ）と呼ばれることがある。ワイヤレス通信システム１００は、中央ＡＰ１０４を有しないことがあり、むしろ、ＳＴＡ１０６Ａ〜１０６Ｄ間のピアツーピアネットワークとして機能することができることに留意されたい。したがって、本明細書で説明するＡＰ１０４の機能は、代替的にＳＴＡ１０６Ａ〜１０６Ｄのうちの１つまたは複数によって実施され得る。
【００４８】
[00103]図２に、ワイヤレス通信システム１００内で採用され得るワイヤレスデバイス２０２において利用され得る様々な構成要素を示す。ワイヤレスデバイス２０２は、本明細書で説明する様々な方法を実装するように構成され得るデバイスの一例である。たとえば、ワイヤレスデバイス２０２は、ＡＰ１０４を備えるか、またはＳＴＡ１０６Ａ〜１０６Ｄのうちの１つを備えることができる。
【００４９】
[00104]ワイヤレスデバイス２０２は、ワイヤレスデバイス２０２の動作を制御するプロセッサ２０４を含むことができる。プロセッサ２０４は中央処理ユニット（ＣＰＵ）と呼ばれることもある。読取り専用メモリ（ＲＯＭ）とランダムアクセスメモリ（ＲＡＭ）の両方を含むことができるメモリ２０６は、プロセッサ２０４に命令とデータとを供給する。メモリ２０６の一部分は不揮発性ランダムアクセスメモリ（ＮＶＲＡＭ）をも含むことができる。プロセッサ２０４は、一般に、メモリ２０６内に記憶されたプログラム命令に基づいて論理演算と算術演算とを実施する。メモリ２０６中の命令は、本明細書で説明する方法を実装するように実行可能であり得る。
【００５０】
[00105]プロセッサ２０４は、１つまたは複数のプロセッサを用いて実装された処理システムを備えるか、またはその処理システムの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実施することができる任意の他の好適なエンティティの任意の組合せを用いて実装され得る。
【００５１】
[00106]処理システムは、ソフトウェアを記憶するための機械可読媒体をも含むことができる。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含むことができる。命令は、１つまたは複数のプロセッサによって実行されたとき、本明細書で説明する様々な機能を処理システムに実施させる。
【００５２】
[00107]ワイヤレスデバイス２０２はまた、ワイヤレスデバイス２０２と遠隔ロケーションとの間のデータの送信および受信を可能にするために送信機２１０と受信機２１２とを含むことができるハウジング２０８を含むことができる。送信機２１０と受信機２１２とは組み合わせられてトランシーバ２１４になり得る。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナを含むことができ（図示せず）、たとえば、それは、ＭＩＭＯ通信中に利用され得る。
【００５３】
[00108]ワイヤレスデバイス２０２は、トランシーバ２１４によって受信された信号のレベルを検出し、定量化するために使用され得る信号検出器２１８をも含むことができる。信号検出器２１８は、そのような信号を、総エネルギー、シンボルごとのサブキャリア当たりのエネルギー、電力スペクトル密度および他の信号として検出することができる。ワイヤレスデバイス２０２は、信号を処理する際に使用するためのデジタル信号プロセッサ（ＤＳＰ）２２０をも含むことができる。ＤＳＰ２２０は、送信のためにデータユニットを生成するように構成され得る。いくつかの態様では、データユニットは物理レイヤデータユニット（ＰＰＤＵ：physical layer data unit）を備えることができる。いくつかの態様では、ＰＰＤＵはパケットと呼ばれる。
【００５４】
[00109]ワイヤレスデバイス２０２は、いくつかの態様では、ユーザインターフェース２２２をさらに備えることができる。ユーザインターフェース２２２は、キーパッド、マイクロフォン、スピーカー、および／またはディスプレイを備えることができる。ユーザインターフェース２２２は、ワイヤレスデバイス２０２のユーザに情報を伝達し、および／またはユーザからの入力を受信する、任意の要素または構成要素を含むことができる。
【００５５】
[00110]ワイヤレスデバイス２０２の様々な構成要素は、バスシステム２２６によって互いに結合され得る。バスシステム２２６は、たとえば、データバスを含むことができ、ならびに、データバスに加えて、電力バス、制御信号バス、およびステータス信号バスを含むことができる。ワイヤレスデバイス２０２の構成要素は、何らかの他の機構を使用して、互いに結合されるか、あるいは互いに対する入力を受け付けるかまたは供給し得ることを、当業者は諒解されよう。
【００５６】
[00111]図２には、いくつかの別個の構成要素が示されているが、構成要素のうちの１つまたは複数が組み合わせられるか、または共通に実装され得ることを、当業者は認識されよう。たとえば、プロセッサ２０４は、プロセッサ２０４に関して上記で説明した機能を実装するためだけでなく、信号検出器２１８および／またはＤＳＰ２２０に関して上記で説明した機能を実装するためにも使用され得る。さらに、図２に示された構成要素の各々は、複数の別個の要素を使用して実装され得る。
【００５７】
[00112]上記で説明したように、ワイヤレスデバイス２０２は、ＡＰ１０４またはＳＴＡ１０６Ａを備えることができ、通信を送信および／または受信するために使用され得る。ワイヤレスネットワークにおけるデバイス間で交換される通信は、パケットまたはフレームを備えることができるデータユニットを含むことができる。いくつかの態様では、データユニットは、データフレーム、制御フレーム、および／または管理フレームを含むことができる。データフレームは、ＡＰおよび／またはＳＴＡから他のＡＰおよび／またはＳＴＡにデータを送信するために使用され得る。制御フレームは、様々な動作を実施するために、およびデータを確実に配信するために、データフレームとともに使用され得る（たとえば、データの受信を肯定応答すること、ＡＰのポーリング、エリアクリアリング動作、チャネル取得、キャリア検知維持機能など）。管理フレームは、（たとえば、ワイヤレスネットワークに加わり、そのネットワークから離れるなどのための）様々な監視機能のために使用され得る。
【００５８】
[00113]本開示のいくつかの態様は、ＡＰ１０４が、効率を改善するために最適化された方法でＳＴＡ１０６Ａ〜１０６Ｄ送信を割り振ることを可能にすることをサポートする。高効率ワイヤレス（ＨＥＷ）局、（８０２．１１ａｘなどの）８０２．１１高効率プロトコルを利用する局、および（８０２．１１ｂなどの）より古いまたはレガシー８０２．１１プロトコルを使用する局の両方は、ワイヤレス媒体にアクセスする際に、互いに競合または協調することがある。いくつかの実施形態では、本明細書で説明する高効率８０２．１１プロトコルは、ＨＥＷおよびレガシー局が、（トーンマップと呼ばれることもある）様々なＯＦＤＭＡトーンプランに従って相互動作することを可能にすることができる。いくつかの実施形態では、ＨＥＷ局は、ＯＦＤＭＡにおける多元接続技法を使用することなどによって、より効率的な様式でワイヤレス媒体にアクセスすることができる。したがって、集合住宅または人口密度の高い公共空間の場合、高効率８０２．１１プロトコルを使用するＡＰおよび／またはＳＴＡは、アクティブなワイヤレスデバイスの数が増加するときでも、レイテンシの低減およびネットワークスループットの増加を経験し、それにより、ユーザエクスペリエンスを改善することができる。
【００５９】
[00114]いくつかの実施形態では、ＡＰ１０４は、ＨＥＷ  ＳＴＡのための様々なＤＬトーンプランに従ってワイヤレス媒体上で送信することができる。たとえば、図１に関して、ＳＴＡ１０６Ａ〜１０６ＤはＨＥＷ  ＳＴＡであり得る。いくつかの実施形態では、ＨＥＷ  ＳＴＡは、レガシーＳＴＡのシンボル持続時間の４倍のシンボル持続時間を使用して通信することができる。したがって、送信される各シンボルは、持続時間が４倍長いことがある。より長いシンボル持続時間を使用するとき、個々のトーンの各々は、送信されるべき帯域幅の１／４程度のみを必要とし得る。たとえば、様々な実施形態では、１ｘシンボル持続時間は４ｍｓであり得、４ｘシンボル持続時間は１６ｍｓであり得る。ＡＰ１０４は、通信帯域幅に基づいて、１つまたは複数のトーンプランに従ってＨＥＷ  ＳＴＡ１０６Ａ〜１０６Ｄにメッセージを送信することができる。いくつかの態様では、ＡＰ１０４は、ＯＦＤＭＡを使用して同時に複数のＨＥＷ  ＳＴＡに送信するように構成され得る。
【００６０】
効率的なトーンプラン設計
[00115]図３に、一実施形態による、例示的な２Ｎトーンプラン３００を示す。一実施形態では、トーンプラン３００は、２Ｎ点高速フーリエ変換（ＦＦＴ）を使用して生成された、周波数領域におけるＯＦＤＭトーンに対応する。トーンプラン３００は、−Ｎ〜Ｎ−１でインデックス付けされた２Ｎ個のＯＦＤＭトーンを含む。トーンプラン３００は、ガードトーン３１０の２つのセットと、データ／パイロットトーン３２０の２つのセットと、直流（ＤＣ）トーン３３０のセットとを含む。様々な実施形態では、ガードトーン３１０およびＤＣトーン３３０はヌルであり得る。様々な実施形態では、トーンプラン３００は、別の好適な数のパイロットトーンを含み、および／または他の好適なトーンロケーションにあるパイロットトーンを含む。
【００６１】
[00116]２Ｎトーンプラン３００が図３に示されているが、Ｎの任意の値についての同様のトーンプラン（特に、３２トーンプラン、４８トーンプラン、６４トーンプラン、９６トーンプラン、１２８トーンプラン、１９２トーンプラン、２５６トーンプラン、３２０トーンプラン、３８４トーンプラン、４４８トーンプラン、５１２トーンプラン、７６８トーンプラン、１０２４トーンプラン、１２８０トーンプラン、１５３６トーンプラン、１７９２トーンプラン、および２０４８トーンプランなど）が使用され得る。様々な実施形態では、各トーンプランは、たとえば、５ＭＨｚ、１０ＭＨｚ、２０ＭＨｚ、４０ＭＨｚ、８０ＭＨｚ、および１６０ＭＨｚなどの通信帯域幅に対応することができる。
【００６２】
[00117]いくつかの態様では、様々なＩＥＥＥ８０２．１１プロトコルと比較して、４ｘシンボル持続時間を使用する送信のために、ＯＦＤＭＡトーンプランが与えられ得る。たとえば、４ｘシンボル持続時間は、持続時間が各々１６ｍｓであるいくつかのシンボルを使用し得る。いくつかの態様では、ＯＦＤＭＡトーンプランは、１２個のデータトーンの最小ＯＦＤＭＡ割振りを使用し得る。たとえば、ＵＬ  ＯＦＤＭＡ送信を送信しているかまたはＤＬ  ＯＦＤＭＡ送信を受信している各デバイスは、少なくとも１２個のデータトーンを割り当てられ得る。したがって、ＵＬ  ＯＦＤＭＡ割振りサイズとＤＬ  ＯＦＤＭＡ割振りサイズの両方は、１２個のトーン、ならびにＩＥＥＥ８０２．１１ａｈ規格に記載されている既存のサイズ（２３個のトーン、５３個のトーン、１０８個のトーン、および２３４個のトーン）であり得る。さらに、ＯＦＤＭＡ割振りユニットの数は、送信ごとに８つまたは１６個の割振りユニットなどに上限を定められ得る。各ユーザは、これらの割振りユニットのうちの最大２つの上で受信または送信し得る。この上限は、シグナリングオーバーヘッドを制限し得る。さらに、１２個のトーンの倍数と等価なサイズをもつよりフレキシブルなＯＦＤＭＡを設計すること（たとえば、サブバンドごとに１２個のデータトーン、３６個のデータトーン、または７２個のデータトーン）が考えられ得る。
【００６３】
[00118]いくつかの態様では、ＯＦＤＭＡサブバンドは、いくつかの異なるサイズになることがある。たとえば、ＯＦＤＭＡサブバンドは、５ＭＨｚ、１０ＭＨｚ、１５ＭＨｚ、２０ＭＨｚ、３０ＭＨｚ、４０ＭＨｚ、６０ＭＨｚ、８０ＭＨｚ、１００ＭＨｚ、１２０ＭＨｚ、または１４０ＭＨｚの帯域幅を有し得る。これらの異なるサブバンドの各々は、異なるトーンプランを有し得る。トーンプランはまた、いくつかの他の考慮事項を用いて設計され得る。たとえば、１６０ＭＨｚのための２０４８トーンプランは、２つの複製された１０２４トーンプランを使用して構成され得、それは、それぞれ８０ＭＨｚの帯域幅を使用する。
【００６４】
[00119]いくつかの態様では、送信する際の誤差のあるレベルに基づいて、好適であるトーンプランを指定することが望れ得る。たとえば、ＷｉＦｉ（登録商標）のいくつかの実装形態は、＋／−２０の１００万分の１（ｐｐｍ）または（許容範囲を合計すると）合計４０ｐｐｍの送信中心周波数誤差を使用し得る。単一のユーザからの４ｘシンボル持続時間を用いる５ＭＨｚ送信では、この４０ｐｐｍ誤差要件は、７つのＤＣトーンの使用を必要とし得る。複数のデバイスが同時に送信する場合、要求は、各デバイスの誤差が互いに加法的であり得るので、最高８０ｐｐｍであり得る。したがって、８０ｐｐｍ（＋／−４０ｐｐｍ）シナリオでは、１１個のＤＣトーンが必要とされ得る。周波数事前補正および／または１０ｐｐｍなど、より細かいｐｐｍ要件が使用される場合、３つまたは５つのＤＣトーンが、４ｘシンボル持続時間送信のために使用され得る。したがって、使用されるＤＣトーンの数は、送信において可能にされるキャリア周波数オフセットのレベルに少なくとも部分的に基づき得る。
【００６５】
[00120]いくつかの態様では、パッキング効率は、ＯＦＤＭＡ送信のための異なる場合において異なり得る。たとえば、（ＦＦＴトーン数での）ＯＦＤＭＡ割振り帯域幅は、（ＦＦＴサイズでの）異なる総帯域幅に基づいて変動し得る。たとえば、帯域幅の５ＭＨｚ部分は、その５ＭＨｚ部分が単一のユーザによって送信されている場合、またはそれが、異なる総帯域幅を用いるＯＦＤＭＡ送信の一部において送信されている場合、異なる数のデータトーンを搬送することが可能であり得る。
【００６６】
[00121]パイロットまたはガードトーンの数も、送信のタイプに応じて変動し得る。たとえば、ＤＬ送信は、ＤＬ送信を受信する各デバイスが送信デバイスからの同じパイロットトーンを使用し得るので、送信ビームフォーミングが使用されない場合、共通パイロットトーンを使用し得る。しかしながら、いくつかのデバイスによって送信されているＵＬ送信は、各送信デバイスのための専用パイロットトーンを必要とし得る。さらに、ＵＬ送信は、異なるデバイスからの送信が互いに完全に直交するとは限らないので、異なるＯＦＤＭＡユーザ間にいくつかのガードトーンを有することを選好し得る。ＤＬ送信では、これは問題でないことがあり、これらの追加のガードトーンは必要とされないことがある。さらに、ＤＬ送信はワイドバンドマスクに従い得、ＵＬ送信は各ＳＴＡのためのサブバンドマスクに従うべきである。したがって、必要とされるガードトーンの数は、ＵＬ送信とＤＬ送信との間で変動し得る。
【００６７】
[00122]さらに、有用であるために、トーンプランはまた、あるＢＣＣ（バイナリ畳み込みコード（binary convolutional code））インターリービング、ＬＤＰＣ（低密度パリティチェック）トーンマッピング距離設計を満たし、ならびにいくつかの異なる可能な変調およびコーディング方式（ＭＣＳ：modulation and coding scheme）に有効である必要があり得る。概して、トーンプランを選定する際に、所望の帯域幅の各々のための最小数のＤＣ、ガード、およびパイロットトーンを用いてデータトーン数（Ｎｄａｔａ）の上限を最初に取得することが有益であり得る。次に、いつサブバンド帯域幅がＯＦＤＭＡ割振りであるか、またはサブバンド帯域幅が単一のユーザ（ＳＵ：single user）のための帯域幅全体であるとき、各サブバンド帯域幅のためのデータトーン数Ｎｄａｔａの上限を取得することが有益であり得る。
【００６８】
[00123]次に、上限といくつかの他の基準とを条件とする、実現可能なデータトーン数（Ｎｄａｔａ）を決定することが有用であり得る。最初に、Ｎｄａｔａの約数が、ＢＣＣインターリービング深度ＮCOLのために使用され得る。次に、Ｎｄａｔａの約数はＬＤＰＣトーンマッピング距離ＤTMとして使用され得、それらは既存のトーンプランのためのものの中間にある。最終的に、ＭＣＳの除外組合せの数、およびデータストリームの数が比較的小さく保たれるである有益であり得る。概して、このトーンマッピングの後に残りのトーンがある場合、それらは、余分のＤＣ、ガード、またはパイロットトーンとして使用され得る。たとえば、残りのトーンは、キャリア周波数オフセット（ＣＦＯ：carrier frequency offset）要求を満たすために、ＤＣトーンとして使用され得、ＤＬ／ＵＬスペクトルマスク要件を満たすためにおよびＵＬ送信における異なるＳＴＡ間の干渉を最小限に抑えるために、余分のガードトーンとして使用され得、残りのトーンは、十分なパイロットトーンが各ＯＦＤＭＡユーザのために与えられることを保証するために、追加のパイロットトーンとして使用され得る。残りのトーンのこれらの様々な使用のために、いくつかの残りのトーンを有することが望ましいことがある。概して、本明細書の提案するトーンプランの各々は、それらのパイロットトーン数要求を条件として、ＵＬ  ＯＦＤＭＡ送信またはＤＬ  ＯＦＤＭＡ送信のいずれかのために使用され得る。
【００６９】
[00124]図４に、単一のユーザがあるときの、様々な実施形態による、６４トーンプラン、１２８トーンプラン、２５６トーンプラン、５１２トーンプラン、および１０２４トーンプランについての上限を示す。特に、図４は、使用される帯域幅による、１つ、３つ、５つ、７つ、または１１個のＤＣトーンを有する実施形態における６４トーンプラン、１２８トーンプラン、２５６トーンプラン、５１２トーンプラン、および１０２４トーンプランのためのデータトーン数（Ｎｄａｔａ）に対する上限を示す。これらの上限はまた、可能なガードトーンおよびパイロットトーンの最小数を使用する。たとえば、ＦＦＴサイズが６４であり、１つのＤＣトーン、７つのガードトーン、および４つのパイロットトーンがある場合、これは、データトーンとして使用され得る５２個の他のトーンを残す。
【００７０】
[00125]図５Ａに、様々な実施形態による、６４トーン５ＭＨｚトーンプランについての上限を示す。たとえば、単一のユーザでは、１つのＤＣトーンが使用される場合、５２個のデータトーンがあり得る。３つのＤＣトーンが使用される場合、単一のユーザのために５０個のデータトーンがあり得る。５つのＤＣトーンが使用される場合、単一のユーザのために４８個のデータトーンがあり得る。７つのＤＣトーンが使用される場合、単一のユーザのために４６個のデータトーンがあり得る。異なる総帯域幅を用いるＯＦＤＭＡ送信では、使用し得るデータトーン数は異なり得る。２０ＭＨｚ  ＯＦＤＭＡ送信では、３つのＤＣトーンがあるときの５ＭＨｚ部分におけるデータトーン数は、Ｆｌｏｏｒ（２３４／４）＝５８であり得る。この計算において、２３４は、図４に示されているように、３つのＤＣトーンをもつ２０ＭＨｚ送信におけるＮｄａｔａの上限である。したがって、２０ＭＨｚ送信の４つの５ＭＨｚ部分の各々は、最高１／４の端数切捨てのデータトーンを有し得る。２０ＭＨｚ  ＯＦＤＭＡ送信では、５つのＤＣトーンがあるときの５ＭＨｚ部分におけるデータトーン数は、Ｆｌｏｏｒ（２３２／４）＝５８であり得る。２０ＭＨｚ  ＯＦＤＭＡ送信では、７つのＤＣトーンがあるときの５ＭＨｚ部分におけるデータトーン数は、Ｆｌｏｏｒ（２３０／４）＝５７であり得る。
【００７１】
[00126]４０ＭＨｚ  ＯＦＤＭＡ送信では、３つのＤＣトーンがあるときの５ＭＨｚ部分におけるデータトーン数は、Ｆｌｏｏｒ（４８６／８）＝６０であり得る。４０ＭＨｚ  ＯＦＤＭＡ送信では、５つのＤＣトーンがあるときの５ＭＨｚ部分におけるデータトーン数は、Ｆｌｏｏｒ（４８４／８）＝６０であり得る。４０ＭＨｚ  ＯＦＤＭＡ送信では、７つのＤＣトーンがあるときの５ＭＨｚ部分におけるデータトーン数は、Ｆｌｏｏｒ（４８２／８）＝６０であり得る。４０ＭＨｚ  ＯＦＤＭＡ送信では、１１個のＤＣトーンがあるときの５ＭＨｚ部分におけるデータトーン数は、Ｆｌｏｏｒ（４７８／８）＝５９であり得る。
【００７２】
[00127]８０または１６０ＭＨｚ  ＯＦＤＭＡ送信では、３つのＤＣトーンがあるときの５ＭＨｚ部分におけるデータトーン数は、Ｆｌｏｏｒ（９９８／１６）＝６２であり得る。８０または１６０ＭＨｚ  ＯＦＤＭＡ送信では、５つのＤＣトーンがあるときの５ＭＨｚ部分におけるデータトーン数は、Ｆｌｏｏｒ（９９６／１６）＝６２であり得る。８０または１６０ＭＨｚ  ＯＦＤＭＡ送信では、７つのＤＣトーンがあるときの５ＭＨｚ部分におけるデータトーン数は、Ｆｌｏｏｒ（９９４／１６）＝６２であり得る。８０または１６０ＭＨｚ  ＯＦＤＭＡ送信では、１１個のＤＣトーンがあるときの５ＭＨｚ部分におけるデータトーン数は、Ｆｌｏｏｒ（９９０／１６）＝６１であり得る。したがって、６４トーン送信のための統合された上限は、６２個のデータトーンであり得る。これは、リストされた構成のいずれかにおける、可能な最高データトーン数である。
【００７３】
[00128]図５Ｂに、いくつかの既存のトーンプランを含む、他の可能なトーンプランに対する実現可能な５ＭＨｚトーンプランのいずれかからの利得を示す。たとえば、５０個のデータトーンを使用することは、４８個のデータトーンに対して４．１７％の利得を表すが、５２個のデータトーンに対して３．８５％の損失を表し得る。５４個のデータトーンを使用することは、４８個のデータトーンに対する１２．５％の利得、および５２個のデータトーンに対する３．８５％の利得を表し得る。５６個のデータトーンを使用することは、４８個のデータトーンに対する１６．６７％の利得、および５２個のデータトーンに対する７．６９％の利得を表し得る。５８個のデータトーンを使用することは、４８個のデータトーンに対する２０．８３％の利得、および５２個のデータトーンに対する１１．５４％の利得を表し得る。６０個のデータトーンを使用することは、４８個のデータトーンに対する２５％の利得、および５２個のデータトーンに対する１５．３８％の利得を表し得る。６２個のデータトーンを使用することは、４８個のデータトーンに対する２９．１７％の利得、および５２個のデータトーンに対する１９．２３％の利得を表し得る。
【００７４】
[00129]図６Ａに、様々な実施形態による、１２８トーン１０ＭＨｚトーンプランについての上限を示す。たとえば、単一のユーザでは、３つのＤＣトーンが使用される場合、１０８個のデータトーンがあり得る。５つのＤＣトーンが使用される場合、単一のユーザのために１０６Ａ個のデータトーンがあり得る。７つのＤＣトーンが使用される場合、単一のユーザのために１０４個のデータトーンがあり得る。異なる総帯域幅を用いるＯＦＤＭＡ送信では、使用し得るデータトーン数は異なり得る。２０ＭＨｚ  ＯＦＤＭＡ送信では、３つのＤＣトーンがあるときの１０ＭＨｚ部分におけるデータトーン数は、Ｆｌｏｏｒ（２３４／２）＝１１７であり得る。２０ＭＨｚ  ＯＦＤＭＡ送信では、５つのＤＣトーンがあるときの１０ＭＨｚ部分におけるデータトーン数は、Ｆｌｏｏｒ（２３２／２）＝１１６であり得る。２０ＭＨｚ  ＯＦＤＭＡ送信では、７つのＤＣトーンがあるときの１０ＭＨｚ部分におけるデータトーン数は、Ｆｌｏｏｒ（２３０／２）＝１１５であり得る。
【００７５】
[00130]４０ＭＨｚ  ＯＦＤＭＡ送信では、３つのＤＣトーンがあるときの１０ＭＨｚ部分におけるデータトーン数は、Ｆｌｏｏｒ（４８６／４）＝１２１であり得る。４０ＭＨｚ  ＯＦＤＭＡ送信では、５つのＤＣトーンがあるときの１０ＭＨｚ部分におけるデータトーン数は、Ｆｌｏｏｒ（４８４／４）＝１２１であり得る。４０ＭＨｚ  ＯＦＤＭＡ送信では、７つのＤＣトーンがあるときの１０ＭＨｚ部分におけるデータトーン数は、Ｆｌｏｏｒ（４８２／４）＝１２０であり得る。４０ＭＨｚ  ＯＦＤＭＡ送信では、１１個のＤＣトーンがあるときの１０ＭＨｚ部分におけるデータトーン数は、Ｆｌｏｏｒ（４７８／４）＝１１９であり得る。
【００７６】
[00131]８０または１６０ＭＨｚ  ＯＦＤＭＡ送信では、３つのＤＣトーンがあるときの１０ＭＨｚ部分におけるデータトーン数は、Ｆｌｏｏｒ（９９８／８）＝１２４であり得る。８０または１６０ＭＨｚ  ＯＦＤＭＡ送信では、５つのＤＣトーンがあるときの１０ＭＨｚ部分におけるデータトーン数は、Ｆｌｏｏｒ（９９６／８）＝１２４であり得る。８０または１６０ＭＨｚ  ＯＦＤＭＡ送信では、７つのＤＣトーンがあるときの１０ＭＨｚ部分におけるデータトーン数は、Ｆｌｏｏｒ（９９４／８）＝１２４であり得る。８０または１６０ＭＨｚ  ＯＦＤＭＡ送信では、１１個のＤＣトーンがあるときの１０ＭＨｚ部分におけるデータトーン数は、Ｆｌｏｏｒ（９９０／８）＝１２３であり得る。したがって、１２８トーン送信のための統合された上限は、１２４個のデータトーンであり得る。これは、リストされた構成のいずれかにおける、可能な最高データトーン数である。
【００７７】
[00132]図６Ｂに、いくつかの既存のトーンプランを含む、他の可能なトーンプランに対する実現可能な１０ＭＨｚトーンプランのいずれかからの利得を示す。たとえば、１１０個のデータトーンを使用することは、１０８個のデータトーンに対する１．８５％の利得を表し得る。１１２個のデータトーンを使用することは、１０８個のデータトーンに対する３．７０％の利得を表し得る。１１４個のデータトーンを使用することは、１０８個のデータトーンに対する５．５６％の利得を表し得る。１１６個のデータトーンを使用することは、１０８個のデータトーンに対する７．４１％の利得を表し得る。１１８個のデータトーンを使用することは、１０８個のデータトーンに対する９．２６％の利得を表し得る。１２０個のデータトーンを使用することは、１０８個のデータトーンに対する１１．１１％の利得を表し得る。１２２個のデータトーンを使用することは、１０８個のデータトーンに対する１２．９６％の利得を表し得る。１２４個のデータトーンを使用することは、１０８個のデータトーンに対する１４．８１％の利得を表し得る。
【００７８】
[00133]図７Ａに、様々な実施形態による、１９２トーン１５ＭＨｚトーンプランについての上限を示す。概して、１５ＭＨｚは、単一のユーザによって使用されないことがある。異なる総帯域幅を用いるＯＦＤＭＡ送信では、使用し得るデータトーン数は異なり得る。２０ＭＨｚ  ＯＦＤＭＡ送信では、３つのＤＣトーンがあるときの１５ＭＨｚ部分におけるデータトーン数は、Ｆｌｏｏｒ（２３４＊３／４）＝１７５であり得る。２０ＭＨｚ  ＯＦＤＭＡ送信では、５つのＤＣトーンがあるときの１５ＭＨｚ部分におけるデータトーン数は、Ｆｌｏｏｒ（２３２＊３／４）＝１７４であり得る。２０ＭＨｚ  ＯＦＤＭＡ送信では、７つのＤＣトーンがあるときの１５ＭＨｚ部分におけるデータトーン数は、Ｆｌｏｏｒ（２３０＊３／４）＝１７２であり得る。
【００７９】
[00134]４０ＭＨｚ  ＯＦＤＭＡ送信では、３つのＤＣトーンがあるときの１５ＭＨｚ部分におけるデータトーン数は、Ｆｌｏｏｒ（４８８＊３／８）＝１８３であり得る。４０ＭＨｚ  ＯＦＤＭＡ送信では、５つのＤＣトーンがあるときの１５ＭＨｚ部分におけるデータトーン数は、Ｆｌｏｏｒ（４８６＊３／８）＝１８２であり得る。４０ＭＨｚ  ＯＦＤＭＡ送信では、７つのＤＣトーンがあるときの１５ＭＨｚ部分におけるデータトーン数は、Ｆｌｏｏｒ（４８４＊３／８）＝１８１であり得る。４０ＭＨｚ  ＯＦＤＭＡ送信では、１１個のＤＣトーンがあるときの１５ＭＨｚ部分におけるデータトーン数は、Ｆｌｏｏｒ（４８０＊３／８）＝１８０であり得る。
【００８０】
[00135]８０または１６０ＭＨｚ  ＯＦＤＭＡ送信では、３つのＤＣトーンがあるときの１５ＭＨｚ部分におけるデータトーン数は、Ｆｌｏｏｒ（９９８＊３／１６）＝１８７であり得る。８０または１６０ＭＨｚ  ＯＦＤＭＡ送信では、５つのＤＣトーンがあるときの１５ＭＨｚ部分におけるデータトーン数は、Ｆｌｏｏｒ（９９６＊３／１６）＝１８６であり得る。８０または１６０ＭＨｚ  ＯＦＤＭＡ送信では、７つのＤＣトーンがあるときの１５ＭＨｚ部分におけるデータトーン数は、Ｆｌｏｏｒ（９９４＊３／１６）＝１８６であり得る。８０または１６０ＭＨｚ  ＯＦＤＭＡ送信では、１１個のＤＣトーンがあるときの１５ＭＨｚ部分におけるデータトーン数は、Ｆｌｏｏｒ（９９０＊３／１６）＝１８５であり得る。したがって、１９２トーン送信のための統合された上限は、１８７個のデータトーンであり得る。これは、リストされた構成のいずれかにおける、可能な最高データトーン数である。
【００８１】
[00136]図７Ｂに、いくつかの既存のトーンプランを含む、他の可能なトーンプランに対する実現可能な１５ＭＨｚトーンプランのいずれかからの利得を示す。たとえば、１６８個のデータトーンを使用することは、１８７個のデータトーンと比較して１０．１６％の損失を表し得る。１７０個のデータトーンを使用することは、１８７個のデータトーンと比較して９．０９％の損失を表し得る。１７２個のデータトーンを使用することは、１８７個のデータトーンと比較して８．０２％の損失を表し得る。１７４個のデータトーンを使用することは、１８７個のデータトーンと比較して６．９５％の損失を表し得る。１７６個のデータトーンを使用することは、１８７個のデータトーンと比較して５．８８％の損失を表し得る。１７８個のデータトーンを使用することは、１８７個のデータトーンと比較して４．８１％の損失を表し得る。１８０個のデータトーンを使用することは、１８７個のデータトーンと比較して３．７４％の損失を表し得る。１８２個のデータトーンを使用することは、１８７個のデータトーンと比較して２．６７％の損失を表し得る。１８４個のデータトーンを使用することは、１８７個のデータトーンと比較して１．６０％の損失を表し得る。１８６個のデータトーンを使用することは、１８７個のデータトーンと比較して０．５３％の損失を表し得る。
【００８２】
[00137]図８Ａに、様々な実施形態による、２５６トーン２０ＭＨｚトーンプランについての上限を示す。たとえば、単一のユーザでは、３つのＤＣトーンが使用される場合、２３４個のデータトーンがあり得る。５つのＤＣトーンが使用される場合、単一のユーザのために２３２個のデータトーンがあり得る。７つのＤＣトーンが使用される場合、単一のユーザのために２３０個のデータトーンがあり得る。異なる総帯域幅を用いるＯＦＤＭＡ送信では、使用し得るデータトーン数は異なり得る。２０ＭＨｚ  ＯＦＤＭＡ送信では、３つのＤＣトーンがあるときの２０ＭＨｚ部分（すなわち、送信全体）におけるデータトーン数は、２３４であり得る。２０ＭＨｚ  ＯＦＤＭＡ送信では、５つのＤＣトーンがあるときの２０ＭＨｚ部分におけるデータトーン数は、２３２であり得る。２０ＭＨｚ  ＯＦＤＭＡ送信では、７つのＤＣトーンがあるときの２０ＭＨｚ部分におけるデータトーン数は、２３０であり得る。
【００８３】
[00138]４０ＭＨｚ  ＯＦＤＭＡ送信では、３つのＤＣトーンがあるときの２０ＭＨｚ部分におけるデータトーン数は、Ｆｌｏｏｒ（４８６／２）＝２４３であり得る。４０ＭＨｚ  ＯＦＤＭＡ送信では、５つのＤＣトーンがあるときの２０ＭＨｚ部分におけるデータトーン数は、Ｆｌｏｏｒ（４８４／２）＝２４２であり得る。４０ＭＨｚ  ＯＦＤＭＡ送信では、７つのＤＣトーンがあるときの２０ＭＨｚ部分におけるデータトーン数は、Ｆｌｏｏｒ（４８２／２）＝２４１であり得る。４０ＭＨｚ  ＯＦＤＭＡ送信では、１１個のＤＣトーンがあるときの２０ＭＨｚ部分におけるデータトーン数は、Ｆｌｏｏｒ（４７８／２）＝２３９であり得る。
【００８４】
[00139]８０または１６０ＭＨｚ  ＯＦＤＭＡ送信では、３つのＤＣトーンがあるときの２０ＭＨｚ部分におけるデータトーン数は、Ｆｌｏｏｒ（９９８／４）＝２４９であり得る。８０または１６０ＭＨｚ  ＯＦＤＭＡ送信では、５つのＤＣトーンがあるときの２０ＭＨｚ部分におけるデータトーン数は、Ｆｌｏｏｒ（９９６／４）＝２４９であり得る。８０または１６０ＭＨｚ  ＯＦＤＭＡ送信では、７つのＤＣトーンがあるときの２０ＭＨｚ部分におけるデータトーン数は、Ｆｌｏｏｒ（９９４／４）＝２４８であり得る。８０または１６０ＭＨｚ  ＯＦＤＭＡ送信では、１１個のＤＣトーンがあるときの２０ＭＨｚ部分におけるデータトーン数は、Ｆｌｏｏｒ（９９０／４）＝２４７であり得る。したがって、２５６トーン送信のための統合された上限は、２４９個のデータトーンであり得る。これは、リストされた構成のいずれかにおける、可能な最高データトーン数である。
【００８５】
[00140]図８Ｂに、いくつかの既存のトーンプランを含む、他の可能なトーンプランに対する実現可能な２０ＭＨｚトーンプランのいずれかからの利得を示す。たとえば、２３６個のデータトーンを使用することは、２３４個のデータトーンに対する０．８５％の利得を表し得る。２３８個のデータトーンを使用することは、２３４個のデータトーンに対する１．７１％の利得を表し得る。２４０個のデータトーンを使用することは、２３４個のデータトーンに対する２．５６％の利得を表し得る。２４２個のデータトーンを使用することは、２３４個のデータトーンに対する３．４２％の利得を表し得る。２４４個のデータトーンを使用することは、２３４個のデータトーンに対する４．２７％の利得を表し得る。２４６個のデータトーンを使用することは、２３４個のデータトーンに対する５．１３％の利得を表し得る。２４８個のデータトーンを使用することは、２３４個のデータトーンに対する５．９８％の利得を表し得る。
【００８６】
[00141]図９Ａに、様々な実施形態による、３８４トーン３０ＭＨｚトーンプランについての上限を示す。４０ＭＨｚ  ＯＦＤＭＡ送信では、３つのＤＣトーンがあるときの３０ＭＨｚ部分におけるデータトーン数は、Ｆｌｏｏｒ（４８８＊３／４）＝３６６であり得る。４０ＭＨｚ  ＯＦＤＭＡ送信では、５つのＤＣトーンがあるときの３０ＭＨｚ部分におけるデータトーン数は、Ｆｌｏｏｒ（４８６＊３／４）＝３６４であり得る。４０ＭＨｚ  ＯＦＤＭＡ送信では、７つのＤＣトーンがあるときの３０ＭＨｚ部分におけるデータトーン数は、Ｆｌｏｏｒ（４８４＊３／４）＝３６３であり得る。４０ＭＨｚ  ＯＦＤＭＡ送信では、１１個のＤＣトーンがあるときの３０ＭＨｚ部分におけるデータトーン数は、Ｆｌｏｏｒ（４８０＊３／４）＝３６０であり得る。
【００８７】
[00142]８０または１６０ＭＨｚ  ＯＦＤＭＡ送信では、３つのＤＣトーンがあるときの３０ＭＨｚ部分におけるデータトーン数は、Ｆｌｏｏｒ（９９８＊３／８）＝３７４であり得る。８０または１６０ＭＨｚ  ＯＦＤＭＡ送信では、５つのＤＣトーンがあるときの３０ＭＨｚ部分におけるデータトーン数は、Ｆｌｏｏｒ（９９６＊３／８）＝３７３であり得る。８０または１６０ＭＨｚ  ＯＦＤＭＡ送信では、７つのＤＣトーンがあるときの３０ＭＨｚ部分におけるデータトーン数は、Ｆｌｏｏｒ（９９４＊３／８）＝３７２であり得る。８０または１６０ＭＨｚ  ＯＦＤＭＡ送信では、１１個のＤＣトーンがあるときの３０ＭＨｚ部分におけるデータトーン数は、Ｆｌｏｏｒ（９９０＊３／８）＝３７１であり得る。したがって、３８４トーン送信のための統合された上限は、３７４個のデータトーンであり得る。これは、リストされた構成のいずれかにおける、可能な最高データトーン数である。
【００８８】
[00143]図９Ｂに、いくつかの既存のトーンプランを含む、他の可能なトーンプランに対する実現可能な３０ＭＨｚトーンプランのいずれかからの利得を示す。たとえば、３５０個のデータトーンを使用することは、３７４個のデータトーンを使用することと比較して６．４２％の損失を表し得る。３５２個のデータトーンを使用することは、３７４個のデータトーンを使用することと比較して５．８８％の損失を表し得る。３５４個のデータトーンを使用することは、３７４個のデータトーンを使用することと比較して５．３５％の損失を表し得る。３５６個のデータトーンを使用することは、３７４個のデータトーンを使用することと比較して４．８１％の損失を表し得る。３５７個のデータトーンを使用することは、３７４個のデータトーンを使用することと比較して４．５５％の損失を表し得る。３５８個のデータトーンを使用することは、３７４個のデータトーンを使用することと比較して４．２８％の損失を表し得る。３６０個のデータトーンを使用することは、３７４個のデータトーンを使用することと比較して３．７４％の損失を表し得る。３６４個のデータトーンを使用することは、３７４個のデータトーンを使用することと比較して２．６７％の損失を表し得る。３６６個のデータトーンを使用することは、３７４個のデータトーンを使用することと比較して２．１４％の損失を表し得る。３６８個のデータトーンを使用することは、３７４個のデータトーンを使用することと比較して１．６０％の損失を表し得る。３７０個のデータトーンを使用することは、３７４個のデータトーンを使用することと比較して１．０７％の損失を表し得る。３７２個のデータトーンを使用することは、３７４個のデータトーンを使用することと比較して０．５３％の損失を表し得る。
【００８９】
[00144]図１０Ａに、様々な実施形態による、５１２トーン４０ＭＨｚトーンプランについての上限を示す。たとえば、単一のユーザでは、３つのＤＣトーンが使用される場合、４９８個のデータトーンがあり得る。５つのＤＣトーンが使用される場合、単一のユーザのために４８４個のデータトーンがあり得る。７つのＤＣトーンが使用される場合、単一のユーザのために４８２個のデータトーンがあり得る。１１個のＤＣトーンが使用される場合、単一のユーザのために４７８個のデータトーンがあり得る。同様に、４０ＭＨｚ総帯域幅を用いるＯＦＤＭＡ送信では、同じデータトーン数が使用され得る。
【００９０】
[00145]８０または１６０ＭＨｚ  ＯＦＤＭＡ送信では、３つのＤＣトーンがあるときの４０ＭＨｚ部分におけるデータトーン数は、Ｆｌｏｏｒ（９９８／２）＝４９９であり得る。８０または１６０ＭＨｚ  ＯＦＤＭＡ送信では、５つのＤＣトーンがあるときの４０ＭＨｚ部分におけるデータトーン数は、Ｆｌｏｏｒ（９９６／２）＝４９８であり得る。８０または１６０ＭＨｚ  ＯＦＤＭＡ送信では、７つのＤＣトーンがあるときの４０ＭＨｚ部分におけるデータトーン数は、Ｆｌｏｏｒ（９９４／２）＝４９７であり得る。８０または１６０ＭＨｚ  ＯＦＤＭＡ送信では、１１個のＤＣトーンがあるときの４０ＭＨｚ部分におけるデータトーン数は、Ｆｌｏｏｒ（９９０／２）＝４９５であり得る。したがって、５１２トーン送信のための統合された上限は、４９９個のデータトーンであり得る。これは、リストされた構成のいずれかにおける、可能な最高データトーン数である。
【００９１】
[00146]図１０Ｂに、いくつかの既存のトーンプランを含む、他の可能なトーンプランに対する実現可能な４０ＭＨｚトーンプランのいずれかからの利得を示す。たとえば、４７０個のデータトーンを使用することは、４６８個のデータトーンに対する０．４３％の利得を表し得る。４７２個のデータトーンを使用することは、４６８個のデータトーンに対する０．８５％の利得を表し得る。４７４個のデータトーンを使用することは、４６８個のデータトーンに対する１．２８％の利得を表し得る。４７６個のデータトーンを使用することは、４６８個のデータトーンに対する１．７１％の利得を表し得る。４７８個のデータトーンを使用することは、４６８個のデータトーンに対する２．１４％の利得を表し得る。４８０個のデータトーンを使用することは、４６８個のデータトーンに対する２．５６％の利得を表し得る。４８４個のデータトーンを使用することは、４６８個のデータトーンに対する３．４２％の利得を表し得る。４８６個のデータトーンを使用することは、４６８個のデータトーンに対する３．８５％の利得を表し得る。４８８個のデータトーンを使用することは、４６８個のデータトーンに対する４．２７％の利得を表し得る。４９０個のデータトーンを使用することは、４６８個のデータトーンに対する４．７０％の利得を表し得る。４９２個のデータトーンを使用することは、４６８個のデータトーンに対する５．１３％の利得を表し得る。４９６個のデータトーンを使用することは、４６８個のデータトーンに対する５．９８％の利得を表し得る。４９８個のデータトーンを使用することは、４６８個のデータトーンに対する６．４１％の利得を表し得る。
【００９２】
[00147]図１１Ａに、様々な実施形態による、７６８トーン６０ＭＨｚトーンプランについての上限を示す。８０または１６０ＭＨｚ  ＯＦＤＭＡ送信では、３つのＤＣトーンがあるときの６０ＭＨｚ部分におけるデータトーン数は、Ｆｌｏｏｒ（９９８＊３／４）＝７４８であり得る。８０または１６０ＭＨｚ  ＯＦＤＭＡ送信では、５つのＤＣトーンがあるときの６０ＭＨｚ部分におけるデータトーン数は、Ｆｌｏｏｒ（９９６＊３／４）＝７４７であり得る。８０または１６０ＭＨｚ  ＯＦＤＭＡ送信では、７つのＤＣトーンがあるときの６０ＭＨｚ部分におけるデータトーン数は、Ｆｌｏｏｒ（９９４＊３／４）＝７４５であり得る。８０または１６０ＭＨｚ  ＯＦＤＭＡ送信では、１１個のＤＣトーンがあるときの６０ＭＨｚ部分におけるデータトーン数は、Ｆｌｏｏｒ（９９０＊３／４）＝７４２であり得る。したがって、７６８トーン送信のための統合された上限は、７４８個のデータトーンであり得る。これは、リストされた構成のいずれかにおける、可能な最高データトーン数である。
【００９３】
[00148]図１１Ｂに、いくつかの既存のトーンプランを含む、他の可能なトーンプランに対する実現可能な６０ＭＨｚトーンプランのいずれかからの利得を示す。たとえば、７３２個のデータトーンを使用することは、４７８個のデータトーンを使用することと比較して２．１４％の損失を表し得る。７３８個のデータトーンを使用することは、４７８個のデータトーンを使用することと比較して１．３４％の損失を表し得る。７４０個のデータトーンを使用することは、４７８個のデータトーンを使用することと比較して１．０７％の損失を表し得る。７４４個のデータトーンを使用することは、４７８個のデータトーンを使用することと比較して０．５３％の損失を表し得る。
【００９４】
[00149]図１２Ａに、様々な実施形態による、１０２４トーン８０ＭＨｚトーンプランについての上限を示す。たとえば、単一のユーザでは、３つのＤＣトーンが使用される場合、９９８個のデータトーンがあり得る。５つのＤＣトーンが使用される場合、単一のユーザのために９９６個のデータトーンがあり得る。７つのＤＣトーンが使用される場合、単一のユーザのために９９４個のデータトーンがあり得る。１１個のＤＣトーンが使用される場合、単一のユーザのために９９０個のデータトーンがあり得る。同様に、８０または１６０ＭＨｚ  ＯＦＤＭＡ送信において、同じ上限が適用され得る。したがって、１０２４トーン送信のための統合された上限は、９９８個のデータトーンであり得る。これは、リストされた構成のいずれかにおける、可能な最高データトーン数である。
【００９５】
[00150]図１２Ｂに、いくつかの既存のトーンプランを含む、他の可能なトーンプランに対する実現可能な８０ＭＨｚトーンプランのいずれかからの利得を示す。たとえば、９４８個のデータトーンを使用することは、９３６個のデータトーンに対する１．２８％の利得を表し得る。９６０個のデータトーンを使用することは、９３６個のデータトーンに対する２．５６％の利得を表し得る。９７２個のデータトーンを使用することは、９３６個のデータトーンに対する４．０６％の利得を表し得る。９８０個のデータトーンを使用することは、９３６個のデータトーンに対する４．７０％の利得を表し得る。９８４個のデータトーンを使用することは、９３６個のデータトーンに対する５．１３％の利得を表し得る。９９０個のデータトーンを使用することは、９３６個のデータトーンに対する５．７７％の利得を表し得る。９９６個のデータトーンを使用することは、９３６個のデータトーンに対する６．４１％の利得を表し得る。
【００９６】
[00151]図１３Ａに、様々な実施形態による、１２８０トーン１００ＭＨｚトーンプランについての上限を示す。１６０ＭＨｚ  ＯＦＤＭＡ送信では、３つのＤＣトーンがあるときの１００ＭＨｚ部分におけるデータトーン数は、Ｆｌｏｏｒ（９９８＊５／４）＝１２４７であり得る。１６０ＭＨｚ  ＯＦＤＭＡ送信では、５つのＤＣトーンがあるときの１００ＭＨｚ部分におけるデータトーン数は、Ｆｌｏｏｒ（９９６＊５／４）＝１２４５であり得る。１６０ＭＨｚ  ＯＦＤＭＡ送信では、７つのＤＣトーンがあるときの１００ＭＨｚ部分におけるデータトーン数は、Ｆｌｏｏｒ（９９４＊５／４）＝１２４２であり得る。１６０ＭＨｚ  ＯＦＤＭＡ送信では、１１個のＤＣトーンがあるときの１００ＭＨｚ部分におけるデータトーン数は、Ｆｌｏｏｒ（９９０＊５／４）＝１２３７であり得る。したがって、１２８０トーン送信のための統合された上限は、１２４７個のデータトーンであり得る。これは、リストされた構成のいずれかにおける、可能な最高データトーン数である。
【００９７】
[00152]図１３Ｂに、いくつかの既存のトーンプランを含む、他の可能なトーンプランに対する実現可能な１００ＭＨｚトーンプランのいずれかからの利得を示す。たとえば、１２００個のデータトーンを使用することは、１２４７個のデータトーンを使用することと比較して３．７７％の損失を表し得る。１２０６個のデータトーンを使用することは、１２４７個のデータトーンを使用することと比較して３．２９％の損失を表し得る。１１６個のデータトーンを使用することは、１０８個のデータトーンに対する７．４１％の利得を表し得る。１１８個のデータトーンを使用することは、１０８個のデータトーンに対する９．２６％の利得を表し得る。１２０個のデータトーンを使用することは、１０８個のデータトーンに対する１１．１１％の利得を表し得る。１２２個のデータトーンを使用することは、１０８個のデータトーンに対する１２．９６％の利得を表し得る。１２４個のデータトーンを使用することは、１０８個のデータトーンに対する１４．８１％の利得を表し得る。
【００９８】
[00153]図１４Ａに、様々な実施形態による、１５３６トーン１２０ＭＨｚトーンプランについての上限を示す。１６０ＭＨｚ  ＯＦＤＭＡ送信では、３つのＤＣトーンがあるときの１２０ＭＨｚ部分におけるデータトーン数は、Ｆｌｏｏｒ（９９８＊３／２）＝１４９７であり得る。１６０ＭＨｚ  ＯＦＤＭＡ送信では、５つのＤＣトーンがあるときの１２０ＭＨｚ部分におけるデータトーン数は、Ｆｌｏｏｒ（９９６＊３／２）＝１４９４であり得る。１６０ＭＨｚ  ＯＦＤＭＡ送信では、７つのＤＣトーンがあるときの１２０ＭＨｚ部分におけるデータトーン数は、Ｆｌｏｏｒ（９９４＊３／２）＝１４９１であり得る。１６０ＭＨｚ  ＯＦＤＭＡ送信では、１１個のＤＣトーンがあるときの１２０ＭＨｚ部分におけるデータトーン数は、Ｆｌｏｏｒ（９９０＊３／２）＝１４８５であり得る。したがって、１５３６トーン送信のための統合された上限は、１４９７個のデータトーンであり得る。これは、リストされた構成のいずれかにおける、可能な最高データトーン数である。
【００９９】
[00154]図１４Ｂに、いくつかの既存のトーンプランを含む、他の可能なトーンプランに対する実現可能な１２０ＭＨｚトーンプランのいずれかからの利得を示す。たとえば、１４２０個のデータトーンを使用することは、１４９７個のデータトーンを使用することと比較して５．１４％の損失を表し得る。１４２２個のデータトーンを使用することは、１４９７個のデータトーンを使用することと比較して５．０１％の損失を表し得る。１４２４個のデータトーンを使用することは、１４９７個のデータトーンを使用することと比較して４．８８％の損失を表し得る。１４２６個のデータトーンを使用することは、１４９７個のデータトーンを使用することと比較して４．７４％の損失を表し得る。１４２８個のデータトーンを使用することは、１４９７個のデータトーンを使用することと比較して４．６１％の損失を表し得る。１４３０個のデータトーンを使用することは、１４９７個のデータトーンを使用することと比較して４．４８％の損失を表し得る。１４３２個のデータトーンを使用することは、１４９７個のデータトーンを使用することと比較して４．３４％の損失を表し得る。１４３４個のデータトーンを使用することは、１４９７個のデータトーンを使用することと比較して４．２１％の損失を表し得る。１４３６個のデータトーンを使用することは、１４９７個のデータトーンを使用することと比較して４．０７％の損失を表し得る。１４３８個のデータトーンを使用することは、１４９７個のデータトーンを使用することと比較して３．９４％の損失を表し得る。１４４０個のデータトーンを使用することは、１４９７個のデータトーンを使用することと比較して３．８１％の損失を表し得る。１４５２個のデータトーンを使用することは、１４９７個のデータトーンを使用することと比較して３．０１％の損失を表し得る。１４６４個のデータトーンを使用することは、１４９７個のデータトーンを使用することと比較して２．２０％の損失を表し得る。１４７０個のデータトーンを使用することは、１４９７個のデータトーンを使用することと比較して１．８０％の損失を表し得る。１４８５個のデータトーンを使用することは、１４９７個のデータトーンを使用することと比較して０．８０％の損失を表し得る。１４８８個のデータトーンを使用することは、１４９７個のデータトーンを使用することと比較して０．６０％の損失を表し得る。１４９１個のデータトーンを使用することは、１４９７個のデータトーンを使用することと比較して０．４０％の損失を表し得る。
【０１００】
[00155]図１５Ａに、様々な実施形態による、１７９２トーン１４０ＭＨｚトーンプランについての上限を示す。１６０ＭＨｚ  ＯＦＤＭＡ送信では、３つのＤＣトーンがあるときの１４０ＭＨｚ部分におけるデータトーン数は、Ｆｌｏｏｒ（９９８＊７／４）＝１７４６であり得る。１６０ＭＨｚ  ＯＦＤＭＡ送信では、５つのＤＣトーンがあるときの１４０ＭＨｚ部分におけるデータトーン数は、Ｆｌｏｏｒ（９９６＊７／４）＝１７４３であり得る。１６０ＭＨｚ  ＯＦＤＭＡ送信では、７つのＤＣトーンがあるときの１４０ＭＨｚ部分におけるデータトーン数は、Ｆｌｏｏｒ（９９４＊７／４）＝１７３９であり得る。１６０ＭＨｚ  ＯＦＤＭＡ送信では、１１個のＤＣトーンがあるときの１４０ＭＨｚ部分におけるデータトーン数は、Ｆｌｏｏｒ（９９０＊７／４）＝１７３２であり得る。したがって、１７９２トーン送信のための統合された上限は、１７４６個のデータトーンであり得る。これは、リストされた構成のいずれかにおける、可能な最高データトーン数である。
【０１０１】
[00156]図１５Ｂに、いくつかの既存のトーンプランを含む、他の可能なトーンプランに対する実現可能な１４０ＭＨｚトーンプランのいずれかからの利得を示す。たとえば、１６６０個のデータトーンを使用することは、１７４６個のデータトーンを使用することと比較して４．９３％の損失を表し得る。１６６４個のデータトーンを使用することは、１７４６個のデータトーンを使用することと比較して４．７０％の損失を表し得る。１６６８個のデータトーンを使用することは、１７４６個のデータトーンを使用することと比較して４．４７％の損失を表し得る。１６７２個のデータトーンを使用することは、１７４６個のデータトーンを使用することと比較して４．２４％の損失を表し得る。１６８０個のデータトーンを使用することは、１７４６個のデータトーンを使用することと比較して３．７８％の損失を表し得る。１６８８個のデータトーンを使用することは、１７４６個のデータトーンを使用することと比較して３．３２％の損失を表し得る。１６９２個のデータトーンを使用することは、１７４６個のデータトーンを使用することと比較して３．０９％の損失を表し得る。１６９６個のデータトーンを使用することは、１７４６個のデータトーンを使用することと比較して２．８６％の損失を表し得る。１７００個のデータトーンを使用することは、１７４６個のデータトーンを使用することと比較して２．６３％の損失を表し得る。１７０４個のデータトーンを使用することは、１７４６個のデータトーンを使用することと比較して２．４１％の損失を表し得る。１７０８個のデータトーンを使用することは、１７４６個のデータトーンを使用することと比較して２．１８％の損失を表し得る。１７１０個のデータトーンを使用することは、１７４６個のデータトーンを使用することと比較して２．０６％の損失を表し得る。１７１２個のデータトーンを使用することは、１７４６個のデータトーンを使用することと比較して１．９５％の損失を表し得る。１７１６個のデータトーンを使用することは、１７４６個のデータトーンを使用することと比較して１．７２％の損失を表し得る。１７２０個のデータトーンを使用することは、１７４６個のデータトーンを使用することと比較して１．４９％の損失を表し得る。１７２８個のデータトーンを使用することは、１７４６個のデータトーンを使用することと比較して１．０３％の損失を表し得る。１７４０個のデータトーンを使用することは、１７４６個のデータトーンを使用することと比較して０．３４％の損失を表し得る。１７４５個のデータトーンを使用することは、１７４６個のデータトーンを使用することと比較して０．０６％の損失を表し得る。
【０１０２】
[00157]図１６に、一実施形態による、直交周波数分割多元接続（ＯＦＤＭＡ）トーンプランのためのインターリービングパラメータを生成するように動作可能であるシステム１０００を示す。システム１０００は、ワイヤレスネットワーク１０５０を介して複数の他のデバイス（たとえば、宛先デバイス）１０２０、１０３０、および１０４０とワイヤレス通信するように構成された第１のデバイス（たとえば、ソースデバイス）１０１０を含む。代替実施形態では、異なる数のソースデバイス宛先デバイスが、システム１０００中に存在し得る。様々な実施形態では、ソースデバイス１０１０はＡＰ１０４（図１）を含むことができ、他のデバイス１０２０、１０３０、および１０４０はＳＴＡ１０６Ａ〜１０６Ｄ（図１）を含むことができる。システム１０００はシステム１００（図１）を含むことができる。様々な実施形態では、デバイス１０１０、１０２０、１０３０、および１０４０のいずれも、ワイヤレスデバイス２０２（図２）を含むことができる。
【０１０３】
[00158]特定の実施形態では、ワイヤレスネットワーク１０５０は、ＩＥＥＥ８０２．１１ワイヤレスネットワーク（たとえば、Ｗｉ−Ｆｉネットワーク）である。たとえば、ワイヤレスネットワーク６１０５０は、ＩＥＥＥ８０２．１１規格に従って動作することができる。特定の実施形態では、ワイヤレスネットワーク１０５０は多元接続通信をサポートする。たとえば、ワイヤレスネットワーク１０５０は、宛先デバイス１０２０、１０３０、および１０４０の各々への単一のパケット１０６０の通信をサポートすることができ、ここで、単一のパケット１０６０は、宛先デバイスの各々に向けられた個々のデータ部分を含む。一例では、本明細書でさらに説明するように、パケット１０６０はＯＦＤＭＡパケットであり得る。
【０１０４】
[00159]ソースデバイス１０１０は、（１つまたは複数の）多元接続パケットを生成し、それを複数の宛先デバイスに送信するように構成されたアクセスポイント（ＡＰ）または他のデバイスであり得る。特定の実施形態では、ソースデバイス１０１０は、プロセッサ１０１１（たとえば、中央処理ユニット（ＣＰＵ）、デジタル信号プロセッサ（ＤＳＰ）、ネットワーク処理ユニット（ＮＰＵ）など）と、メモリ１０１２（たとえば、ランダムアクセスメモリ（ＲＡＭ）、読取り専用メモリ（ＲＯＭ）など）と、ワイヤレスネットワーク１０５０を介してデータを送信および受信するように構成されたワイヤレスインターフェース１０１５とを含む。メモリ１０１２は、図１７のインターリービングシステム１０１４に関して説明する技法に従って、データをインターリーブするためにインターリービングシステム１０１４によって使用されるバイナリ畳み込みコード（ＢＣＣ：binary convolutional code）インターリービングパラメータ１０１３を記憶することができる。
【０１０５】
[00160]本明細書で使用する「トーン」は、データがその内で通信され得る周波数または周波数のセット（たとえば、周波数範囲）を表すことができる。トーンは、代替的にサブキャリアと呼ばれることがある。したがって、「トーン」は周波数領域ユニットであり得、パケットは複数のトーンにわたることができる。トーンとは対照的に、「シンボル」は時間領域ユニットであり得、パケットは複数のシンボルにわたる（たとえば、複数のシンボルを含む）ことができ、各シンボルは特定の持続時間を有する。したがって、ワイヤレスパケットは、周波数範囲（たとえば、トーン）と時間期間（たとえば、シンボル）とにわたる２次元構造として視覚化され得る。
【０１０６】
[00161]一例として、ワイヤレスデバイスは、８０メガヘルツ（ＭＨｚ）ワイヤレスチャネル（たとえば、８０ＭＨｚ帯域幅を有するチャネル）を介してパケットを受信することができる。ワイヤレスデバイスは、パケット中の５１２個のトーンを決定するために５１２点ＦＦＴを実施することができる。トーンのサブセットが「使用可能」と考えられ得、残りのトーンは「使用不可能」と考えられ得る（たとえば、ガードトーン、直流（ＤＣ）トーンなどであり得る）。例示のために、４７４個のデータトーンと２２個のパイロットトーンとを含む、５１２個のトーンのうちの４９６個が使用可能であり得る。別の例として、４７６個のデータトーンおよび２０個のパイロットトーンがあり得る。上述のチャネル帯域幅、変換、およびトーンプランは例にすぎないことに留意されたい。代替実施形態では、異なるチャネル帯域幅（たとえば、５ＭＨｚ、６ＭＨｚ、６．５ＭＨｚ、４０ＭＨｚ、８０ＭＨｚなど）、異なる変換（たとえば、２５６点ＦＦＴ、１０２４点ＦＦＴなど）、および／または異なるトーンプランが使用され得る。
【０１０７】
[00162]特定の実施形態では、パケットは、１つまたは複数の空間ストリーム上で送信される様々なブロックサイズ（たとえば、サブバンドごとに様々なデータトーン数）を含むことができる。たとえば、パケットは、サブバンドごとに１２個のデータトーン、サブバンドごとに３６個のデータトーン、サブバンドごとに７２個のデータトーン、サブバンドごとに１２０個のデータトーン、サブバンドごとに１５６個のデータトーン、またはサブバンドごとに３１２個のデータトーンを含むことができる。インターリーブ深度と、インターリーブ回転インデックスと、ベースサブキャリア回転との組合せが、ブロックサイズごとに与えられ得る。
【０１０８】
[00163]特定の実施形態では、インターリービングパラメータ１０１３は、パケット１０６０のどのデータトーンが個々の宛先デバイスに割り当てられるかを決定するために、多元接続パケット１０６０の生成中にインターリービングシステム１０１４によって使用され得る。たとえば、パケット１０６０は、各個々の宛先デバイス１０２０、１０３０、および１０４０に割り振られたトーンの別個のセットを含むことができる。例示のために、パケット１０６０はインターリーブされたトーン割振りを利用することができる。
【０１０９】
[00164]宛先デバイス１０２０、１０３０、および１０４０はそれぞれ、プロセッサ（たとえば、プロセッサ１０２１）と、メモリ（たとえば、メモリ１０２２）と、ワイヤレスインターフェース（たとえば、ワイヤレスインターフェース１０２５）とを含むことができる。宛先デバイス１０２０、１０３０、および１０４０はそれぞれ、図１７のＭＩＭＯ検出器１１１８に関して説明するように、パケット（たとえば、単一接続パケットまたは多元接続パケット）をデインターリーブするように構成されたデインターリービングシステム１０２４をも含むことができる。一例では、メモリ１０２２は、インターリービングパラメータ１０１３と同等のインターリービングパラメータ１０２３を記憶することができる。
【０１１０】
[00165]動作中、ソースデバイス１０１０は、パケット１０６０を生成し、それをワイヤレスネットワーク１０５０を介して宛先デバイス１０２０、１０３０、および１０４０の各々に送信することができる。パケット１０６０は、インターリーブされたパターンに従って各個々の宛先デバイスに割り振られたデータトーンの別個のセットを含むことができる。
【０１１１】
[00166]したがって、図１６のシステム１０００は、ＩＥＥＥ８０２．１１ワイヤレスネットワーク上で通信するように、ソースデバイスおよび宛先デバイスが使用するためのＯＦＤＭＡデータトーンインターリービングパラメータを供給することができる。たとえば、インターリービングパラメータ１０１３、１０２３（またはそれの部分）は、図示のように、ソースデバイスおよび宛先デバイスのメモリに記憶され得る、ワイヤレス規格（たとえば、ＩＥＥＥ８０２．１１規格）によって規格化され得る、などである。本明細書で説明する様々なデータトーンプランはダウンリンク（ＤＬ）ＯＦＤＭＡ通信ならびにアップリンク（ＵＬ）ＯＦＤＭＡ通信の両方のために適用可能であり得ることに留意されたい。
【０１１２】
[00167]たとえば、ソースデバイス１０１０（たとえば、アクセスポイント）はワイヤレスネットワーク１０５０を介して（１つまたは複数の）信号を受信することができる。（１つまたは複数の）信号はアップリンクパケットに対応することができる。パケット中で、トーンの別個のセットが、宛先デバイス（たとえば、移動局）１０２０、１０３０、および１０４０の各々に割り振られ、その宛先デバイスによって送信されたアップリンクデータを搬送することができる。
【０１１３】
[00168]図１７に、ワイヤレス通信を送信および受信するために、図１６のワイヤレスデバイスなど、ワイヤレスデバイスにおいて実装され得る例示的な多入力多出力（ＭＩＭＯ）システム１１００を示す。システム１１００は、図１６の第１のデバイス１０１０と図１６の宛先デバイス１０２０とを含む。
【０１１４】
[00169]第１のデバイス１０１０は、エンコーダ１１０４と、インターリービングシステム１０１４と、複数の変調器１１０２ａ〜１１０２ｃと、複数の送信（ＴＸ）回路１１１０ａ〜１１１０ｃと、複数のアンテナ１１１２ａ〜１１１２ｃとを含む。宛先デバイス１０２０は、複数のアンテナ１１１４ａ〜１１１４ｃと、複数の受信（ＲＸ）回路１１１６ａ〜１１１６ｃと、ＭＩＭＯ検出器１１１８と、デコーダ１１２０とを含む。
【０１１５】
[00170]ビットシーケンスがエンコーダ１１０４に供給され得る。エンコーダ１１０４は、ビットシーケンスを符号化するように構成され得る。たとえば、エンコーダ１１０４は、ビットシーケンスに前方誤り訂正（ＦＥＣ）コードを適用するように構成され得る。ＦＥＣコードは、ブロックコード、畳み込みコード（たとえば、バイナリ畳み込みコード）などであり得る。符号化ビットシーケンスはインターリービングシステム１０１４に供給され得る。
【０１１６】
[00171]インターリービングシステム１０１４は、ストリームパーサ１１０６Ａと複数の空間ストリームインターリーバ１１０８ａ〜１１０８ｃとを含むことができる。ストリームパーサ１１０６Ａは、エンコーダ１１０４から複数の空間ストリームインターリーバ１１０８ａ〜１１０８ｃへの符号化ビットストリームをパースするように構成され得る。
【０１１７】
[00172]各インターリーバ１１０８ａ〜１１０８ｃは、周波数インターリービングを実施するように構成され得る。たとえば、ストリームパーサ１１０６Ａは、各空間ストリームについてシンボルごとにコード化ビットのブロックを出力することができる。各ブロックは、行に書き込み、列を読み出す、対応するインターリーバ１１０８ａ〜１１０８ｃによってインターリーブされ得る。列数（Ｎｃｏｌ）またはインターリーバ深度（interleaver depth）は、データトーン数（Ｎｄａｔａ）に基づき得る。行数（Ｎｒｏｗ）は、列数（Ｎｃｏｌ）およびデータトーン数（Ｎｄａｔａ）の関数であり得る。たとえば、行数（Ｎｒｏｗ）は、列数（Ｎｃｏｌ）で除算されたデータトーン数（Ｎｄａｔａ）に等しくなり得る（たとえば、Ｎｒｏｗ＝Ｎｄａｔａ／Ｎｃｏｌ）。
【０１１８】
[00173]帯域幅の各々（たとえば、５／１０／１５／２０／３０／４０／６０／８０／１００／１２０／１４０ＭＨｚの各々）のためのトーンプランは、いくつかの異なるファクタに基づいて選定され得ることに留意されたい。たとえば、上限は、送信が単一ユーザ帯域幅であるのか、特定の総帯域幅のためのＯＦＤＭＡ帯域幅の一部であるのかに少なくとも部分的に基づいて決定され得る。トーンプランはまた、ＣＦＯ要件に応じて、必要とされるＤＣトーン数に基づいて選定され得る。トーンプランはまた、ＤＬ／ＵＬスペクトルマスクを満たすために、およびＵＬ  ＯＦＤＭＡにおける異なるＳＴＡの送信間の干渉を最小限に抑えるために、必要とされるガードトーン数に基づいて選定され得る。さらに、トーンプランはまた、ＤＬ  ＯＦＤＭＡおよびＵＬ  ＯＦＤＭＡの各々のための十分なパイロットトーンがあることを保証するために必要とされるパイロットトーン数に基づいて選定され得る。概して、１６０ＭＨｚ（２０４８ＦＦＴ）トーンプランは、２つの８０ＭＨｚ（１０２４ＦＦＴ）トーンプランの複製であり得る。十分なＤＣ、ガード、およびパイロットトーン数についてのこれらの必要のために、十分な残りのトーン（上限−Ｎｄａｔａ）が残される必要がある。したがって、これはＮｄａｔａの選定につながり得る。
【０１１９】
[00174]図１８は、６４トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、５０データトーンブロックは、２、５、１０、または２５のインターリーバ深度を有することができる。様々な実施形態では、５４データトーンブロックは、２、３、６、９、１８、または２７のインターリーバ深度を有することができる。様々な実施形態では、５６データトーンブロックは、２、４、７、８、１４、または２８のインターリーバ深度を有することができる。様々な実施形態では、５８データトーンブロックは、２または２９のインターリーバ深度を有することができる。様々な実施形態では、６０データトーンブロックは、２、３、４、５、６、１０、１２、１５、２０、または３０のインターリーバ深度を有することができる。様々な実施形態では、５０データトーンブロックは、２または３１のインターリーバ深度を有することができる。
【０１２０】
[00175]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１２１】
[00176]たとえば、データトーンブロックが４つまたはそれ以下の空間ストリーム（Ｎｓｓ）を有する場合、ベースサブキャリア回転（ＮＲＯＴ）は、１〜２６のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１〜１８のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１２２】
[00177]図１９は、１２８トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、１１０データトーンブロックは、２、５、１０、１１、２２、または５５のインターリーバ深度を有することができる。様々な実施形態では、１１２データトーンブロックは、２、４、７、８、１４、１６、２８、または５６のインターリーバ深度を有することができる。様々な実施形態では、１１４データトーンブロックは、２、３、６、１９、３８、または５７のインターリーバ深度を有することができる。様々な実施形態では、１１６データトーンブロックは、２、４、２９、または５８のインターリーバ深度を有することができる。様々な実施形態では、１１８データトーンブロックは、２または５９のインターリーバ深度を有することができる。様々な実施形態では、１２０データトーンブロックは、２、３、４、５、６、８、１０、１２、１５、２０、２４、３０、４０、または６０のインターリーバ深度を有することができる。様々な実施形態では、１２２データトーンブロックは、２または６１のインターリーバ深度を有することができる。様々な実施形態では、１２４データトーンブロックは、２、４、３１、または６２のインターリーバ深度を有することができる。
【０１２３】
[00178]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
たとえば、データトーンブロックが４つまたはそれ以下の空間ストリーム（Ｎｓｓ）を有する場合、ベースサブキャリア回転（ＮＲＯＴ）は、１〜４２のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１〜２６のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１２４】
[00179]図２０は、１９２トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、１６８データトーンブロックは、２、３、４、６、７、８、１２、１４、２１、２４、２８、４２、５６、または８４のインターリーバ深度を有することができる。様々な実施形態では、１７０データトーンブロックは、２、５、１０、１７、３４、または８５のインターリーバ深度を有することができる。様々な実施形態では、１７２データトーンブロックは、２、４、４３、または８６のインターリーバ深度を有することができる。様々な実施形態では、１７４データトーンブロックは、２、３、６、２９、５８、または８７のインターリーバ深度を有することができる。様々な実施形態では、１７６データトーンブロックは、２、４、８、１１、１６、２２、４４、または８８のインターリーバ深度を有することができる。様々な実施形態では、１７８データトーンブロックは、２または８９のインターリーバ深度を有することができる。様々な実施形態では、１８０データトーンブロックは、２、３、４、５、６、９、１０、１２、１５、１８、２０、３０、３６、４５、６０、または９０のインターリーバ深度を有することができる。様々な実施形態では、１８２データトーンブロックは、２、７、１３、１４、２６、または９１のインターリーバ深度を有することができる。様々な実施形態では、１８４データトーンブロックは、２、４、８、２３、４６、または９２のインターリーバ深度を有することができる。様々な実施形態では、１８６データトーンブロックは、２、３、６、３１、６２、または９３のインターリーバ深度を有することができる。
【０１２５】
[00180]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１２６】
[00181]たとえば、データトーンブロックが４つまたはそれ以下の空間ストリーム（Ｎｓｓ）を有する場合、ベースサブキャリア回転（ＮＲＯＴ）は、３２〜５７のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１〜３４のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１２７】
[00182]図２１は、２５６トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、２３６データトーンブロックは、２、４、５９、または１１８のインターリーバ深度を有することができる。様々な実施形態では、２３８データトーンブロックは、２、７、１４、１７、３４、または１１９のインターリーバ深度を有することができる。様々な実施形態では、２４０データトーンブロックは、２、３、４、５、６、８、１０、１２、１５、１６、２０、２４、３０、４０、４８、６０、８０、または１２０のインターリーバ深度を有することができる。様々な実施形態では、２４２データトーンブロックは、２、１１、２２、または１２１のインターリーバ深度を有することができる。様々な実施形態では、２４４データトーンブロックは、２、４、６１、または１２２のインターリーバ深度を有することができる。様々な実施形態では、２４６データトーンブロックは、２、３、６、４１、８２、または１２３のインターリーバ深度を有することができる。様々な実施形態では、２４８データトーンブロックは、２、４、８、３１、６２、または１２４のインターリーバ深度を有することができる。
【０１２８】
[00183]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１２９】
[00184]たとえば、データトーンブロックが４つまたはそれ以下の空間ストリーム（Ｎｓｓ）を有する場合、ベースサブキャリア回転（ＮＲＯＴ）は、４９〜７３のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１〜４２のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１３０】
[00185]図２２は、３８４トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、３５０データトーンブロックは、２、５、７、１０、１４、２５、３５、５０、７０、または１７５のインターリーバ深度を有することができる。様々な実施形態では、３５２データトーンブロックは、２、４、８、１１、１６、２２、３２、４４、８８、または１７６のインターリーバ深度を有することができる。様々な実施形態では、３５４データトーンブロックは、２、３、６、５９、１１８、または１７７のインターリーバ深度を有することができる。様々な実施形態では、３５６データトーンブロックは、２、４、８９、または１７８のインターリーバ深度を有することができる。様々な実施形態では、３５７データトーンブロックは、３、７、１７、２１、５１、または１１９のインターリーバ深度を有することができる。様々な実施形態では、３５８データトーンブロックは、２または１７９のインターリーバ深度を有することができる。様々な実施形態では、３６０データトーンブロックは、２、３、４、５、６、８、９、１０、１２、１５、１８、２０、２４、３０、３６、４０、４５、６０、７２、９０、１２０、または１８０のインターリーバ深度を有することができる。様々な実施形態では、３６４データトーンブロックは、２、４、７、１３、１４、２６、２８、５２、９１、または１８２のインターリーバ深度を有することができる。様々な実施形態では、３６６データトーンブロックは、２、３、６、６１、１２２、または１８３のインターリーバ深度を有することができる。様々な実施形態では、３６８データトーンブロックは、２、４、８、１６、２３、４６、９２、または１８４のインターリーバ深度を有することができる。様々な実施形態では、３７０データトーンブロックは、２、５、１０、３７、７４、または１８５のインターリーバ深度を有することができる。様々な実施形態では、３７２データトーンブロックは、２、３、４、６、１２、３１、６２、９３、１２４、または１８６のインターリーバ深度を有することができる。
【０１３１】
[00186]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１３２】
[00187]たとえば、データトーンブロックが４つまたはそれ以下の空間ストリーム（Ｎｓｓ）を有する場合、ベースサブキャリア回転（ＮＲＯＴ）は、７７〜１０５のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、３３〜５８のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１３３】
[00188]図２３は、５１２トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、４７０データトーンブロックは、２、５、１０、４７、９４、または２３５のインターリーバ深度を有することができる。様々な実施形態では、４７２データトーンブロックは、２、４、８、５９、１１８、または２３６のインターリーバ深度を有することができる。様々な実施形態では、４７４データトーンブロックは、２、３、６、７９、１５８、または２３７のインターリーバ深度を有することができる。様々な実施形態では、４７６データトーンブロックは、２、４、７、１４、１７、２８、３４、６８、１１９、または２３８のインターリーバ深度を有することができる。様々な実施形態では、４７８データトーンブロックは、２または２３９のインターリーバ深度を有することができる。様々な実施形態では、４８０データトーンブロックは、２、３、４、５、６、８、１０、１２、１５、１６、２０、２４、３０、３２、４０、４８、６０、８０、９６、１２０、１６０、または２４０のインターリーバ深度を有することができる。様々な実施形態では、４８４データトーンブロックは、２、４、１１、２２、４４、１２１、または２４２のインターリーバ深度を有することができる。様々な実施形態では、４８６データトーンブロックは、２、３、６、９、１８、２７、５４、８１、１６２、または２４３のインターリーバ深度を有することができる。様々な実施形態では、４８８データトーンブロックは、２、４、８、６１、１２２、または２４４のインターリーバ深度を有することができる。様々な実施形態では、４９０データトーンブロックは、２、５、７、１０、１４、３５、４９、７０、９８、または２４５のインターリーバ深度を有することができる。様々な実施形態では、４９２データトーンブロックは、２、３、４、６、１２、４１、８２、１２３、１６４、または２４６のインターリーバ深度を有することができる。様々な実施形態では、４９６データトーンブロックは、２、４、８、１６、３１、６２、１２４、または２４８のインターリーバ深度を有することができる。様々な実施形態では、４９８データトーンブロックは、２、３、６、８３、１６６、または２４９のインターリーバ深度を有することができる。
【０１３４】
[00189]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１３５】
[00190]たとえば、データトーンブロックが４つまたはそれ以下の空間ストリーム（Ｎｓｓ）を有する場合、ベースサブキャリア回転（ＮＲＯＴ）は、１０７〜１３６のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、４８〜７３のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１３６】
[00191]図２４は、７６８トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、７３２データトーンブロックは、２、３、４、６、１２、６１、１２２、１８３、２４４、または３６６のインターリーバ深度を有することができる。様々な実施形態では、７３８データトーンブロックは、２、３、６、９、１８、４１、８２、１２３、２４６、または３６９のインターリーバ深度を有することができる。様々な実施形態では、７４０データトーンブロックは、２、４、５、１０、２０、３７、７４、１４８、１８５、または３７０のインターリーバ深度を有することができる。様々な実施形態では、７４４データトーンブロックは、２、３、４、６、８、１２、２４、３１、６２、９３、１２４、１８６、２４８、または３７２のインターリーバ深度を有することができる。
【０１３７】
[00192]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１３８】
[00193]たとえば、データトーンブロックが４つまたはそれ以下の空間ストリーム（Ｎｓｓ）を有する場合、ベースサブキャリア回転（ＮＲＯＴ）は、１７３〜１９９のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、８１〜１０５のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１３９】
[00194]図２５は、１０２４トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、９４８データトーンブロックは、２、３、４、６、１２、７９、１５８、２３７、３１６、または４７４のインターリーバ深度を有することができる。様々な実施形態では、９６０データトーンブロックは、２、３、４、５、６、８、１０、１２、１５、１６、２０、２４、３０、３２、４０、４８、６０、６４、８０、９６、１２０、１６０、１９２、２４０、３２０、または４８０のインターリーバ深度を有することができる。様々な実施形態では、９７２データトーンブロックは、２、３、４、６、９、１２、１８、２７、３６、５４、８１、１０８、１６２、２４３、３２４、または４８６のインターリーバ深度を有することができる。様々な実施形態では、９８０データトーンブロックは、２、４、５、７、１０、１４、２０、２８、３５、４９、７０、９８、１４０、１９６、２４５、または４９０のインターリーバ深度を有することができる。様々な実施形態では、９８４データトーンブロックは、２、３、４、６、８、１２、２４、４１、８２、１２３、１６４、２４６、３２８、または４９２のインターリーバ深度を有することができる。様々な実施形態では、９９０データトーンブロックは、２、３、５、６、９、１０、１１、１５、１８、２２、３０、３３、４５、５５、６６、９０、９９、１１０、１６５、１９８、３３０、または４９５のインターリーバ深度を有することができる。様々な実施形態では、９９６データトーンブロックは、２、３、４、６、１２、８３、１６６、２４９、３３２、または４９８のインターリーバ深度を有することができる。
【０１４０】
[00195]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１４１】
[00196]たとえば、データトーンブロックが４つまたはそれ以下の空間ストリーム（Ｎｓｓ）を有する場合、ベースサブキャリア回転（ＮＲＯＴ）は、２２７〜２５９のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１０８〜１３５のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１４２】
[00197]図２６は、１２８０トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、１２００データトーンブロックは、２、３、４、５、６、８、１０、１２、１５、１６、２０、２４、２５、３０、４０、４８、５０、６０、７５、８０、１００、１２０、１５０、２００、２４０、３００、４００、または６００のインターリーバ深度を有することができる。様々な実施形態では、１２０６データトーンブロックは、２、３、６、９、１８、６７、１３４、２０１、４０２、または６０３のインターリーバ深度を有することができる。様々な実施形態では、１２１２データトーンブロックは、２、３、４、６、１２、１０１、２０２、３０３、４０４、または６０６のインターリーバ深度を有することができる。様々な実施形態では、１２１８データトーンブロックは、２、３、６、７、１４、２１、２９、４２、５８、８７、１７４、２０３、４０６、または６０９のインターリーバ深度を有することができる。様々な実施形態では、１２２４データトーンブロックは、２、３、４、６、８、９、１２、１７、１８、２４、３４、３６、５１、６８、７２、１０２、１３６、１５３、２０４、３０６、４０８、または６１２のインターリーバ深度を有することができる。様々な実施形態では、１２３０データトーンブロックは、２、３、５、６、１０、１５、３０、４１、８２、１２３、２０５、２４６、４１０、または６１５のインターリーバ深度を有することができる。様々な実施形態では、１２３２データトーンブロックは、２、４、７、８、１１、１４、１６、２２、２８、４４、５６、７７、８８、１１２、１５４、１７６、３０８、または６１６のインターリーバ深度を有することができる。様々な実施形態では、１２３６データトーンブロックは、２、３、４、６、１２、１０３、２０６、３０９、４１２、または６１８のインターリーバ深度を有することができる。様々な実施形態では、１２４２データトーンブロックは、２、３、６、９、１８、２３、２７、４６、５４、６９、１３８、２０７、４１４、または６２１のインターリーバ深度を有することができる。
【０１４３】
[00198]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１４４】
[00199]たとえば、データトーンブロックが４つまたはそれ以下の空間ストリーム（Ｎｓｓ）を有する場合、ベースサブキャリア回転（ＮＲＯＴ）は、２９０〜３２１のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１４０〜１６６のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１４５】
[00200]図２７は、１５３６トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、１４２０データトーンブロックは、２、４、５、１０、２０、７１、１４２、２８４、３５５、または７１０のインターリーバ深度を有することができる。様々な実施形態では、１４２２データトーンブロックは、２、３、６、９、１８、７９、１５８、２３７、４７４、または７１１のインターリーバ深度を有することができる。様々な実施形態では、１４２４データトーンブロックは、２、４、８、１６、８９、１７８、３５６、または７１２のインターリーバ深度を有することができる。様々な実施形態では、１４２６データトーンブロックは、２、２３、３１、４６、６２、または７１３のインターリーバ深度を有することができる。様々な実施形態では、１４２８データトーンブロックは、２、３、４、６、７、１２、１４、１７、２１、２８、３４、４２、５１、６８、８４、１０２、１１９、２０４、２３８、３５７、４７６、または７１４のインターリーバ深度を有することができる。様々な実施形態では、１４３０データトーンブロックは、２、５、１０、１１、１３、２２、２６、５５、６５、１１０、１３０、１４３、２８６、または７１５のインターリーバ深度を有することができる。様々な実施形態では、１４３２データトーンブロックは、２、４、８、１７９、３５８、または７１６のインターリーバ深度を有することができる。様々な実施形態では、１４３４データトーンブロックは、２、３、６、２３９、４７８、または７１７のインターリーバ深度を有することができる。様々な実施形態では、１４３６データトーンブロックは、２、４、３５９、または７１８のインターリーバ深度を有することができる。様々な実施形態では、１４３８データトーンブロックは、２または７１９のインターリーバ深度を有することができる。様々な実施形態では、１４４０データトーンブロックは、２、３、４、５、６、８、９、１０、１２、１５、１６、１８、２０、２４、３０、３２、３６、４０、４５、４８、６０、７２、８０、９０、９６、１２０、１４４、１６０、１８０、２４０、２８８、３６０、４８０、または７２０のインターリーバ深度を有することができる。様々な実施形態では、１４５２データトーンブロックは、２、３、４、６、１１、１２、２２、３３、４４、６６、１２１、１３２、２４２、３６３、４８４、または７２６のインターリーバ深度を有することができる。様々な実施形態では、１４６４データトーンブロックは、２、３、４、６、８、１２、２４、６１、１２２、１８３、２４４、３６６、４８８、または７３２のインターリーバ深度を有することができる。様々な実施形態では、１４７０データトーンブロックは、２、３、５、６、７、１０、１４、１５、２１、３０、３５、４２、４９、７０、９８、１０５、１４７、２１０、２４５、２９４、４９０、または７３５のインターリーバ深度を有することができる。様々な実施形態では、１４８５データトーンブロ��クは、３、５、９、１１、１５、２７、３３、４５、５５、９９、１３５、１６５、２９７、または４９５のインターリーバ深度を有することができる。様々な実施形態では、１４８８データトーンブロックは、２、３、４、６、８、１２、１６、２４、３１、４８、６２、９３、１２４、１８６、２４８、３７２、４９６、または７４４のインターリーバ深度を有することができる。様々な実施形態では、１４９１データトーンブロックは、３、７、２１、７１、２１３、または４９７のインターリーバ深度を有することができる。
【０１４６】
[00201]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１４７】
[00202]たとえば、データトーンブロックが４つまたはそれ以下の空間ストリーム（Ｎｓｓ）を有する場合、ベースサブキャリア回転（ＮＲＯＴ）は、３４６〜３８３のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１６７〜１８７のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１４８】
[00203]図２８は、１７９２トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、１６６０データトーンブロックは、２、４、５、１０、２０、８３、１６６、３３２、４１５、または８３０のインターリーバ深度を有することができる。様々な実施形態では、１６６４データトーンブロックは、２、４、８、１３、１６、２６、３２、５２、６４、１０４、１２８、２０８、４１６、または８３２のインターリーバ深度を有することができる。様々な実施形態では、１６６８データトーンブロックは、２、３、４、６、１２、１３９、２７８、４１７、５５６、または８３４のインターリーバ深度を有することができる。様々な実施形態では、１６７２データトーンブロックは、２、４、８、１１、１９、２２、３８、４４、７６、８８、１５２、２０９、４１８、または８３６のインターリーバ深度を有することができる。様々な実施形態では、１６８０データトーンブロックは、２、３、４、５、６、７、８、１０、１２、１４、１５、１６、２０、２１、２４、２８、３０、３５、４０、４２、４８、５６、６０、７０、８０、８４、１０５、１１２、１２０、１４０、１６８、２１０、２４０、２８０、３３６、４２０、５６０、または８４０のインターリーバ深度を有することができる。様々な実施形態では、１６８８データトーンブロックは、２、４、８、２１１、４２２、または８４４のインターリーバ深度を有することができる。様々な実施形態では、１６９２データトーンブロックは、２、３、４、６、９、１２、１８、３６、４７、９４、１４１、１８８、２８２、４２３、５６４、または８４６のインターリーバ深度を有することができる。様々な実施形態では、１６９６データトーンブロックは、２、４、８、１６、３２、５３、１０６Ａ、２１２、４２４、または８４８のインターリーバ深度を有することができる。様々な実施形態では、１７００データトーンブロックは、２、４、５、１０、１７、２０、２５、３４、５０、６８、８５、１００、１７０、３４０、４２５、または８５０のインターリーバ深度を有することができる。様々な実施形態では、１７０４データトーンブロックは、２、３、４、６、８、１２、２４、７１、１４２、２１３、２８４、４２６、５６８、または８５２のインターリーバ深度を有することができる。様々な実施形態では、１７０８データトーンブロックは、２、４、７、１４、２８、６１、１２２、２４４、４２７、または８５４のインターリーバ深度を有することができる。様々な実施形態では、１７１０データトーンブロックは、２、３、５、６、９、１０、１５、１８、１９、３０、３８、４５、５７、９０、９５、１１４、１７１、１９０、２８５、３４２、５７０、または８５５のインターリーバ深度を有することができる。様々な実施形態では、１７１２データトーンブロックは、２、４、８、１６、１０７、２１４、４２８、または８５６のインターリーバ深度を有することができる。様々な実施形態では、１７１６データトーンブ��ックは、２、３、４、６、１１、１２、１３、２２、２６、３３、３９、４４、５２、６６、７８、１３２、１４３、１５６、２８６、４２９、５７２、または８５８のインターリーバ深度を有することができる。様々な実施形態では、１７２０データトーンブロックは、２、４、５、８、１０、２０、４０、４３、８６、１７２、２１５、３４４、４３０、または８６０のインターリーバ深度を有することができる。様々な実施形態では、１７２８データトーンブロックは、２、３、４、６、８、９、１２、１６、１８、２４、２７、３２、３６、４８、５４、６４、７２、９６、１０８、１４４、１９２、２１６、２８８、４３２、５７６、または８６４のインターリーバ深度を有することができる。様々な実施形態では、１７４０データトーンブロックは、２、３、４、５、６、１０、１２、１５、２０、２９、３０、５８、６０、８７、１１６、１４５、１７４、２９０、３４８、４３５、５８０、または８７０のインターリーバ深度を有することができる。様々な実施形態では、１７４５データトーンブロックは、５または３４９のインターリーバ深度を有することができる。
【０１４９】
[00204]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
たとえば、データトーンブロックが４つまたはそれ以下の空間ストリーム（Ｎｓｓ）を有する場合、ベースサブキャリア回転（ＮＲＯＴ）は、４０５〜４４７のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１９７〜２２９のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１５０】
[00205]再び図１７を参照すると、各インターリーバ１１０８ａ〜１１０８ｃの出力（たとえば、送信ストリーム）は、対応する変調器１１０２ａ〜１１０２ｃに供給され得る。各変調器１１０２ａ〜１１０２ｃは、対応する送信ストリームを変調し、変調された送信ストリームを対応する送信回路１１１０ａ〜１１１０ｃに渡すように構成され得る。特定の実施形態では、ビット（たとえば、送信ストリーム）は、４位相シフトキーイング（ＱＰＳＫ：Quadrature Phase Shift Keying）変調、２位相シフトキーイング（ＢＰＳＫ：Binary Phase Shift Keying）変調、または直交振幅変調（ＱＡＭ：Quadrature Amplitude Modulation）（たとえば、１６ＱＡＭ、６４ＱＡＭ、２５６ＱＡＭ）を使用して変調され得る。送信回路１１１０ａ〜１１１０ｃは、対応するアンテナ１１１２ａ〜１１１２ｃを介してワイヤレスネットワーク（たとえば、ＩＥＥＥ８０２．１１ワイヤレスネットワーク）上で変調された送信ストリームを送信するように構成され得る。
【０１５１】
[00206]特定の実施形態では、アンテナ１１１２ａ〜１１１２ｃは、別個の空間的に分離したアンテナである。別の実施形態では、別個の信号が、異なる偏波に合成され、アンテナ１１１２ａ〜１１１２ｃのサブセットを介して送信され得る。たとえば、別個の信号が合成され得、ここで、空間回転または空間拡散が実施され、複数の空間ストリームが単一のアンテナにマッピングされる。
【０１５２】
[00207]宛先デバイス１０２９の受信回路１１１６ａ〜１１１６ｃは、対応するアンテナ１１１４ａ〜１１１４ｃを介してインターリーブされた符号化ビットを受信することができる。受信回路１１１６ａ〜１１１６ｃの出力はＭＩＭＯ検出器１１１８に供給され、ＭＩＭＯ検出器１１１８の出力はデコーダ１１２０に供給される。特定の実施形態では、ＭＩＭＯ検出器１１１８は、インターリービングシステム１０１４の逆の動作を実施するように構成されたデインターリービングシステムを含むことができる。デコーダ１１２０は、回復不能なエラーがなければ、エンコーダ１１０４に供給された送信されたビットと同じである受信されたビットを出力することができる。
【０１５３】
[00208]概して、ＬＤＰＣトーンマッピング距離（ＤＴＭ）は、ＩＥＥＥ８０２．１１ａｃ仕様において定義されている。マッピング距離（ＤＴＭ）は、各ＬＤＰＣコードワードはトーンの全範囲をカバーするように、少なくとも、ＬＤＰＣコードワード長（ＬＣＷ）で除算されたＯＦＤＭシンボルごとのコード化ビット数（ＮＣＢＰＳ）と同じ大きさであり得る（たとえば、ＮＣＢＰＳ／ＬＣＷ≦ＤＴＭ）。さらに、マッピング距離（ＤＴＭ）はサブキャリア数の整数約数（Ｎｄａｔａ）であり得る。マッピング距離（ＤＴＭ）は、固定トーン処理を用いる、受信回路１１１６ａ〜１１１６ｃの高速フーリエ変換（ＦＦＴ）モジュールにおいて実装されたトーンデマッパを使用可能にするために、各帯域幅内のレートにわたって一定であり得る。
【０１５４】
[00209]ＭＣＳの有効性は、ＩＥＥＥ８０２．１１ａｃ仕様において定義されている。概して、ＭＣＳが有効であるかどうかを決定するためのルールは、サブキャリアごとのコード化ビット数が、符号化ストリーム数の整数倍でなければならないことである。さらに、符号化ストリームごとのコード化ビット数は、コードレートにおける分母の整数倍でなければならない。したがって、いくつかのＭＣＳと空間ストリームの組合せは、これらの条件が満たされないとき、無効であり得る。したがって、上記で説明した各潜在的Ｎｄａｔａ値について、様々な除外のリスティングとともに、いくつかの除外が与えられる。いくつかの態様では、最小数の除外を有するＮｄａｔａの値を選択することが有益であり得る。
【０１５５】
[00210]図２９は、別の６４トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、３８データトーンブロックは、２または１９のインターリーバ深度を有することができる。様々な実施形態では、４０データトーンブロックは、２、４、５、８、１０、または２０インターリーバ深度を有することができる。様々な実施形態では、４２データトーンブロックは、２、３、６、７、１４、または２１のインターリーバ深度を有することができる。様々な実施形態では、４４データトーンブロックは、２、４、１１、または２２のインターリーバ深度を有することができる。様々な実施形態では、４６データトーンブロックは、２または２３のインターリーバ深度を有することができる。様々な実施形態では、４８データトーンブロックは、２、３、４、６、８、１２、１６、または２４のインターリーバ深度を有することができる。
【０１５６】
[00211]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１５７】
[00212]たとえば、データトーンブロックが４つまたはそれ以下の空間ストリーム（Ｎｓｓ）を有する場合、ベースサブキャリア回転（ＮＲＯＴ）は、１〜１６のいずれかであり得る。回転インデックス（たとえば、図２９の第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１〜１０のいずれかであり得る。回転インデックス（たとえば、図２９の第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０１５８】
[00213]図３０は、別の１２８トーンプラン実施形態による、様々なデータトーン数のための候補インターリーバパラメータを示すチャートである。特定の実施形態では、インターリーバ深度（たとえば、列数（ＮＣＯＬ））はデータトーン数（Ｎｄａｔａ）の因数であり得る。様々な実施形態では、９６データトーンブロックは、２、３、４、６、８、１２、１６、２４、３２、または４８のインターリーバ深度を有することができる。様々な実施形態では、９８データトーンブロックは、２、７、１４、または４９インターリーバ深度を有することができる。様々な実施形態では、１００データトーンブロックは、２、４、５、１０、２０、２５、または５０のインターリーバ深度を有することができる。様々な実施形態では、１０２データトーンブロックは、２、３、６、１７、３４、または５１のインターリーバ深度を有することができる。様々な実施形態では、１０４データトーンブロックは、２、４、８、１３、２６、または５２のインターリーバ深度を有することができる。様々な実施形態では、１０６Ａデータトーンブロックは、２または５３のインターリーバ深度を有することができる。
【０１５９】
[00214]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（ＮＳＳ）とに基づき得る。
【０１６０】
[00215]たとえば、データトーンブロックが４つまたはそれ以下の空間ストリーム（Ｎｓｓ）を有する場合、ベースサブキャリア回転（ＮＲＯＴ）は、１、２、３、４、５、６、７、８、９、１０、１１、１２、１３、１４、１５、１６、１７、１８、１９、２０、２１、２２、２３、２４、２５、２６、２７、２８、２９、３０、または３１のいずれかであり得る。回転インデックス（たとえば、図３０の第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１、２、３、４、５、６、７、８、９、１０、１１、１２、１３、１４、１５、１６、１７、または１８のいずれかであり得る。回転インデックス（たとえば、図３０の第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。
【０１６１】
[00216]図３１は、別の２５６トーンプラン実施形態による、様々なデータトーン数のための候補インターリーバパラメータを示すチャートである。特定の実施形態では、インターリーバ深度（たとえば、列数（ＮＣＯＬ））はデータトーン数（Ｎｄａｔａ）の因数であり得る。様々な実施形態では、２１６データトーンブロックは、２、３、４、６、８、９、１２、１８、２４、２７、３６、５４、７２、または１０８のインターリーバ深度を有することができる。様々な実施形態では、２１８データトーンブロックは、２または１０９インターリーバ深度を有することができる。様々な実施形態では、２２０データトーンブロックは、２、４、５、１０、１１、２０、２２、４４、５５、または１１０のインターリーバ深度を有することができる。様々な実施形態では、２２２データトーンブロックは、２、３、６、３７、７４、または１１１のインターリーバ深度を有することができる。様々な実施形態では、２２４データトーンブロックは、２、４、７、８、１４、１６、２８、３２、５６、または１１２のインターリーバ深度を有することができる。様々な実施形態では、２２５データトーンブロックは、３、５、９、１５、２５、４５、または７５のインターリーバ深度を有することができる。様々な実施形態では、２２６データトーンブロックは、２または１１３のインターリーバ深度を有することができる。様々な実施形態では、２２８データトーンブロックは、２、３、４、６、１２、１９、３８、５７、７６、または１１４のインターリーバ深度を有することができる。様々な実施形態では、２３０データトーンブロックは、２、５、１０、２３、４６、または１１５のインターリーバ深度を有することができる。様々な実施形態では、２３２データトーンブロックは、２、４、８、２９、５８、または１１６のインターリーバ深度を有することができる。
【０１６２】
[00217]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（ＮＳＳ）とに基づき得る。
【０１６３】
[00218]たとえば、データトーンブロックが４つまたはそれ以下の空間ストリーム（Ｎｓｓ）を有する場合、ベースサブキャリア回転（ＮＲＯＴ）は、５０、５１、５２、５３、５４、５５、５６、５７、５８、５９、６０、６１、または６２のいずれかであり得る。回転インデックス（たとえば、図３１の第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１、２、３、４、５、６、７、８、９、１０、１１、１２、１３、１４、１５、１６、１７、１８、１９、２０、２１、２２、２３、２４、２５、２６、２７、２８、２９、３０、３１、３２、または３３のいずれかであり得る。回転インデックス（たとえば、図３１の第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。
【０１６４】
[00219]図３２は、別の５１２トーンプラン実施形態による、様々なデータトーン数のための候補インターリーバパラメータを示すチャートである。特定の実施形態では、インターリーバ深度（たとえば、列数（ＮＣＯＬ））はデータトーン数（Ｎｄａｔａ）の因数であり得る。様々な実施形態では、４７４データトーンブロックは、２、３、６、７９、１５８、または２３７のインターリーバ深度を有することができる。様々な実施形態では、４７６データトーンブロックは、２、４、７、１４、１７、２８、３４、６８、１１９、または２３８のインターリーバ深度を有することができる。様々な実施形態では、４８０データトーンブロックは、２、３、４、５、６、８、１０、１２、１５、１６、２０、２４、３０、３２、４０、４８、６０、８０、９６、１２０、１６０、または２４０のインターリーバ深度を有することができる。
【０１６５】
[00220]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１６６】
[00221]たとえば、データトーンブロックが４つまたはそれ以下の空間ストリーム（Ｎｓｓ）を有する場合、ベースサブキャリア回転（ＮＲＯＴ）は、１１３、１１４、１１５、１１６、１１７、１１８、１１９、１２０、１２１、１２２、１２３、１２４、１２５、１２６、または１２７のいずれかであり得る。回転インデックス（たとえば、図３２の第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、５４、５５、５６、５７、５８、５９、６０、６１、６２、６３、６４、６５、または６６のいずれかであり得る。回転インデックス（たとえば、図３２の第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。
【０１６７】
[00222]図３３は、別の１０２４トーンプラン実施形態による、様々なデータトーン数のための候補インターリーバパラメータを示すチャートである。特定の実施形態では、インターリーバ深度（たとえば、列数（ＮＣＯＬ））はデータトーン数（Ｎｄａｔａ）の因数であり得る。様々な実施形態では、９４８データトーンブロックは、２、３、４、６、１２、７９、１５８、２３７、３１６、または４７４のインターリーバ深度を有することができる。様々な実施形態では、９６０データトーンブロックは、２、３、４、５、６、８、１０、１２、１５、１６、２０、２４、３０、３２、４０、４８、６０、６４、８０、９６、１２０、１６０、１９２、２４０、３２０、または４８０のインターリーバ深度を有することができる。様々な実施形態では、９７２データトーンブロックは、２、３、４、６、９、１２、１８、２７、３６、５４、８１、１０８、１６２、２４３、３２４、または４８６のインターリーバ深度を有することができる。様々な実施形態では、９８０データトーンブロックは、２、４、５、７、１０、１４、２０、２８、３５、４９、７０、９８、１４０、１９６、２４５、または４９０のインターリーバ深度を有することができる。様々な実施形態では、９８４データトーンブロックは、２、３、４、６、８、１２、２４、４１、８２、１２３、１６４、２４６、３２８、または４９２のインターリーバ深度を有することができる。様々な実施形態では、９９０データトーンブロックは、２、３、５、６、９、１０、１１、１５、１８、２２、３０、３３、４５、５５、６６、９０、９９、１１０、１６５、１９８、３３０、または４９５のインターリーバ深度を有することができる。様々な実施形態では、９９６データトーンブロックは、２、３、４、６、１２、８３、１６６、２４９、３３２、または４９８のインターリーバ深度を有することができる。
【０１６８】
[00223]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０１６９】
[00224]たとえば、データトーンブロックが４つまたはそれ以下の空間ストリーム（Ｎｓｓ）を有する場合、ベースサブキャリア回転（ＮＲＯＴ）は、２３２、２３３、２３４、２３５、２３６、２３７、２３８、２３９、２４０、２４１、２４２、２４３、２４４、２４５、２４６、２４７、２４８、２４９、２５０、２５１、２５２、２５３、または２５４のいずれかであり得る。回転インデックス（たとえば、図３３の第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１１３、１１４、１１５、１１６、１１７、１１８、１１９、１２０、１２１、１２２、１２３、１２４、１２５、１２６、１２７、１２８、１２９、または１３０のいずれかであり得る。回転インデックス（たとえば、図３３の第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。
【０１７０】
[00225]図３４に、様々な実施形態による、３２０トーン２５ＭＨｚトーンプランについての上限を示す。４０ＭＨｚ  ＯＦＤＭＡ送信では、３つのＤＣトーンがあるときの２５ＭＨｚ部分におけるデータトーン数は、Ｆｌｏｏｒ（４８８＊５／８）＝３０５であり得る。４０ＭＨｚ  ＯＦＤＭＡ送信では、５つのＤＣトーンがあるときの２５ＭＨｚ部分におけるデータトーン数は、Ｆｌｏｏｒ（４８６＊５／８）＝３０３であり得る。４０ＭＨｚ  ＯＦＤＭＡ送信では、７つのＤＣトーンがあるときの２５ＭＨｚ部分におけるデータトーン数は、Ｆｌｏｏｒ（４８４＊５／８）＝３０２であり得る。４０ＭＨｚ  ＯＦＤＭＡ送信では、１１個のＤＣトーンがあるときの２５ＭＨｚ部分におけるデータトーン数は、Ｆｌｏｏｒ（４８０＊５／８）＝３００であり得る。
【０１７１】
[00226]８０または１６０ＭＨｚ  ＯＦＤＭＡ送信では、３つのＤＣトーンがあるときの２５ＭＨｚ部分におけるデータトーン数は、Ｆｌｏｏｒ（９９８＊５／１６）＝３１１であり得る。８０または１６０ＭＨｚ  ＯＦＤＭＡ送信では、５つのＤＣトーンがあるときの２５ＭＨｚ部分におけるデータトーン数は、Ｆｌｏｏｒ（９９６＊５／１６）＝３１１であり得る。８０または１６０ＭＨｚ  ＯＦＤＭＡ送信では、７つのＤＣトーンがあるときの２５ＭＨｚ部分におけるデータトーン数は、Ｆｌｏｏｒ（９９４＊５／１６）＝３１０であり得る。８０または１６０ＭＨｚ  ＯＦＤＭＡ送信では、１１個のＤＣトーンがあるときの２５ＭＨｚ部分におけるデータトーン数は、Ｆｌｏｏｒ（９９０＊５／１６）＝３０９であり得る。したがって、３２０トーン送信のための統合された上限は、３１１個のデータトーンであり得る。これは、リストされた構成のいずれかにおける、可能な最高データトーン数である。
【０１７２】
[00227]図３５に、様々な実施形態による、５７６トーン４５ＭＨｚトーンプランについての上限を示す。８０または１６０ＭＨｚ  ＯＦＤＭＡ送信では、３つのＤＣトーンがあるときの４５ＭＨｚ部分におけるデータトーン数は、Ｆｌｏｏｒ（９９８＊９／１６）＝５６１であり得る。８０または１６０ＭＨｚ  ＯＦＤＭＡ送信では、５つのＤＣトーンがあるときの４５ＭＨｚ部分におけるデータトーン数は、Ｆｌｏｏｒ（９９６＊９／１６）＝５６０であり得る。８０または１６０ＭＨｚ  ＯＦＤＭＡ送信では、７つのＤＣトーンがあるときの４５ＭＨｚ部分におけるデータトーン数は、Ｆｌｏｏｒ（９９４＊９／１６）＝５５９であり得る。８０または１６０ＭＨｚ  ＯＦＤＭＡ送信では、１１個のＤＣトーンがあるときの４５ＭＨｚ部分におけるデータトーン数は、Ｆｌｏｏｒ（９９０＊９／１６）＝５５６であり得る。したがって、５７６トーン送信のための統合された上限は、５６１個のデータトーンであり得る。これは、リストされた構成のいずれかにおける、可能な最高データトーン数である。
【０１７３】
[00228]図３６に、様々な実施形態による、６４０トーン５０ＭＨｚトーンプランについての上限を示す。８０または１６０ＭＨｚ  ＯＦＤＭＡ送信では、３つのＤＣトーンがあるときの５０ＭＨｚ部分におけるデータトーン数は、Ｆｌｏｏｒ（９９８＊５／８）＝６２３であり得る。８０または１６０ＭＨｚ  ＯＦＤＭＡ送信では、５つのＤＣトーンがあるときの５０ＭＨｚ部分におけるデータトーン数は、Ｆｌｏｏｒ（９９６＊５／８）＝６２２であり得る。８０または１６０ＭＨｚ  ＯＦＤＭＡ送信では、７つのＤＣトーンがあるときの５０ＭＨｚ部分におけるデータトーン数は、Ｆｌｏｏｒ（９９４＊５／８）＝６２１であり得る。８０または１６０ＭＨｚ  ＯＦＤＭＡ送信では、１１個のＤＣトーンがあるときの５０ＭＨｚ部分におけるデータトーン数は、Ｆｌｏｏｒ（９９０＊５／８）＝６１８であり得る。したがって、６４０トーン送信のための統合された上限は、６２３個のデータトーンであり得る。これは、リストされた構成のいずれかにおける、可能な最高データトーン数である。
【０１７４】
[00229]図３７に、様々な実施形態による、１０８８トーン８５ＭＨｚトーンプランについての上限を示す。８０または１６０ＭＨｚ  ＯＦＤＭＡ送信では、３つのＤＣトーンがあるときの８５ＭＨｚ部分におけるデータトーン数は、Ｆｌｏｏｒ（９９８＊１７／１６）＝１０６０であり得る。８０または１６０ＭＨｚ  ＯＦＤＭＡ送信では、５つのＤＣトーンがあるときの８５ＭＨｚ部分におけるデータトーン数は、Ｆｌｏｏｒ（９９６＊１７／１６）＝１０５８であり得る。８０または１６０ＭＨｚ  ＯＦＤＭＡ送信では、７つのＤＣトーンがあるときの８５ＭＨｚ部分におけるデータトーン数は、Ｆｌｏｏｒ（９９４＊１７／１６）＝１０５６であり得る。８０または１６０ＭＨｚ  ＯＦＤＭＡ送信では、１１個のＤＣトーンがあるときの８５ＭＨｚ部分におけるデータトーン数は、Ｆｌｏｏｒ（９９０＊１７／１６）＝１０５１であり得る。したがって、１０８８トーン送信のための統合された上限は、１０６０個のデータトーンであり得る。これは、リストされた構成のいずれかにおける、可能な最高データトーン数である。
【０１７５】
[00230]図３８に、様々な実施形態による、１１５２トーン９０ＭＨｚトーンプランについての上限を示す。８０または１６０ＭＨｚ  ＯＦＤＭＡ送信では、３つのＤＣトーンがあるときの９０ＭＨｚ部分におけるデータトーン数は、Ｆｌｏｏｒ（９９８＊９／８）＝１１２２であり得る。８０または１６０ＭＨｚ  ＯＦＤＭＡ送信では、５つのＤＣトーンがあるときの９０ＭＨｚ部分におけるデータトーン数は、Ｆｌｏｏｒ（９９６＊９／８）＝１１２０であり得る。８０または１６０ＭＨｚ  ＯＦＤＭＡ送信では、７つのＤＣトーンがあるときの９０ＭＨｚ部分におけるデータトーン数は、Ｆｌｏｏｒ（９９４＊９／８）＝１１１８であり得る。８０または１６０ＭＨｚ  ＯＦＤＭＡ送信では、１１個のＤＣトーンがあるときの９０ＭＨｚ部分におけるデータトーン数は、Ｆｌｏｏｒ（９９０＊９／８）＝１１３であり得る。したがって、１１５２トーン送信のための統合された上限は、１１２２個のデータトーンであり得る。これは、リストされた構成のいずれかにおける、可能な最高データトーン数である。
【０１７６】
[00231]様々な実施形態では、１つまたは複数のサブバンドが、複数の割振りユニットによって形成され得る。複数の割振りユニットは、１ｘＯＦＤＭＡトーンプランおよび／または４ｘＯＦＤＭＡトーンプランから選択され得る。様々な実施形態では、複数の割振りユニットは、２つまたはそれ以上の別個の割振りユニットであり得る。たとえば、２．５ＭＨｚサブバンド、５ＭＨｚサブバンド、７．５ＭＨｚサブバンド、１０ＭＨｚサブバンド、１２．５ＭＨｚサブバンド、１５ＭＨｚサブバンド、１７．５ＭＨｚサブバンド、２０ＭＨｚサブバンド、２５ＭＨｚサブバンド、３０ＭＨｚサブバンド、４５ＭＨｚサブバンド、５０ＭＨｚサブバンド、６０ＭＨｚサブバンド、８５ＭＨｚサブバンド、９０ＭＨｚサブバンド、１００ＭＨｚサブバンド、１２０ＭＨｚサブバンド、および／または１４０ＭＨｚサブバンドのＯＦＤＭＡサブバンド帯域幅が、本明細書で説明するものなど、２．５ＭＨｚサブバンドトーンプラン、５ＭＨｚサブバンドトーンプラン、１０ＭＨｚサブバンドトーンプラン、２０ＭＨｚサブバンドトーンプラン、４０ＭＨｚサブバンドトーンプラン、および８０ＭＨｚサブバンドトーンプラン、または他のプランから選択された２つまたはそれ以上の別個の割振りユニットから形成され得る。複数の割振りユニットを選択することは、トーンプラン数を減少させながらスループットを増加させることができ、ＭＣＳ除外数を低減し得る。いくつかの事例では、異なる周波数割振りユニットにおける同じユーザのためのデータは、別々にまたは一緒に符号化／復号され得、異なる周波数割振りユニットにおける同じユーザのためのコード化ビットは、別々にインターリーブ／デインターリーブされ得る。
【０１７７】
[00232]複数の割振りユニットの各々は、別々に符号化／復号され、別々にインターリーブ／デインターリーブされたトーンプランを含むことができる。したがって、Ｎｄａｔａ（データトーン数）およびＮｐｉｌｏｔ（パイロットトーン数）は、それぞれ、複数の選択された割振りユニットの間のすべてのデータおよびパイロットトーンの和である。残りのトーン（たとえば、上限−Ｎｄａｔａ）は、トラッキング改良、チャネル推定改良のために、および／またはＡＣＫ、サブバンドサウンディング、電力制御コマンド、ＭＣＳ上／下制御コマンドなどの追加情報を搬送するために使用される、追加のＤＣトーン、パイロットトーン、エッジガードトーン、および／またはＵＬユーザガードトーンに割り当てられ得る。各割振りユニットは、それ自体によって符号化／インターリーブされ、それのＢＣＣインターリービング深度ＮＣＯＬとＬＤＰＣトーンマッピング距離ＤＴＭとを有する。ＭＣＳの除外組合せおよびデータストリーム数は、サブバンドを形成するすべてのＯＦＤＭＡ割振りユニットの組合せの集合である。
【０１７８】
[00233]図３９に、様々な実施形態による、複数の割振りユニットを使用する例示的なサブバンド形成を示す。特に、図３９は、１５ＭＨｚサブバンド、２５ＭＨｚサブバンド、３０ＭＨｚサブバンド、４５ＭＨｚサブバンド、５０ＭＨｚサブバンド、６０ＭＨｚサブバンド、８５ＭＨｚサブバンド、９０ＭＨｚサブバンド、１００ＭＨｚサブバンド、１２０ＭＨｚサブバンド、および／または１４０ＭＨｚサブバンドが、５ＭＨｚサブバンド、１０ＭＨｚサブバンド、２０ＭＨｚサブバンド、４０ＭＨｚサブバンド、および８０ＭＨｚサブバンドから選択された２つまたはそれ以上の別個の割振りユニットからどのように形成され得るかを示す。たとえば、１５ＭＨｚサブバンドは、１２８トーンプランとともに６４トーンプランを使用して形成された１９２トーンプランを有する、５ＭＨｚサブバンドおよび１０ＭＨｚサブバンドの複数割振りによって形成され得る。
【０１７９】
[00234]別の例として、２５ＭＨｚサブバンドは、２５６トーンプランとともに６４トーンプランを使用して形成された３２０トーンプランを有する、５ＭＨｚサブバンドおよび２０ＭＨｚサブバンドの複数割振りによって形成され得る。別の例として、３０ＭＨｚサブバンドは、２５６トーンプランとともに１２８トーンプランを使用して形成された３８４トーンプランを有する、１０ＭＨｚサブバンドおよび２０ＭＨｚサブバンドの複数割振りによって形成され得る。別の例として、４５ＭＨｚサブバンドは、５１２トーンプランとともに６４トーンプランを使用して形成された５７６トーンプランを有する、５ＭＨｚサブバンドおよび４０ＭＨｚサブバンドの複数割振りによって形成され得る。
【０１８０】
[00235]別の例として、５０ＭＨｚサブバンドは、５１２トーンプランとともに１２８トーンプランを使用して形成された６４０トーンプランを有する、１０ＭＨｚサブバンドおよび４０ＭＨｚサブバンドの複数割振りによって形成され得る。別の例として、６０ＭＨｚサブバンドは、５１２トーンプランとともに２５６トーンプランを使用して形成された７６８トーンプランを有する、２０ＭＨｚサブバンドおよび４０ＭＨｚサブバンドの複数割振りによって形成され得る。別の例として、８５ＭＨｚサブバンドは、１０２４トーンプランとともに６４トーンプランを使用して形成された１０８８トーンプランを有する、５ＭＨｚサブバンドおよび８０ＭＨｚサブバンドの複数割振りによって形成され得る。
【０１８１】
[00236]別の例として、９０ＭＨｚサブバンドは、１０２４トーンプランとともに１２８トーンプランを使用して形成された１１５２トーンプランを有する、１０ＭＨｚサブバンドおよび８０ＭＨｚサブバンドの複数割振りによって形成され得る。別の例として、１００ＭＨｚサブバンドは、１０２４トーンプランとともに２５６トーンプランを使用して形成された１２８０トーンプランを有する、２０ＭＨｚサブバンドおよび８０ＭＨｚサブバンドの複数割振りによって形成され得る。別の例として、１２０ＭＨｚサブバンドは、１０２４トーンプランとともに５１２トーンプランを使用して形成された１５３６トーンプランを有する、４０ＭＨｚサブバンドおよび８０ＭＨｚサブバンドの複数割振りによって形成され得る。
【０１８２】
[00237]本明細書で説明する多くの例示的な複数の割振りユニットは、２つの別個の割振りユニットを含むが、３つまたはそれ以上の別個の割振りユニットの組合せも考えられ得る。たとえば、１４０ＭＨｚサブバンドは、５１２トーンプランおよび１０２４トーンプランとともに２５６トーンプランを使用して形成された１７９２トーンプランを有する、２０ＭＨｚサブバンド、４０ＭＨｚサブバンド、および８０ＭＨｚサブバンドの複数割振りによって形成され得る。
【０１８３】
[00238]図３９は例示的なトーンプラン構成を示すが、様々な実施形態では、サブバンドのためのトーンプランは、以下の基準、すなわち、サブバンドがＳＵ帯域幅であるのか特定の総帯域幅のためのＯＦＤＭＡ帯域幅であるのかに基づく上限と、ＣＦＯパラメータに基づくＤＣトーン数と、ＤＬ／ＵＬスペクトルマスクパラメータおよび／またはＵＬにおけるＳＴＡ間の干渉の最小化に基づくガードトーン数と、各ＤＬ／ＵＬ  ＯＦＤＭＡユーザのための十分なパイロットトーンパラメータに基づくパイロットトーン数とのうちの１つまたは複数の任意の組合せに従って決定され得る。したがって、所望の残りのトーン数が決定され得、Ｎｄａｔａが、上限−所望の残りのトーンに基づいて選定され得る。
【０１８４】
[00239]図４０に、図１のワイヤレス通信システム１００内で採用され得るワイヤレス通信の例示的な方法のフローチャート４０００を示す。本方法は、ＡＰ１０４（図１）、ＳＴＡ１０６Ａ〜１０６Ｄ（図１）のいずれか、図２に示されたワイヤレスデバイス２０２、デバイス１０１０、１０２０、１０３０、または１０４０（図１６）など、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図１６のシステム１０００に関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で実施されるか、または省略され得、さらなるブロックが追加され得る。
【０１８５】
[00240]最初に、ブロック４０１０において、ワイヤレスデバイスは、ワイヤレスメッセージの通信のための複数のチャネルのための割振りを決定する。たとえば、ＡＰ１０４は、メモリから記憶された割振りを取り出すかまたは割振りを動的に決定することができ、ＳＴＡ１０６Ａに割振りを送信することができる。ＳＴＡ１０６Ａは、割振りを受信することができるか、メモリから割振りを取り出すことができるか、または割振りを動的に決定することができる。たとえば、ＳＴＡ１０６Ａは、５ＭＨｚサブバンドおよび１０ＭＨｚサブバンドのための割振りを受信することができる。
【０１８６】
[00241]様々な実施形態では、複数のチャネルのための割振りを決定することは、２．５ＭＨｚチャネル、５ＭＨｚチャネル、１０ＭＨｚチャネル、２０ＭＨｚチャネル、４０ＭＨｚチャネル、および８０ＭＨｚチャネルの組合せのための割振りを受信することを含むことができる。様々な実施形態では、複数のチャネルのための割振りを決定することは、３２トーンプラン、６４トーンプラン、１２８トーンプラン、２５６トーンプラン、５１２トーンプラン、および１０２４トーンプランに関連するチャネルの組合せのための割振りを受信することを含むことができる。たとえば、割振りおよびトーンプランは、図３９または本明細書の他の開示に従って、決定、送信、および／または受信され得る。
【０１８７】
[00242]次に、ブロック４０２０において、ワイヤレスデバイスは、複数の割り振られたチャネルの各々に関連するトーンプランに基づく組合せトーンプランを選択する。たとえば、ＳＴＡ１０６Ａは、５ＭＨｚサブバンドおよび１０ＭＨｚサブバンドの割振りに基づく１５ＭＨｚ帯域幅に関連する１９２トーンプランを選択することができる。様々な実施形態では、トーンプランは、図３９または本明細書の他の開示による、サブチャネル割振りに関連し得る。
【０１８８】
[00243]様々な実施形態では、組合せトーンプランを選択することは、２つまたはそれ以上の２６トーン割振りユニット、５２トーン割振りユニット、１０６トーン割振りユニット、２４２トーン割振りユニット、４８４トーン割振りユニット、および９９６トーン割振りユニットの組合せを選択することと、選択された組合せに基づく組合せトーンプランとして、１５０個のデータトーン、２８２個のデータトーン、３３６個のデータトーン、５１６個のデータトーン、５７０個のデータトーン、７０２個のデータトーン、１０２８個のデータトーン、１０８２個のデータトーン、１２１４個のデータトーン、１４４８個のデータトーン、または１６８２個のデータトーンのうちの１つを有するトーンプランを選択することとを含むことができる。たとえば、ＳＴＡ１０６Ａは、１２８トーンプランとの組合せのために６４トーンプランを選択し、１９２トーンプランを形成することができる。別の例として、ＳＴＡ１０６Ａは、１２８トーンプランと組み合わせられた６４トーンプランに基づく１９２トーンプランを選択することができる。
【０１８９】
[00244]様々な実施形態では、組合せトーンプランを選択することは、１５ＭＨｚ帯域幅上での送信のために１２８トーンプランと組み合わせられた６４トーンプランに基づく１９２トーンプランを選択することと、２５ＭＨｚ帯域幅上での送信のために２５６トーンプランと組み合わせられた６４トーンプランに基づく３２０トーンプランを選択することと、３０ＭＨｚ帯域幅上での送信のために２５６トーンプランと組み合わせられた１２８トーンプランに基づく３８４トーンプランを選択することと、４５ＭＨｚ帯域幅上での送信のために５１２トーンプランと組み合わせられた６４トーンプランに基づく５７６トーンプランを選択することと、５０ＭＨｚ帯域幅上での送信のために５１２トーンプランと組み合わせられた１２８トーンプランに基づく６４０トーンプランを選択することと、６０ＭＨｚ帯域幅上での送信のために５１２トーンプランと組み合わせられた２５６トーンプランに基づく７６８トーンプランを選択することと、８５ＭＨｚ帯域幅上での送信のために１０２４トーンプランと組み合わせられた６４トーンプランに基づく１０８８トーンプランを選択することと、９０ＭＨｚ帯域幅上での送信のために１０２４トーンプランと組み合わせられた１２８トーンプランに基づく１１５２トーンプランを選択することと、１００ＭＨｚ帯域幅上での送信のために１０２４トーンプランと組み合わせられた２５６トーンプランに基づく１２８０トーンプランを選択することと、１２０ＭＨｚ帯域幅上での送信のために１０２４トーンプランと組み合わせられた５１２トーンプランに基づく１５３６トーンプランを選択することと、１４０ＭＨｚ帯域幅上での送信のために５１２トーンプランおよび１０２４トーンプランと組み合わせられた２５６トーンプランに基づく１７９２トーンプランを選択することとのうちの少なくとも１つを含むことができる。
【０１９０】
[00245]様々な実施形態では、組合せトーンプランを選択することは、１５ＭＨｚ帯域幅上での送信のために１２８トーンプランと組み合わせられた６４トーンプランから１９２トーンプランを形成することと、２５ＭＨｚ帯域幅上での送信のために２５６トーンプランと組み合わせられた６４トーンプランから３２０トーンプランを形成することと、３０ＭＨｚ帯域幅上での送信のために２５６トーンプランと組み合わせられた１２８トーンプランから３８４トーンプランを形成することと、４５ＭＨｚ帯域幅上での送信のために５１２トーンプランと組み合わせられた６４トーンプランから５７６トーンプランを形成することと、５０ＭＨｚ帯域幅上での送信のために５１２トーンプランと組み合わせられた１２８トーンプランから６４０トーンプランを形成することと、６０ＭＨｚ帯域幅上での送信のために５１２トーンプランと組み合わせられた２５６トーンプランから７６８トーンプランを形成することと、８５ＭＨｚ帯域幅上での送信のために１０２４トーンプランと組み合わせられた６４トーンプランから１０８８トーンプランを形成することと、９０ＭＨｚ帯域幅上での送信のために１０２４トーンプランと組み合わせられた１２８トーンプランから１１５２トーンプランを形成することと、１００ＭＨｚ帯域幅上での送信のために１０２４トーンプランと組み合わせられた２５６トーンプランから１２８０トーンプランを形成することと、１２０ＭＨｚ帯域幅上での送信のために１０２４トーンプランと組み合わせられた５１２トーンプランから１５３６トーンプランを形成することと、１４０ＭＨｚ帯域幅上での送信のために５１２トーンプランおよび１０２４トーンプランと組み合わせられた２５６トーンプランから１７９２トーンプランを形成することとのうちの少なくとも１つを含むことができる。
【０１９１】
[00246]様々な実施形態では、組合せトーンプランを選択することは、３２トーンプランの倍数を選択することと、選択された倍数に基づいて、６４トーンプラン、９６トーンプラン、１２８トーンプラン、１６０トーンプラン、１９２トーンプラン、２２４トーンプラン、２５６トーンプランのうちの１つを選択することとを含むことができる。
【０１９２】
[00247]様々な実施形態では、組合せトーンプランを選択することは、５ＭＨｚ帯域幅上での送信のために２つの３２トーンプランの組合せに基づく６４トーンプランを選択することと、７．５ＭＨｚ帯域幅上での送信のために３つの３２トーンプランの組合せに基づく９６トーンプランを選択することと、１０ＭＨｚ帯域幅上での送信のために４つの３２トーンプランの組合せに基づく１２８トーンプランを選択することと、１２．５ＭＨｚ帯域幅上での送信のために５つの３２トーンプランの組合せに基づく１６０トーンプランを選択することと、１５ＭＨｚ帯域幅上での送信のために６つの３２トーンプランの組合せに基づく１９２トーンプランを選択することと、１７．５ＭＨｚ帯域幅上での送信のために７つの３２トーンプランの組合せに基づく２２４トーンプランを選択することと、２０ＭＨｚ帯域幅上での送信のために８つの３２トーンプランの組合せに基づく２５６トーンプランを選択することとのうちの少なくとも１つを含むことができる。
【０１９３】
[00248]様々な実施形態では、組合せトーンプランを形成することは、５ＭＨｚ帯域幅上での送信のために２つの３２トーンプランの組合せから６４トーンプランを形成することと、７．５ＭＨｚ帯域幅上での送信のために３つの３２トーンプランの組合せから９６トーンプランを形成することと、１０ＭＨｚ帯域幅上での送信のために４つの３２トーンプランの組合せから１２８トーンプランを形成することと、１２．５ＭＨｚ帯域幅上での送信のために５つの３２トーンプランの組合せから１６０トーンプランを形成することと、１５ＭＨｚ帯域幅上での送信のために６つの３２トーンプランの組合せから１９２トーンプランを形成することと、１７．５ＭＨｚ帯域幅上での送信のために７つの３２トーンプランの組合せから２２４トーンプランを形成することと、２０ＭＨｚ帯域幅上での送信のために８つの３２トーンプランの組合せから２５６トーンプランを形成することとのうちの少なくとも１つを含むことができる。
【０１９４】
[00249]次いで、ブロック４０３０において、ワイヤレスデバイスは、組合せトーンプランに従って、送信のためにワイヤレスメッセージを供給する。たとえば、ＳＴＡ１０６Ａは、５ＭＨｚサブバンドの６４トーンプランを１０ＭＨｚサブバンドの１２８トーンプランと組み合わせることの結果として、１９２トーンプランに従って１５ＭＨｚ上でワイヤレスメッセージを送信することができる。
【０１９５】
[00250]様々な実施形態では、送信のためにワイヤレスメッセージを供給することは、１９２トーンプラン、３２０トーンプラン、３８４トーンプラン、５７６トーンプラン、６４０トーンプラン、７６８トーンプラン、１０８８トーンプラン、１１５２トーンプラン、１２８０トーンプラン、１５３６トーンプラン、または１７９２トーンプランのうちの１つに従って、１５ＭＨｚチャネル、２５ＭＨｚチャネル、３０ＭＨｚチャネル、４５ＭＨｚチャネル、５０ＭＨｚチャネル、６０ＭＨｚチャネル、８５ＭＨｚチャネル、９０ＭＨｚチャネル、１００ＭＨｚチャネル、１２０ＭＨｚチャネル、または１４０ＭＨｚチャネルのうちの１つ上での送信のためにワイヤレスメッセージを供給することを含むことができる。
【０１９６】
[00251]様々な実施形態では、送信のためにワイヤレスメッセージを供給することは、関連するトーンプランに従って、各割り振られたチャネル上でデータを別々に符号化することを含むことができる。たとえば、ＳＴＡ１０６Ａは、６４トーンプランに従って５ＭＨｚサブバンドを、および１２８トーンプランに従って１０ＭＨｚサブバンドを別々に符号化することができる。
【０１９７】
[00252]様々な実施形態では、送信のためにワイヤレスメッセージを供給することは、関連するトーンプランに従って、各割り振られたチャネル上でデータを別々にインターリーブすることを含むことができる。たとえば、ＳＴＡ１０６Ａは、６４トーンプランに従って５ＭＨｚサブバンドを、および１２８トーンプランに従って１０ＭＨｚサブバンドを別々にインターリーブすることができる。
【０１９８】
[00253]様々な実施形態では、送信のためにワイヤレスメッセージを供給することは、関連するトーンプランに従って、１つのユーザのすべての割り振られたチャネル上でデータを一緒に符号化することと、第１の割振りユニットおよび第２の割振りユニットを独立してインターリーブすることとを含むことができる。
【０１９９】
[00254]様々な実施形態では、本方法は、組合せトーンプランに従って、複数の割り振られたチャネル上で別のメッセージを受信することをさらに含むことができる。たとえば、ＡＰ１０４とＳＴＡ１０６Ａの両方は、割り振られたチャネルおよび選択された（１つまたは複数の）トーンプランに従って、送信、受信、またはその両方を行うことができる。
【０２００】
[00255]一実施形態では、図４０に示された方法は、決定回路と、選択回路と、供給回路とを含むことができるワイヤレスデバイスにおいて実装され得る。ワイヤレスデバイスは、本明細書で説明する簡略化されたワイヤレスデバイスよりも多くの構成要素を有することができることを、当業者は諒解されよう。本明細書で説明するワイヤレスデバイスは、特許請求の範囲内の実装形態のいくつかの顕著な特徴を説明するのに有用な構成要素のみを含む。
【０２０１】
[00256]決定回路は、複数のチャネルのための割振りを決定するように構成され得る。決定回路は、受信機２１２（図２）、トランシーバ２１６（図２）、プロセッサ２０４（図２）、ＤＳＰ２２０（図２）、およびメモリ２０６（図２）のうちの１つまたは複数を含むことができる。いくつかの実装形態では、決定するための手段は決定回路を含むことができる。
【０２０２】
[00257]選択回路は、ワイヤレスメッセージのワイヤレス通信のためにトーンプランを選択することように構成され得る。一実施形態では、選択回路は、フローチャート４０００（図４０）のブロック４０２０を実装するように構成され得る。選択回路は、ＤＳＰ２２０（図２）、プロセッサ２０４（図２）、およびメモリ２０６（図２）のうちの１つまたは複数を含むことができる。いくつかの実装形態では、選択するための手段は選択回路を含むことができる。
【０２０３】
[00258]供給回路は、選択されたトーンプランに従って送信のためにワイヤレスメッセージを供給するように構成され得る。一実施形態では、供給回路は、フローチャート４０００（図４０）のブロック４０３０を実装するように構成され得る。供給回路は、送信機２１０（図２）、トランシーバ２１４（図２）、プロセッサ２０４（図２）、ＤＳＰ２２０（図２）、およびメモリ２０６（図２）のうちの１つまたは複数を含むことができる。いくつかの実装形態では、供給するための手段は供給回路を含むことができる。
【０２０４】
[00259]図４１に、様々な実施形態による、３２トーン２．５ＭＨｚトーンプランについての上限を示す。概して、これらのトーン割振りは、２０ＭＨｚまたはより大きい送信など、より大きい送信の一部としてユーザに送信され得る。たとえば、単一のユーザは、２０ＭＨｚ送信の中から２．５ＭＨｚを割り振られ得る。したがって、２．５ＭＨｚを割り振られたとき、ユーザがどのくらいのデータトーンを有し得るかを決定することが望ましいであろう。
【０２０５】
[00260]２０ＭＨｚ  ＯＦＤＭＡ送信では、３つのＤＣトーンがあるときの２．５ＭＨｚ部分におけるデータトーン数は、Ｆｌｏｏｒ（２３４／８）＝２９であり得る。この計算において、２３４は、図３４に示されているように、３つのＤＣトーンをもつ２０ＭＨｚ送信におけるＮｄａｔａの上限である。したがって、２０ＭＨｚ送信の８つの２．５ＭＨｚ部分の各々は、最高１／８の端数切捨てのデータトーンを有し得る。２０ＭＨｚ  ＯＦＤＭＡ送信では、５つのＤＣトーンがあるときの２．５ＭＨｚ部分におけるデータトーン数は、Ｆｌｏｏｒ（２３２／８）＝２９であり得る。２０ＭＨｚ  ＯＦＤＭＡ送信では、７つのＤＣトーンがあるときの２．５ＭＨｚ部分におけるデータトーン数は、Ｆｌｏｏｒ（２３０／８）＝２８であり得る。
【０２０６】
[00261]４０ＭＨｚ  ＯＦＤＭＡ送信では、３つのＤＣトーンがあるときの２．５ＭＨｚ部分におけるデータトーン数は、Ｆｌｏｏｒ（４８８／１６）＝３０であり得る。４０ＭＨｚ  ＯＦＤＭＡ送信では、５つのＤＣトーンがあるときの２．５ＭＨｚ部分におけるデータトーン数は、Ｆｌｏｏｒ（４８６／１６）＝３０であり得る。４０ＭＨｚ  ＯＦＤＭＡ送信では、７つのＤＣトーンがあるときの２．５ＭＨｚ部分におけるデータトーン数は、Ｆｌｏｏｒ（４８４／１６）＝３０であり得る。４０ＭＨｚ  ＯＦＤＭＡ送信では、１１個のＤＣトーンがあるときの２．５ＭＨｚ部分におけるデータトーン数は、Ｆｌｏｏｒ（４８０／１６）＝３０であり得る。
【０２０７】
[00262]８０または１６０ＭＨｚ  ＯＦＤＭＡ送信では、３つのＤＣトーンがあるときの２．５ＭＨｚ部分におけるデータトーン数は、Ｆｌｏｏｒ（９９８／３２）＝３１であり得る。８０または１６０ＭＨｚ  ＯＦＤＭＡ送信では、５つのＤＣトーンがあるときの２．５ＭＨｚ部分におけるデータトーン数は、Ｆｌｏｏｒ（９９６／３２）＝３１であり得る。８０または１６０ＭＨｚ  ＯＦＤＭＡ送信では、７つのＤＣトーンがあるときの２．５ＭＨｚ部分におけるデータトーン数は、Ｆｌｏｏｒ（９９４／３２）＝３１であり得る。８０または１６０ＭＨｚ  ＯＦＤＭＡ送信では、１１個のＤＣトーンがあるときの２．５ＭＨｚ部分におけるデータトーン数は、Ｆｌｏｏｒ（９９０／３２）＝３０であり得る。したがって、６４トーン送信のための統合された上限は、３１個のデータトーンであり得る。これは、リストされた構成のいずれかにおける、可能な最高データトーン数である。
【０２０８】
[00263]概して、単一のデバイスが送信の２．５ＭＨｚ部分を割り当てられたとき、そのデバイスは、スペクトルの１つの３２トーン部分からデータトーンを受信し得る。したがって、その部分におけるデバイスに与えられたデータトーン数のためのインターリーバパラメータが望まれ得る。
【０２０９】
[00264]図４２は、３２トーンプラン実施形態による、様々なデータトーン数のための候補インターリーバパラメータを示すチャートである。特定の実施形態では、インターリーバ深度（たとえば、列数（Ｎｃｏｌ））はデータトーン数（Ｎｄａｔａ）の因数であり得る。様々な実施形態では、２０データトーンブロックは、２、４、５、または１０のインターリーバ深度を有することができる。様々な実施形態では、２２データトーンブロックは、２または１１のインターリーバ深度を有することができる。様々な実施形態では、２６データトーンブロックは、２または１３のインターリーバ深度を有することができる。様々な実施形態では、２８データトーンブロックは、２、４、７、または１４のインターリーバ深度を有することができる。
【０２１０】
[00265]１つより多くの空間ストリームがある場合、空間ストリームに周波数回転が適用され得る。周波数回転は、ベースサブキャリア回転（ＮＲＯＴ）と回転インデックスとに基づき得る。ベースサブキャリア回転（ＮＲＯＴ）および回転インデックスは、データトーン数（Ｎｄａｔａ）と空間ストリーム数（Ｎｓｓ）とに基づき得る。
【０２１１】
[00266]たとえば、データトーンブロックが４つまたはそれ以下の空間ストリーム（Ｎｓｓ）を有する場合、ベースサブキャリア回転（ＮＲＯＴ）は、１〜１７のいずれかであり得る。回転インデックス（たとえば、第６の列）は、このシナリオでは［０  ２  １  ３］のビット逆転であり得る。代替的に、データトーンブロックが５つ以上の空間ストリーム（Ｎｓｓ）を有する場合、ベースサブキャリア回転（ＮＲＯＴ）は、１〜１４のいずれかであり得る。回転インデックス（たとえば、第７の列）は、いくつかの実施形態では［０  ４  ２  ６  １  ５  ３  ７］のビット逆転であり得、または回転インデックスは、他の実施形態では、隣接するストリームの平均サブキャリア距離を最大にする（または増加させる）ように選定され得る（たとえば、［０  ５  ２  ７  ３  ６  １  ４］）。本明細書では、平均サブキャリア距離を最大にするインデックスの一例として［０  ５  ２  ７  ３  ６  １  ４］の回転インデックスが使用されているが、平均サブキャリア距離を最大にする（または増加させる）任意の他の回転インデックスが使用され得る。たとえば、隣接するストリームの平均サブキャリア距離を最大にする任意の置換が使用され得、［０  ５  ２  ７  ３  ６  １  ４］は１つの例にすぎない。
【０２１２】
[00267]図４３に、様々な実施形態による、複数割振りを使用する例示的なサブバンド形成を示す。特に、図４３は、２．５ＭＨｚサブバンド、５ＭＨｚサブバンド、７．５ＭＨｚサブバンド、１０ＭＨｚサブバンド、１２．５ＭＨｚサブバンド、１５ＭＨｚサブバンド、１７．５ＭＨｚサブバンド、および／または２０ＭＨｚサブバンドが、２．５ＭＨｚサブバンドから選択された２つまたはそれ以上の別個の割振りからどのように形成され得るかを示す。たとえば、５ＭＨｚサブバンドは、それぞれ、２つの２０トーンプラン、２２トーンプラン、２４トーンプラン、２６トーンプラン、２８トーンプラン、または３０トーンプランを使用して形成された４０トーンプラン、４４トーンプラン、４８トーンプラン、５２トーンプラン、５６トーンプラン、または６０トーンプランを有する、２つの２．５ＭＨｚサブバンドの複数割振りによって形成され得る。別の例として、７．５ＭＨｚサブバンドは、それぞれ、２つの２０トーンプラン、２２トーンプラン、２４トーンプラン、２６トーンプラン、２８トーンプラン、または３０トーンプランを使用して形成された６０トーンプラン、６６トーンプラン、７２トーンプラン、７８トーンプラン、８４トーンプラン、または９０トーンプランを有する、３つの２．５ＭＨｚサブバンドの複数割振りによって形成され得る。
【０２１３】
[00268]別の例として、１０ＭＨｚサブバンドは、それぞれ、４つの２０トーンプラン、２２トーンプラン、２４トーンプラン、２６トーンプラン、２８トーンプラン、または３０トーンプランを使用して形成された８０トーンプラン、８８トーンプラン、９６トーンプラン、１０４トーンプラン、１１２トーンプラン、または１２０トーンプランを有する、４つの２．５ＭＨｚサブバンドの複数割振りによって形成され得る。別の例として、１２．５ＭＨｚサブバンドは、それぞれ、５つの２０トーンプラン、２２トーンプラン、２４トーンプラン、２６トーンプラン、２８トーンプラン、または３０トーンプランを使用して形成された１００トーンプラン、１１０トーンプラン、１２０トーンプラン、１３０トーンプラン、１４０トーンプラン、または１５０トーンプランを有する、５つの２．５ＭＨｚサブバンドの複数割振りによって形成され得る。別の例として、１５ＭＨｚサブバンドは、それぞれ、６つの２０トーンプラン、２２トーンプラン、２４トーンプラン、２６トーンプラン、２８トーンプラン、または３０トーンプランを使用して形成された１２０トーンプラン、１３２トーンプラン、１４４トーンプラン、１５６トーンプラン、１６８トーンプラン、または１８０トーンプランを有する、６つの２．５ＭＨｚサブバンドの複数割振りによって形成され得る。
【０２１４】
[00269]別の例として、１７．５ＭＨｚサブバンドは、それぞれ、２つの２０トーンプラン、２２トーンプラン、２４トーンプラン、２６トーンプラン、２８トーンプラン、または３０トーンプランを使用して形成された１４０トーンプラン、１５４トーンプラン、１６８トーンプラン、１８２トーンプラン、１９６トーンプラン、または２１０トーンプランを有する、７つの２．５ＭＨｚサブバンドの複数割振りによって形成され得る。別の例として、２０ＭＨｚサブバンドは、それぞれ、２つの２０トーンプラン、２２トーンプラン、２４トーンプラン、２６トーンプラン、２８トーンプラン、または３０トーンプランを使用して形成された１６０トーンプラン、１７６トーンプラン、１９２トーンプラン、２０８トーンプラン、２２４トーンプラン、または２４０トーンプランを有する、２つの２．５ＭＨｚサブバンドの複数割振りによって形成され得る。
【０２１５】
[00270]図４３は例示的なトーンプラン構成を示すが、様々な実施形態では、サブバンドのためのトーンプランは、以下の基準、すなわち、サブバンドがＳＵ帯域幅であるのか特定の総帯域幅のためのＯＦＤＭＡ帯域幅であるのかに基づく上限と、ＣＦＯパラメータに基づくＤＣトーン数と、ＤＬ／ＵＬスペクトルマスクパラメータおよび／またはＵＬにおけるＳＴＡ間の干渉の最小化に基づくガードトーン数と、各ＤＬ／ＵＬ  ＯＦＤＭＡユーザのための十分なパイロットトーンパラメータに基づくパイロットトーン数とのうちの１つまたは複数の任意の組合せに従って決定され得る。したがって、所望の残りのトーン数が決定され得、Ｎｄａｔａが、上限−所望の残りのトーンに基づいて選定され得る。
【０２１６】
[00271]図４４は、様々な実施形態による、図４３の複数割振りを使用するサブバンド形成のための例示的なデータトーン選定を示すチャートである。図示のように、５ＭＨｚサブバンド、７．５ＭＨｚサブバンド、１０ＭＨｚサブバンド、１２．５ＭＨｚサブバンド、１５ＭＨｚサブバンド、１７．５ＭＨｚサブバンド、および２０ＭＨｚサブバンドの各々のためのＮｄａｔａは、２．５ＭＨｚサブバンドのために選定された基本トーンプランのためのＮｄａｔａの倍数である。
【０２１７】
複数割振りによってトーンプランを形成すること
[00272]上記で説明したように、トーンプランは、本明細書では、リソースユニット（ＲＵ）、割振り、またはトーン割振りユニット（ＴＡＵ）と呼ばれることもある、複数の割振りユニットの組合せを介して形成され得る。概して、総帯域幅（ＢＷtotal）は、Ｘ（ＢＷ1＋ＢＷ2＋．．．＋ＢＷX）を使用して形成され得る。データトーン数Ｎdataは、ＢＷtotalのためのデータトーン数として決定され得る。たとえば、Ｎdataは、各割振りユニットのためのデータトーンを加算することによって決定され得る（たとえば、Ｎdata＝Ｎdata1＋Ｎdata2＋．．．＋ＮdataX、ここで、Ｎdata_iは、ＢＷiのためのデータトーン数である）。同様に、パイロットトーン数Ｎpilotは、ＢＷtotalのためのパイロットトーン数として決定され得る。たとえば、Ｎpilotは、各割振りユニットのためのデータトーンを加算することによって決定され得る（たとえば、Ｎpilot＝Ｎpilot1＋Ｎpilot2＋．．．＋ＮpilotX、ここで、Ｎpilotiは、ＢＷiのためのパイロットトーン数である）。
【０２１８】
[00273]５ＭＨｚ、７．５ＭＨｚ、１０ＭＨｚ、１２．５ＭＨｚ、１５ＭＨｚ、１７．５ＭＨｚ、および／または２０ＭＨｚの各サブバンドは、それぞれ、２つの割振りユニット、３つの割振りユニット、４つの割振りユニット、５つの割振りユニット、６つの割振りユニット、７つの割振りユニット、または８つの割振りユニットの組合せから形成され得、各々２．５ＭＨｚのものであり、３２個のＦＦＴトーンを含む。１５ＭＨｚ、２５ＭＨｚ、３０ＭＨｚ、４５ＭＨｚ、５０ＭＨｚ、６０ＭＨｚ、８５ＭＨｚ、９０ＭＨｚ、１００ＭＨｚ、および／または１２０ＭＨｚの各サブバンドは、２つの割振りユニットの組合せから形成され得、各々５ＭＨｚ、１０ＭＨｚ、２０ＭＨｚ、４０ＭＨｚ、８０ＭＨｚの割振りおよびトーンプランから選定する。１４０ＭＨｚの各サブバンドは、３つの割振りユニットの組合せから形成され得、各々５ＭＨｚ、１０ＭＨｚ、２０ＭＨｚ、４０ＭＨｚ、８０ＭＨｚの割振りおよびトーンプランから選定する。
【０２１９】
[00274]いくつかの実施形態では、ＢＷiの各割振りユニットは、独立して符号化され得る。そのような実施形態では、総ＭＣＳ除外（ＭＣＳ＿ｅｘｃｌｕｓｉｏｎｓ＿ｔｏｔａｌ）は、ＭＣＳのすべての除外組合せと、各ＢＷのためのデータストリーム数とのセット（ＭＣＳ＿ｅｘｃｌｕｓｉｏｎｓ＿ＢＷ）の集合として決定され得る。言い換えれば、ＭＣＳ＿ｅｘｃｌｕｓｉｏｎｓ＿ｔｏｔａｌは、ＭＣＳ＿ｅｘｃｌｕｓｉｏｎｓ＿ＢＷ＿１〜ＭＣＳ＿ｅｘｃｌｕｓｉｏｎｓ＿ＢＷ＿Ｘの集合として決定され得る。ＭＣＳ＿ｅｘｃｌｕｓｉｏｎｓ＿ＢＷ＿ｉは、ＭＣＳの除外組合せと、ＢＷ＿ｉに関連するデータトーン数（Ｎdata_i）のためのデータストリーム数とのセットとして決定され得る。
【０２２０】
[00275]いくつかの実施形態では、１つのユーザのすべての割振りユニットは一緒に符号化され得る。そのような実施形態では、総ＭＣＳ除外（ＭＣＳ＿ｅｘｃｌｕｓｉｏｎｓ＿ｔｏｔａｌ）は、ＭＣＳの除外組合せと、データトーン数（Ｎdata_i）のためのデータストリーム数とのセットとして決定され得る。
【０２２１】
[00276]様々な実施形態では、各割振りユニットは、データトーン数Ｎdata_i、ならびに関連するＢＣＣインターリービング深度ＮCOLおよびＬＤＰＣトーンマッピング距離ＤTMに従って、独立してインターリーブされ得る。したがって、受信機において、各割振りユニットは、同じ基準に従って独立してデインターリーブされ得る。
【０２２２】
[00277]図４５に、図１のワイヤレス通信システム１００内で採用され得るワイヤレス通信の例示的な方法のフローチャート４５００を示す。本方法は、ＡＰ１０４（図１）、ＳＴＡ１０６Ａ〜１０６Ｄ（図１）のいずれか、図２に示されたワイヤレスデバイス２０２、デバイス１０１０、１０２０、１０３０、または１０４０（図１６）、あるいはシステム１１００（図１７）のデバイスなど、本明細書で説明するデバイスによって全体的にまたは部分的に実装され得る。本明細書では、図示された方法について、図１に関して上記で説明したワイヤレス通信システム１００、図２に関して上記で説明したワイヤレスデバイス２０２、図１６のシステム１０００、および図１７のシステム１１００に関して説明するが、図示された方法は、本明細書で説明する別のデバイス、または任意の他の好適なデバイスによって実装され得ることを、当業者は諒解されよう。本明細書では、図示された方法について、特定の順序に関して説明するが、様々な実施形態では、本明細書のブロックは、異なる順序で実施されるか、または省略され得、さらなるブロックが追加され得る。
【０２２３】
[00278]最初に、ブロック４５１０において、ワイヤレスデバイスは、ワイヤレスデバイスによる１つまたは複数のワイヤレスメッセージの通信のために、第１のトーン数を有する第１のトーンプランに関連する第１の割振りユニットを割り振る。たとえば、ＡＰ１０４は、ＳＴＡ１０６Ａに割振りユニットを割り振る。たとえば、ＳＴＡ１０６Ａは、５ＭＨｚサブバンドのための６４トーン割振りユニットのための割振りを受信することができる。
【０２２４】
[00279]次に、ブロック４５２０において、ワイヤレスデバイスは、ワイヤレスデバイスによる１つまたは複数のワイヤレスメッセージの通信のために、第１のトーン数とは異なる第２のトーン数を有する第２のトーンプランに関連する第２の割振りユニットを割り振る。たとえば、ＡＰ１０４は、ＳＴＡ１０６Ａに割振りユニットを割り振る。たとえば、ＳＴＡ１０６Ｂは、１０ＭＨｚサブバンドのための１２８トーン割振りユニットのための割振りを受信することができる。別の例として、ＳＴＡ１０６Ａは、１０ＭＨｚサブバンドのための１２８トーン割振りユニットのための割振りを受信することができる。
【０２２５】
[00280]様々な実施形態では、第１の割振りユニットは、２４個のデータトーン、４８個のデータトーン、１０２個のデータトーン、２３４個のデータトーン、４６８個のデータトーン、または９８０個のデータトーンのうちの１つを有し、第２の割振りユニットは、２４個のデータトーン、４８個のデータトーン、１０２個のデータトーン、２３４個のデータトーン、４６８個のデータトーン、または９８０個のデータトーンのうちの１つを有する。様々な実施形態では、第１の割振りユニットは、２６個の総トーン、５２個の総トーン、１０６個の総トーン、２４２個の総トーン、４８４個の総トーン、または９９６個の総トーンのうちの１つを有し、第２の割振りユニットは、２６個の総トーン、５２個の総トーン、１０６個の総トーン、２４２個の総トーン、４８４個の総トーン、または９９６個の総トーンのうちの１つを有する。概して、各割振りユニットは、たとえば、図３９に関して本明細書で説明するいずれかの割振りに従って形成され得る。
【０２２６】
[00281]次いで、ブロック４５３０において、ワイヤレスデバイスは、少なくとも第１のトーンプランおよび第２のトーンプランに基づく、ワイヤレスデバイスのための組合せトーンプランを選択する。たとえば、ＡＰ１０４ある／またはＳＴＡ１０６Ａは、それぞれ、５ＭＨｚサブバンドおよび１０ＭＨｚサブバンドの６４トーンプランおよび１２８トーンプランに基づく、１５ＭＨｚ帯域幅に関連する１９２トーンプランを選択することができる。様々な実施形態では、トーンプランは、図３９または本明細書の他の開示による、サブチャネル割振りに関連し得る。
【０２２７】
[00282]様々な実施形態では、組合せトーンプランを選択することは、２つまたはそれ以上の２６トーン割振りユニット、５２トーン割振りユニット、１０６トーン割振りユニット、２４２トーン割振りユニット、４８４トーン割振りユニット、および９９６トーン割振りユニットの組合せを選択することを含むことができる。組合せトーンプランを選択することは、選択された組合せに基づく組合せトーンプランとして、１５０個のデータトーン、２８２個のデータトーン、３３６個のデータトーン、５１６個のデータトーン、５７０個のデータトーン、７０２個のデータトーン、１０２８個のデータトーン、１０８２個のデータトーン、１２１４個のデータトーン、１４４８個のデータトーン、または１６８２個のデータトーンのうちの１つを有するトーンプランを選択することをさらに含むことができる。たとえば、ＡＰ１０４は、１２８トーンプランとの組合せのために６４トーンプランを選択し、１９２トーンプランを形成することができる。別の例として、ＡＰ１０４は、１２８トーンプランと組み合わせられた６４トーンプランに基づく１９２トーンプランを選択することができる。
【０２２８】
[00283]様々な実施形態では、組合せトーンプランを選択することは、１０６トーン割振りユニットと組み合わせられた５２トーン割振りユニットに基づく１５０個のデータトーンを有するトーンプラン、２４２トーン割振りユニットと組み合わせられた５２トーン割振りユニットに基づく２８２個のデータトーンを有するトーンプラン、２４２トーン割振りユニットと組み合わせられた１０６トーン割振りユニットに基づく３３６個のデータトーンを有するトーンプラン、４８４トーン割振りユニットと組み合わせられた５２トーン割振りユニットに基づく５１６個のデータトーンを有するトーンプラン、４８４トーン割振りユニットと組み合わせられた１０６トーン割振りユニットに基づく５７０個のデータトーンを有するトーンプラン、４８４トーン割振りユニットと組み合わせられた２４２トーン割振りユニットに基づく７０２個のデータトーンを有するトーンプラン、９９６トーン割振りユニットと組み合わせられた５２トーン割振りユニットに基づく１０２８個のデータトーンを有するトーンプラン、９９６トーン割振りユニットと組み合わせられた１０６トーン割振りユニットに基づく１０８２個のデータトーンを有するトーンプラン、９９６トーン割振りユニットと組み合わせられた２４２トーン割振りユニットに基づく１２１４個のデータトーンを有するトーンプラン、９９６トーン割振りユニットと組み合わせられた４８４トーン割振りユニットに基づく１４４８個のデータトーンを有するトーンプラン、または４８４トーン割振りユニットおよび９９６トーン割振りユニットと組み合わせられた２４２トーン割振りユニットに基づく１６８２個のデータトーンを有するトーンプランのうちの少なくとも１つを選択することを含むことができる。
【０２２９】
[00284]様々な実施形態では、組合せトーンプランを選択することは、２６トーン割振りユニットの倍数を選択することを含むことができる。様々な実施形態では、各２６トーン割振りユニットは、２４個のデータトーンを有することができる。様々な実施形態では、倍数は、１ｘ、２ｘ、３ｘ、４ｘ、５ｘ、６ｘ、７ｘ、および８ｘのいずれであり得る。
【０２３０】
[00285]様々な実施形態では、組合せトーンプランを選択することは、５ＭＨｚ帯域幅上での送信のために２つの２６トーン割振りユニットの組合せに基づく６４トーンプランを選択することと、７．５ＭＨｚ帯域幅上での送信のために３つの２６トーン割振りユニットの組合せに基づく９６トーンプランを選択することと、１０ＭＨｚ帯域幅上での送信のために４つの２６トーン割振りユニットの組合せに基づく１２８トーンプランを選択することと、１２．５ＭＨｚ帯域幅上での送信のために５つの２６トーン割振りユニットの組合せに基づく１６０トーンプランを選択することと、１５ＭＨｚ帯域幅上での送信のために６つの２６トーン割振りユニットの組合せに基づく１９２トーンプランを選択することと、１７．５ＭＨｚ帯域幅上での送信のために７つの２６トーン割振りユニットの組合せに基づく２２４トーンプランを選択することと、２０ＭＨｚ帯域幅上での送信のために８つの２６トーン割振りユニットの組合せに基づく２５６トーンプランを選択することとのうちの少なくとも１つを含むことができる。
【０２３１】
[00286]次いで、ブロック４５４０において、ワイヤレスデバイスは、組合せトーンプランに従って、ワイヤレスデバイスによる送信のためにワイヤレスメッセージを供給する。たとえば、ＡＰ１０４は、５ＭＨｚサブバンドの６４トーンプランを１０ＭＨｚサブバンドの１２８トーンプランと組み合わせることの結果として、１９２トーンプランに従って１５ＭＨｚ上でワイヤレスメッセージを送信することができる。
【０２３２】
[00287]様々な実施形態では、送信のためにワイヤレスメッセージを供給することは、１９２トーンプラン、３２０トーンプラン、３８４トーンプラン、５７６トーンプラン、６４０トーンプラン、７６８トーンプラン、１０８８トーンプラン、１１５２トーンプラン、１２８０トーンプラン、１５３６トーンプラン、または１７９２トーンプランのうちの１つに従って、１５ＭＨｚチャネル、２５ＭＨｚチャネル、３０ＭＨｚチャネル、４５ＭＨｚチャネル、５０ＭＨｚチャネル、６０ＭＨｚチャネル、８５ＭＨｚチャネル、９０ＭＨｚチャネル、１００ＭＨｚチャネル、１２０ＭＨｚチャネル、または１４０ＭＨｚチャネルのうちの１つ上での送信のためにワイヤレスメッセージを供給することを含むことができる。
【０２３３】
[00288]様々な実施形態では、送信のためにワイヤレスメッセージを供給することは、関連するトーンプランに従って、各割り振られたチャネル上でデータを別々に符号化することを含むことができる。たとえば、ＡＰ１０４は、（４８個のデータトーンを有する）５２トーン割振りユニットおよび（１０２個のデータトーンを有する）１０６トーン割振りユニットを別々に符号化することができ、それらは、ともに１９２トーンの組合せトーンプランを利用する。
【０２３４】
[00289]様々な実施形態では、送信のためにワイヤレスメッセージを供給することは、関連するトーンプランに従って、各割り振られたチャネル上でデータを別々にインターリーブすることを含むことができる。たとえば、ＡＰ１０４は、（４８個のデータトーンを有する）５２トーン割振りユニットおよび（１０２個のデータトーンを有する）１０６トーン割振りユニットを別々にインターリーブすることができ、それらは、ともに１９２トーンの組合せトーンプランを利用する。
【０２３５】
[00290]様々な実施形態では、送信のためにワイヤレスメッセージを供給することは、関連するトーンプランに従って、１つのユーザのすべての割り振られたチャネル上でデータを一緒に符号化することと、第１の割振りユニットおよび第２の割振りユニットを独立してインターリーブすることとを含むことができる。
【０２３６】
[00291]様々な実施形態では、本方法は、ワイヤレスデバイスによる１つまたは複数のワイヤレスメッセージの通信のために、第３のトーンプランに関連する第３の割振りユニットを割り振ることをさらに含むことができる。組合せトーンプランを選択することは、第３のトーンプランにさらに基づき得る。
【０２３７】
[00292]様々な実施形態では、組合せトーンプランを選択することは、第１の割振りユニット、第２の割振りユニット、およびワイヤレスデバイスに割り振られた他の割振りユニット中に含まれるすべてのデータトーンの和に、データトーン数を設定することと、第１の割振りユニット、第２の割振りユニット、およびワイヤレスデバイスに割り振られた他の割振りユニット中に含まれるすべてのパイロットトーンの和に、パイロットトーン数を設定することと、バイナリ畳み込みコードインターリービング深度（ＮＣＯＬ）および低密度パリティチェックトーンマッピング距離（ＤＴＭ）に従って、第１の割振りユニットおよび第２の割振りユニットを別々に符号化および／またはインターリーブすることとによって組合せトーンプランを形成することを含むことができる。
【０２３８】
[00293]様々な実施形態では、組合せトーンプランを選択することは、第１の割振りユニット、第２の割振りユニット、およびワイヤレスデバイスに割り振られた他の割振りユニット中に含まれるすべてのデータトーンの和に、データトーン数を設定することと、第１の割振りユニット、第２の割振りユニット、およびワイヤレスデバイスに割り振られた他の割振りユニット中に含まれるすべてのパイロットトーンの和に、パイロットトーン数を設定することと、第１の割振りユニット、第２の割振りユニット、およびワイヤレスデバイスに割り振られた他の割振りユニット上で、一緒に符号化およびインターリーブすることとによって組合せトーンプランを形成することを含むことができる。
【０２３９】
[00294]様々な実施形態では、本方法は、組合せトーンプランに従って、複数の割り振られたチャネル上で別のメッセージを受信することをさらに含むことができる。たとえば、ＡＰ１０４とＳＴＡ１０６Ａの両方は、割り振られたチャネルおよび選択された（１つまたは複数の）トーンプランに従って、送信、受信、またはその両方を行うことができる。
【０２４０】
[00295]様々な実施形態では、本ワイヤレスデバイスは、（たとえば、図１のＡＰ１０４などの）アクセスポイントを備える。様々な実施形態では、送信のためにワイヤレスメッセージを供給することは、アクセスポイントによってサービスされる移動局（たとえば、ＳＴＡ１０６Ａ）に、アクセスポイントの送信機（たとえば、図２の送信機２１０）およびアンテナ（たとえば、図２のアンテナ２１６）を通してワイヤレスメッセージを送信することを備える。他の実施形態では、本方法は、移動局（たとえば、ＳＴＡ１０６Ａ）上で実施される。
【０２４１】
[00296]一実施形態では、図４５に示された方法は、割振り回路と、選択回路と、供給回路とを含むことができるワイヤレスデバイスにおいて実装され得る。ワイヤレスデバイスは、本明細書で説明する簡略化されたワイヤレスデバイスよりも多くの構成要素を有することができることを、当業者は諒解されよう。本明細書で説明するワイヤレスデバイスは、特許請求の範囲内の実装形態のいくつかの顕著な特徴を説明するのに有用な構成要素のみを含む。
【０２４２】
[00297]割振り回路は、割振りユニットを割り振るように構成され得る。様々な実施形態では、割振り回路は、フローチャート４５００（図４５）のブロック４５１０および４５２０のうちの少なくとも１つを実装するように構成され得る。割振り回路は、送信機２１０（図２）、トランシーバ２１６（図２）、プロセッサ２０４（図２）、ＤＳＰ２２０（図２）、およびメモリ２０６（図２）のうちの１つまたは複数を含むことができる。いくつかの実装形態では、割り振るための手段は割振り回路を含むことができる。
【０２４３】
[00298]選択回路は、ワイヤレスメッセージのワイヤレス通信のために、組合せトーンプランを選択することように構成され得る。一実施形態では、選択回路は、フローチャート４５００（図４５）のブロック４５３０を実装するように構成され得る。選択回路は、ＤＳＰ２２０（図２）、プロセッサ２０４（図２）、およびメモリ２０６（図２）のうちの１つまたは複数を含むことができる。いくつかの実装形態では、選択するための手段は選択回路を含むことができる。
【０２４４】
[00299]供給回路は、選択されたトーンプランに従って送信のためにワイヤレスメッセージを供給するように構成され得る。一実施形態では、供給回路は、フローチャート４５００（図４５）のブロック４５３０を実装するように構成され得る。供給回路は、送信機２１０（図２）、トランシーバ２１４（図２）、プロセッサ２０４（図２）、ＤＳＰ２２０（図２）、およびメモリ２０６（図２）のうちの１つまたは複数を含むことができる。いくつかの実装形態では、供給するための手段は供給回路を含むことができる。
【０２４５】
[00300]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２４６】
[00301]本開示で説明した実装形態への様々な変更は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示する特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明したいかなる実装形態も、必ずしも他の実装形態よりも好ましいまたは有利であると解釈されるべきではない。
【０２４７】
[00302]また、別個の実装形態に関して本明細書で説明したいくつかの特徴は、単一の実装形態において組合せで実装され得る。また、逆に、単一の実装形態に関して説明した様々な特徴は、複数の実装形態において別個に、または任意の好適な部分組合せで実装され得る。その上、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０２４８】
[00303]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。同様に、「ａまたはｂ」は、ａ、ｂ、およびａ−ｂのいずれも包含するものとする。
【０２４９】
[00304]上記で説明した方法の様々な動作は、（１つまたは複数の）様々なハードウェアおよび／またはソフトウェア構成要素、回路、および／または（１つまたは複数の）モジュールなど、それらの動作を実施することが可能な任意の好適な手段によって実施され得る。概して、図に示されたどの動作も、その動作を実施することが可能な対応する機能的手段によって実施され得る。
【０２５０】
[00305]本開示に関連して説明した様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０２５１】
[00306]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備えることができる。さらに、いくつかの態様では、コンピュータ可読媒体は一時的コンピュータ可読媒体（たとえば、信号）を備えることができる。上記の組合せもコンピュータ可読媒体の範囲内に含まれるべきである。
【０２５２】
[00307]本明細書で開示した方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【０２５３】
[00308]さらに、本明細書で説明した方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実施するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに与えるための任意の他の好適な技法が利用され得る。
【０２５４】
[00309]上記は本開示の態様を対象とするが、本開示の他の態様およびさらなる態様は、それの基本的範囲から逸脱することなく考案され得、それの範囲は以下の特許請求の範囲によって決定される。
【図１】
2017532817.tif 000003
【図２】
2017532817.tif 000004
【図３】
2017532817.tif 000005
【図４】
2017532817.tif 000006
【図５Ａ】
2017532817.tif 000007
【図５Ｂ】
2017532817.tif 000008
【図６Ａ】
2017532817.tif 000009
【図６Ｂ】
2017532817.tif 000010
【図７Ａ】
2017532817.tif 000011
【図７Ｂ】
2017532817.tif 000012
【図８Ａ】
2017532817.tif 000013
【図８Ｂ】
2017532817.tif 000014
【図９Ａ】
2017532817.tif 000015
【図９Ｂ】
2017532817.tif 000016
【図１０Ａ】
2017532817.tif 000017
【図１０Ｂ】
2017532817.tif 000018
【図１１Ａ】
2017532817.tif 000019
【図１１Ｂ】
2017532817.tif 000020
【図１２Ａ】
2017532817.tif 000021
【図１２Ｂ】
2017532817.tif 000022
【図１３Ａ】
2017532817.tif 000023
【図１３Ｂ】
2017532817.tif 000024
【図１４Ａ】
2017532817.tif 000025
【図１４Ｂ】
2017532817.tif 000026
【図１５Ａ】
2017532817.tif 000027
【図１５Ｂ】
2017532817.tif 000028
【図１６】
2017532817.tif 000029
【図１７】
2017532817.tif 000030
【図１８】
2017532817.tif 000031
【図１９】
2017532817.tif 000032
【図２０】
2017532817.tif 000033
【図２１】
2017532817.tif 000034
【図２２】
2017532817.tif 000035
【図２３】
2017532817.tif 000036
【図２４】
2017532817.tif 000037
【図２５】
2017532817.tif 000038
【図２６】
2017532817.tif 000039
【図２７】
2017532817.tif 000040
【図２８】
2017532817.tif 000041
【図２９】
2017532817.tif 000042
【図３０】
2017532817.tif 000043
【図３１】
2017532817.tif 000044
【図３２】
2017532817.tif 000045
【図３３】
2017532817.tif 000046
【図３４】
2017532817.tif 000047
【図３５】
2017532817.tif 000048
【図３６】
2017532817.tif 000049
【図３７】
2017532817.tif 000050
【図３８】
2017532817.tif 000051
【図３９】
2017532817.tif 000052
【図４０】
2017532817.tif 000053
【図４１】
2017532817.tif 000054
【図４２】
2017532817.tif 000055
【図４３】
2017532817.tif 000056
【図４４】
2017532817.tif 000057
【図４５】
2017532817.tif 000058
【国際調査報告】
2017532817.tif 000059
2017532817.tif 000060